(57)【要約】【課題】簡単な構成でアース接続可能な遊技台を提供することである。【解決手段】第一の部品と、第二の部品と、第三の部品と、グランド領域と、を備えた遊技台であって、前記遊技台は、ぱちんこ機またはスロットマシンであり、前記第一の部品の少なくとも一部は、導電性を少なくとも有する導電部であり、前記第二の部品の少なくとも一部は、導電性を少なくとも有する導電部であり、前記第二の部品の導電部は、前記グランド領域と少なくとも接続されたものであり、前記第二の部品は、前記第一の部品および前記第三の部品により少なくとも挟まれたものであり、前記第一の部品は、前記第二の部品とは少なくとも別体であり、前記第二の部品の導電部は、前記第一の部品の導電部と少なくとも導通されたものである、ことを特徴とする。【選択図】図１４
2014124272.tif 000002
【特許請求の範囲】
【請求項１】
第一の部品と、
第二の部品と、
第三の部品と、
グランド領域と、
を備えた遊技台であって、
前記遊技台は、ぱちんこ機またはスロットマシンであり、
前記第一の部品の少なくとも一部は、導電性を少なくとも有する導電部であり、
前記第二の部品の少なくとも一部は、導電性を少なくとも有する導電部であり、
前記第二の部品の導電部は、前記グランド領域と少なくとも接続されたものであり、
前記第二の部品は、前記第一の部品および前記第三の部品により少なくとも挟まれたものであり、
前記第一の部品は、前記第二の部品とは少なくとも別体であり、
前記第二の部品の導電部は、前記第一の部品の導電部と少なくとも導通されたものである、
ことを特徴とする遊技台。
【請求項２】
請求項１に記載の遊技台であって、
前記第一の部品は、前記第三の部品とは別体である、
ことを特徴とする遊技台。
【請求項３】
請求項１または２に記載の遊技台であって、
前記第一の部品は、少なくとも不透明である、
ことを特徴とする遊技台。
【請求項４】
請求項１乃至３のうちのいずれか１項に記載の遊技台であって、
前記第二の部品の少なくとも一部は、前記第一の部品および前記第三の部品により挟まれた位置で該第二の部品が固定される被固定部である、
ことを特徴とする遊技台。
【請求項５】
請求項１乃至４に記載の遊技台であって、
回路基板を備え、
前記グランド領域は、前記回路基板のグランド配線パターンの少なくとも一部である、
ことを特徴とする遊技台。
【発明の詳細な説明】
【技術分野】
【０００１】
本発明は、パチンコ機やスロットマシン（パチスロ機）に代表される遊技台に関する。
【背景技術】
【０００２】
従来、パチンコ機などの遊技台では、遊技盤の遊技領域に、遊技球が入賞可能な始動口と、複数個の図柄を変動表示可能な図柄表示部を備え、始動口に遊技球が入賞すると、図柄表示部の図柄を所定時間変動して、変動後の図柄が予め定めた特定図柄の組み合わせである特定態様になった場合に、可変入賞手段を所定時間開放させる等、遊技者に有利な遊技状態を発生させるようにしている（例えば特許文献１）。
【先行技術文献】
【特許文献】
【０００３】
【特許文献１】特開２００８−２００３０２号公報
【発明の概要】
【発明が解決しようとする課題】
【０００４】
ところで、近年の遊技台では、さまざまな電子部品を用いており、所定端子をアース接続することが重要である。
【０００５】
しかしながら、従来、アース接続するにはアース部材にネジ止め等する必要があり、組み立て作業が煩雑であり、作業効率が低下してしまうという問題があった。
【０００６】
本発明の目的は、簡単な構成でアース接続可能な遊技台を提供することにある。
【課題を解決するための手段】
【０００７】
本発明は上記の目的を達成するために、第一の部品と、第二の部品と、第三の部品と、グランド領域と、を備えた遊技台であって、前記遊技台は、ぱちんこ機またはスロットマシンであり、前記第一の部品の少なくとも一部は、導電性を少なくとも有する導電部であり、前記第二の部品の少なくとも一部は、導電性を少なくとも有する導電部であり、前記第二の部品の導電部は、前記グランド領域と少なくとも接続されたものであり、前記第二の部品は、前記第一の部品および前記第三の部品により少なくとも挟まれたものであり、前記第一の部品は、前記第二の部品とは少なくとも別体であり、前記第二の部品の導電部は、前記第一の部品の導電部と少なくとも導通されたものである、ことを特徴とする。
【発明の効果】
【０００８】
本発明によれば、簡単な構成でアース接続可能な遊技台を提供することができる。
【図面の簡単な説明】
【０００９】
【図１】パチンコ機１００を正面側（遊技者側）から見た外観斜視図である。
【図２】図１のパチンコ機１００を背面側から見た外観図である。
【図３】遊技盤２００を正面から見た略示正面図である。
【図４】パチンコ機１００の制御部の回路ブロック図である。
【図５】（ａ）は特図の停止表示態様の一例を、（ｂ）は装飾図柄の一例を、（ｃ）は普図の停止表示態様の一例を、それぞれ示した図である。
【図６】主制御部３００のＣＰＵ３０４が実行する主制御部メイン処理の流れを示すフローチャートである。
【図７】主制御部３００のＣＰＵ３０４が実行する主制御部タイマ割り込み処理の流れを示すフローチャートである。
【図８】（ａ）は第１副制御部メイン処理の流れを示すフローチャートであり、（ｂ）は第１副制御部コマンド受信割込処理の流れを示すフローチャートであり、（ｃ）は第１副制御部タイマ割込処理の流れを示すフローチャートであり、（ｄ）は第１副制御部画像制御処理の流れを示すフローチャートである。
【図９】（ａ）は、第２副制御部メイン処理のフローチャートであり、（ｂ）は、第２副制御部コマンド受信割込処理のフローチャートであり、（ｃ）は、第２副制御部タイマ割込処理のフローチャートである。
【図１０】本発明を適用可能なスロットマシンの一例を示す図である。
【図１１】本発明を適用可能なカジノマシンの一例を示す図である。
【図１２】本発明に係る回路基板を基板ケースに収容する様子を示す分解斜視図である。
【図１３】図１２に示した基板ケース７０１の詳細を示す図であって、（ａ）は表面７０１ａの側から見た平面図であり、（ｂ）は裏面７０１ｂの側から見た底面図であり、（ｃ）は裏面７０１ｂの側を手前にして見た斜視図である。
【図１４】図１２に示した回路基板７００の詳細を示す図であって、（ａ）は部品実装面７００ａの側から見た平面図であり、（ｂ）は（ａ）の方向Ｂから見た概略側面図である。
【図１５】図１４に示したハーネス７０８の詳細を示す図であって、（ａ）はハーネス７０８のアースプレート７１０の近傍を示す平面図であり、（ｂ）は（ａ）のアースプレート７１０の側面図であり、（ｃ）は別の例のアースプレートの側面図である。
【図１６】図１５に示したアースプレートを板金とケース部材とで挟持した状態を示す側断面図であって、（ａ）は図１５（ａ）および（ｂ）に示すハーネス７０８を用いた例を示す図であり、（ｂ）は図１５（ｃ）に示すハーネス１７０８を用いた例を示す図である。
【図１７】電磁波ゴトについて説明する模式図であり、（ａ）は不正行為がされていない状態を示す図であり、（ｂ）は不正行為がされた状態を示す図である。
【図１８】本発明に係る構成をスロットマシンに適用する例を示す分解斜視図である。
【図１９】本発明に係る基板ケースの構成の一例を示す図であり、（ａ）は斜視図であり、（ｂ）は分解斜視図である。
【図２０】図１９に示した基板ケースの配置の例を示す図であり（ａ）は第一の例を示す平面図であり、（ｂ）は（ａ）のＡ−Ａ断面図であり、（ｃ）は第二の例を示す平面図であり、（ｄ）は（ｃ）のＢ−Ｂ断面図である。
【図２１】基板ケースと板金とで導通部材を挟む構成の例を示す断面図である。
【図２２】本発明に係る遊技台を示す図であって、（ａ）は遊技台の前面枠扉を開いた状態の正面図であり、（ｂ）は（ａ）のＣ−Ｃ断面図であり、（ｃ）は（ａ）に示す構成において板金にアースプレートを接続する様子を説明する断面図である。
【図２３】（ａ）は、本発明に係る基板ケース、板金およびアースプレートの構成の別の例を示す断面図である。（ｂ）は、本発明に係る基板ケース、板金およびアースプレートの構成の別の例を示す断面図である。
【図２４】本発明に係る板金の構成の別の例を示す断面図であって、（ａ）は平面図であり、（ｂ）は断面図である。
【図２５】（ａ）は、本発明に係る基板ケース、板金およびアースプレートの構成の別の例を示す断面図である。（ｂ）は、（ａ）の位置決め手段を拡大して示す底面図である。（ｃ）は、本発明に係る基板ケース、板金およびアースプレートの構成の別の例を示す断面図である。（ｄ）は、（ｃ）の位置決め手段を拡大して示す底面図である。（ｅ）は、本発明に係る基板ケース、板金およびアースプレートの構成の別の例を示す断面図である。（ｆ）は、（ｅ）の他の配線接続手段を拡大して示す平面図である。
【図２６】（ａ）は、本発明に係る基板ケース、板金およびアースプレートの構成の別の例を示す断面図である。（ｂ）は、本発明に係る基板ケースおよび板金の構成の別の例を示す断面図である。（ｃ）は、本発明に係る基板ケースおよび板金の構成の別の例を示す断面図である。
【図２７】（ａ）、（ｂ）、（ｃ）、（ｄ）、（ｅ）および（ｆ）は、本発明に係る基板ケースおよび板金の大きさの例を示す平面図である。
【図２８】（ａ）および（ｂ）は、本発明に係る基板ケースおよび板金の配置の例を示す平面図である。
【図２９】本発明に係るアースプレートの形状の例を示す平面図であって、（ａ）は一例の平面図であり、（ｂ）は（ａ）とは別の例の平面図である。
【図３０】図３０（ａ）、（ｂ）、（ｃ）、（ｄ）、（ｅ）および（ｆ）は、本発明に係るアースプレートの形状の例を示す側面図である。
【図３１】本発明に係る基板ケース、板金およびアースプレートの構成の例を示す断面図である。
【図３２Ａ】本発明に係る基板ケース、板金およびアースプレートの寸法の例を示す断面図であって、（ａ）は、板金とアースプレートとが接していない状態を示す図であり、（ｂ）は、板金で押し付けてアースプレートが弾性変形した状態を示す図である。
【図３２Ｂ】本発明に係る基板ケース、板金およびアースプレートの寸法の例を示す断面図であって、（ａ）は、板金とアースプレートとが接していない状態を示す図であり、（ｂ）は、板金で押し付けてアースプレートが弾性変形した状態を示す図である。
【図３２Ｃ】本発明に係る基板ケース、板金およびアースプレートの寸法の例を示す断面図であって、（ａ）は、板金とアースプレートとが接していない状態を示す図であり、（ｂ）は、板金で押し付けてアースプレートが弾性変形した状態を示す図である。
【図３２Ｄ】本発明に係る基板ケース、板金およびアースプレートの寸法の例を示す断面図であって、（ａ）は、板金とアースプレートとが接していない状態を示す図であり、（ｂ）は、板金で押し付けてアースプレートが弾性変形した状態を示す図である。
【図３２Ｅ】本発明に係る基板ケース、板金およびアースプレートの寸法の例を示す断面図であって、（ａ）は、板金とアースプレートとが接していない状態を示す図であり、（ｂ）は、板金で押し付けてアースプレートが弾性変形した状態を示す図である。
【図３３】本発明に係る基板ケースおよびアースプレートの構成の例を示す図であって、（ａ）は、基板ケースおよびアースプレートを示す斜視図であり、（ｂ）は、基板ケースを示す正面図である。
【図３４】本発明に係る基板ケースおよびアースプレートの構成の例を示す図であって、（ａ）は、基板ケースの正面斜視図であり、（ｂ）は、（ａ）の分解斜視図であり、（ｃ）は、（ａ）の基板ケースの背面およびアースプレート示す斜視図である。
【図３５】（ａ）は、本発明に係る基板ケース、板金およびアースプレートの構成の別の例を示す断面図である。（ｂ）は、本発明に係る回路基板の構成の別の例を示す断面図である。
【図３６】（ａ）は、本発明に係る基板ケース、板金およびアースプレートの構成の別の例を示す断面図である。（ｂ）は、本発明に係る基板ケース、板金およびアースプレートの構成の別の例を示す断面図である。
【図３７】（ａ）は、本発明に係る基板ケース、板金およびアースプレートの構成の別の例を示す断面図である。（ｂ）は、本発明に係る基板ケース、板金およびアースプレートの構成の別の例を示す断面図である。（ｃ）は、本発明に係る基板ケース、板金およびアースプレートの構成の別の例を示す断面図である。
【図３８】（ａ）は、本発明に係る基板ケース、板金およびアースプレートの構成の別の例を示す断面図である。（ｂ）は、（ａ）に示した回路基板の斜視図である。
【図３９】（ａ）は、本発明に係る基板ケース、板金およびアースプレートの構成の別の例を示す断面図である。（ｂ）は、本発明に係る基板ケース、板金およびアースプレートの構成の別の例を示す断面図である。（ｃ）は、本発明に係る基板ケース、板金およびアースプレートの構成の別の例を示す断面図である。
【図４０】本発明に係る基板ケース、板金およびアースプレートの構成の別の例を示す断面図であって、（ａ）、（ｂ）および（ｃ）は、アースプレートを取り付ける手順を説明する図である。
【図４１】本発明に係る基板ケース、板金およびアースプレートの構成の別の例を示す断面図である。
【図４２】本発明に係る基板ケースおよび板金の構成の別の例を示す背面図である。
【図４３】本発明に係る基板ケースおよび回路基板の構成の別の例を示す断面図である。
【図４４】（ａ）は、本発明に係る基板ケース、回路基板および板金の構成の別の例を示す断面図である。（ｂ）は、本発明に係る基板ケース、回路基板、アースプレートおよび板金の構成の別の例を示す断面図である。（ｃ）は、本発明に係る基板ケース、回路基板、アースプレートおよび板金の構成の別の例を示す断面図である。
【図４５】本発明に係る回路基板に接続するハーネスの構成の例を示す平面図である。
【図４６】本発明に係る基板ケースおよび板金の構成の別の例を示す図であり、（ａ）はパチンコ機の遊技盤の背面図であり、（ｂ）は遊技盤の背面の裏パックを外した状態を上部から見た平面図であり、裏パックの一部を切り欠いて板金が見えるようにした図である。
【発明を実施するための形態】
【００１０】
以下、図面を用いて、本発明の実施形態に係る遊技台（例えば、パチンコ機１００等の弾球遊技機やスロット機等の回胴遊技機）について詳細に説明する。
【００１１】
＜全体構成＞
まず、図１を用いて、本発明の実施形態１に係るパチンコ機１００の全体構成について説明する。なお、同図はパチンコ機１００を正面側（遊技者側）から見た外観斜視図である。
【００１２】
パチンコ機１００は、外部的構造として、外枠１０２と、本体１０４と、前面枠扉１０６と、球貯留皿付扉１０８と、発射装置１１０と、遊技盤２００と、をその前面に備える。
【００１３】
外枠１０２は、遊技機設置営業店に設けられた設置場所（島設備等）へと固定させるための縦長方形状から成る木製の枠部材である。
【００１４】
本体１０４は、外枠１０２の内部に備えられ、ヒンジ部１１２を介して外枠１０２に回動自在に装着された縦長方形状の遊技機基軸体となる部材である。また、本体１０４は、枠状に形成され、内側に空間部１１４を有している。
【００１５】
前面枠扉１０６は、ロック機能付きで且つ開閉自在となるようにパチンコ機１００の前面側となる本体１０４の前面に対しヒンジ部１１２を介して装着され、枠状に構成されることでその内側を開口部１１６とした扉部材である。なお、この前面枠扉１０６には、開口部１１６にガラス製又は樹脂製の透明板部材１１８が設けられ、前面側には、スピーカ１２０や枠ランプ１２２が取り付けられている。前面枠扉１０６の後面と遊技盤２００の前面とで遊技領域１２４を区画形成する。
【００１６】
球貯留皿付扉１０８は、パチンコ機１００の前面において本体１０４の下側に対して、ロック機能付きで且つ開閉自在となるように装着された扉部材である。球貯留皿付扉１０８は、複数の遊技球（以下、単に「球」と称する場合がある）が貯留可能で且つ発射装置１１０へと遊技球を案内させる通路が設けられている上皿１２６と、上皿１２６に貯留しきれない遊技球を貯留する下皿１２８と、遊技者の操作によって上皿１２６に貯留された遊技球を下皿１２８へと排出させる球抜ボタン１３０と、遊技者の操作によって下皿１２８に貯留された遊技球を不図示の遊技球収集容器（俗称、ドル箱）へと排出させる球排出レバー１３２と、遊技者の操作によって発射装置１１０へと案内された遊技球を遊技盤２００の遊技領域１２４へと打ち出す球発射ハンドル１３４と、遊技者の操作によって各種演出装置２０６（図３参照）の演出態様に変化を与えるチャンスボタン１３６と、チャンスボタン１３６を発光させるチャンスボタンランプ１３８と、遊技店に設置された不図示のカードユニット（ＣＲユニット）に対して球貸し指示を行う球貸操作ボタン１４０と、カードユニットに対して遊技者の残高の返却指示を行う返却操作ボタン１４２と、遊技者の残高やカードユニットの状態を表示する球貸表示部１４４と、を備える。
【００１７】
発射装置１１０は、本体１０４の下方に取り付けられ、球発射ハンドル１３４が遊技者に操作されることによって回動する発射杆１４６と、遊技球を発射杆１４６の先端で打突する発射槌１４８と、を備える。
【００１８】
遊技盤２００は、前面に遊技領域１２４を有し、本体１０４の空間部１１４に臨むように、所定の固定部材を用いて本体１０４に着脱自在に装着されている。なお、遊技領域１２４は、遊技盤２００を本体１０４に装着した後、開口部１１６から観察することができる。
【００１９】
図２は、図１のパチンコ機１００を背面側から見た外観図である。
【００２０】
パチンコ機１００の背面上部には、上方に開口した開口部を有し、遊技球を一時的に貯留するための球タンク１５０と、この球タンク１５０の下方に位置し、球タンク１５０の底部に形成した連通孔を通過して落下する球を背面右側に位置する払出装置１５２に導くためのタンクレール１５４とを配設している。
【００２１】
払出装置１５２は、筒状の部材からなり、その内部には、不図示の払出モータとスプロケットと払出センサとを備えている。
【００２２】
スプロケットは、払出モータによって回転可能に構成されており、タンクレール１５４を通過して払出装置１５２内に流下した遊技球を一時的に滞留させると共に、払出モータを駆動して所定角度だけ回転することにより、一時的に滞留した遊技球を払出装置１５２の下方へ１個ずつ送り出すように構成している。
【００２３】
払出センサは、スプロケットが送り出した遊技球の通過を検知するためのセンサであり、遊技球が通過しているときにハイまたはローの何れか一方の信号を、遊技球が通過していないときはハイまたはローの何れか他方の信号を不図示の払出制御部６００へ出力する。なお、この払出センサを通過した遊技球は、不図示の球レールを通過してパチンコ機１００の表側に配設した上皿１２６に到達するように構成しており、パチンコ機１００は、この構成により遊技者に対して球の払い出しを行う。
【００２４】
払出装置１５２の図中左側には、遊技全般の制御処理を行う主制御部３００を構成する主基板１５６を収納する主基板ケース１５８、主制御部３００が生成した処理情報に基づいて演出に関する制御処理を行う第１副制御部４００を構成する第１副基板１６０を収納する第１副基板ケース１６２、第１副制御部４００が生成した処理情報に基づいて演出に関する制御処理を行う第２副制御部５００を構成する第２副基板１６４を収納する第２副基板ケース１６６、遊技球の払出に関する制御処理を行う払出制御部６００を構成するとともに遊技店員の操作によってエラーを解除するエラー解除スイッチ１６８を備える払出基板１７０を収納する払出基板ケース１７２、遊技球の発射に関する制御処理を行う発射制御部６３０を構成する発射基板１７４を収納する発射基板ケース１７６、各種電気的遊技機器に電源を供給する電源管理部６６０を構成するとともに遊技店員の操作によって電源をオンオフする電源スイッチ１７８と電源投入時に操作されることによってＲＡＭクリア信号を主制御部３００に出力するＲＡＭクリアスイッチ１８０とを備える電源基板１８２を収納する電源基板ケース１８４、および、払出制御部６００とカードユニットとの信号の送受信を行うＣＲインタフェース部１８６を配設している。
【００２５】
図３は、遊技盤２００を正面から見た略示正面図である。
【００２６】
遊技盤２００には、外レール２０２と内レール２０４とを配設し、遊技球が転動可能な遊技領域１２４を区画形成している。
【００２７】
遊技領域１２４の略中央には、演出装置２０６を配設している。この演出装置２０６には、略中央に装飾図柄表示装置２０８を配設し、装飾図柄表示装置２０８の下部に、普通図柄表示装置２１０と、第１特別図柄表示装置２１２と、第２特別図柄表示装置２１４と、普通図柄保留ランプ２１６と、第１特別図柄保留ランプ２１８と、第２特別図柄保留ランプ２２０と、高確中ランプ２２２と、を配設し、装飾図柄表示装置２０８の右側に演出可動体２２４を配設している。なお、以下、普通図柄を「普図」、特別図柄を「特図」と称する場合がある。
【００２８】
装飾図柄表示装置２０８は、装飾図柄ならびに演出に用いる様々な表示を行うための表示装置であり、本実施例では液晶表示装置（Ｌｉｑｕｉｄ  Ｃｒｙｓｔａｌ  Ｄｉｓｐｌａｙ）によって構成する。この装飾図柄表示装置２０８は、左図柄表示領域２０８ａ、中図柄表示領域２０８ｂ、右図柄表示領域２０８ｃおよび演出表示領域２０８ｄの４つの表示領域に分割し、左図柄表示領域２０８ａ、中図柄表示領域２０８ｂおよび右図柄表示領域２０８ｃはそれぞれ異なった装飾図柄を表示し、演出表示領域２０８ｄは演出に用いる画像を表示する。さらに、各表示領域２０８ａ、２０８ｂ、２０８ｃ、２０８ｄの位置や大きさは、装飾図柄表示装置２０８の表示画面内で自由に変更することを可能としている。なお、装飾図柄表示装置２０８として液晶表示装置を採用しているが、液晶表示装置でなくとも、種々の演出や種々の遊技情報を表示可能に構成されていればよく、例えば、ドットマトリクス表示装置、７セグメント表示装置、有機ＥＬ（ＥｌｅｃｔｒｏＬｕｍｉｎｅｓｃｅｎｃｅ）表示装置、リール（ドラム）式表示装置、リーフ式表示装置、プラズマディスプレイ、プロジェクタを含む他の表示デバイスを採用してもよい。
【００２９】
普図表示装置２１０は、普図の表示を行うための表示装置であり、本実施例では７セグメントＬＥＤによって構成する。第１特図表示装置２１２および第２特図表示装置２１４は、特図の表示を行うための表示装置であり、本実施例では７セグメントＬＥＤによって構成する。
【００３０】
普図保留ランプ２１６は、保留している普図変動遊技（詳細は後述）の数を示すためのランプであり、本実施例では、普図変動遊技を所定数（例えば、２つ）まで保留することを可能としている。第１特図保留ランプ２１８および第２特図保留ランプ２２０は、保留している特図変動遊技（詳細は後述）の数を示すためのランプであり、本実施例では、特図変動遊技を所定数（例えば、４つ）まで保留することを可能としている。高確中ランプ２２２は、遊技状態が大当りが発生し易い高確率状態であること、または高確率状態になることを示すためのランプであり、遊技状態を大当りが発生し難い低確率状態から高確率状態にする場合に点灯し、高確率状態から低確率状態にする場合に消灯する。
【００３１】
また、この演出装置２０６の周囲には、一般入賞口２２６と、普図始動口２２８と、第１特図始動口２３０と、第２特図始動口２３２と、可変入賞口２３４と、を配設している。
【００３２】
一般入賞口２２６は、本実施例では遊技盤２００に複数配設しており、この一般入賞口２２６への入球を所定の球検出センサ（図示省略）が検出した場合（一般入賞口２２６に入賞した場合）、払出装置１５２を駆動し、所定の個数（例えば、１０個）の球を賞球として上皿１２６に排出する。上皿１２６に排出した球は遊技者が自由に取り出すことが可能であり、これらの構成により、入賞に基づいて賞球を遊技者に払い出すようにしている。
【００３３】
なお、一般入賞口２２６に入球した球は、パチンコ機１００の裏側に誘導した後、遊技島側に排出する。本実施例では、入賞の対価として遊技者に払い出す球を「賞球」、遊技者に貸し出す球を「貸球」と区別して呼ぶ場合があり、「賞球」と「貸球」を総称して「球（遊技球）」と呼ぶ。
【００３４】
普図始動口２２８は、ゲートやスルーチャッカーと呼ばれる、遊技領域１２４の所定の領域を球が通過したか否かを判定するための装置で構成しており、本実施例では遊技盤２００の左側に１つ配設している。普図始動口２２８を通過した球は一般入賞口２２６に入球した球と違って、遊技島側に排出することはない。球が普図始動口２２８を通過したことを所定の球検出センサが検出した場合、パチンコ機１００は、普図表示装置２１０による普図変動遊技を開始する。
【００３５】
第１特図始動口２３０は、本実施例では遊技盤２００の中央に１つだけ配設している。この第１特図始動口２３０への入球を所定の球検出センサが検出した場合、後述する払出装置１５２を駆動し、所定の個数（例えば、３個）の球を賞球として上皿１２６に排出するとともに、第１特図表示装置２１２による特図変動遊技を開始する。なお、第１特図始動口２３０に入球した球は、パチンコ機１００の裏側に誘導した後、遊技島側に排出する。
【００３６】
第２特図始動口２３２は、電動チューリップ（電チュー）と呼ばれ、本実施例では第１特図始動口２３０の真下に１つだけ配設している。この第２特図始動口２３２は、左右に開閉自在な羽根２３２ａを備え、羽根２３２ａの閉鎖中は球の入球が不可能であり、普図変動遊技に当選し、普図表示装置２１０が当たり図柄を停止表示した場合に羽根２３２ａが所定の時間間隔、所定の回数で開閉する。第２特図始動口２３２への入球を所定の球検出センサが検出した場合、払出装置１５２を駆動し、所定の個数（例えば、４個）の球を賞球として上皿１２６に排出するとともに、第２特図表示装置２１４による特図変動遊技を開始する。なお、第２特図始動口２３２に入球した球は、パチンコ機１００の裏側に誘導した後、遊技島側に排出する。
【００３７】
可変入賞口２３４は、大入賞口またはアタッカーと呼ばれ、本実施例では遊技盤２００の中央部下方に１つだけ配設している。この可変入賞口２３４は、開閉自在な扉部材２３４ａを備え、扉部材２３４ａの閉鎖中は球の入球が不可能であり、特図変動遊技に当選して特図表示装置２１２、２１４が大当たり図柄を停止表示した場合に扉部材２３４ａが所定の時間間隔（例えば、開放時間２９秒、閉鎖時間１．５秒）、所定の回数（例えば１５回）で開閉する。
【００３８】
可変入賞口２３４への入球を所定の球検出センサが検出した場合、払出装置１５２を駆動し、所定の個数（例えば、１５個）の球を賞球として上皿１２６に排出する。なお、可変入賞口２３４に入球した球は、パチンコ機１００の裏側に誘導した後、遊技島側に排出する。
【００３９】
さらに、これらの入賞口や始動口の近傍には、風車と呼ばれる円盤状の打球方向変換部材２３６や、遊技釘２３８を複数個、配設していると共に、内レール２０４の最下部には、いずれの入賞口や始動口にも入賞しなかった球をパチンコ機１００の裏側に誘導した後、遊技島側に排出するためのアウト口２４０を設けている。
【００４０】
このパチンコ機１００は、遊技者が上皿１２６に貯留している球を発射レールの発射位置に供給し、遊技者の球発射ハンドル１３４の操作量に応じた強度で発射モータを駆動し、発射杆１４６および発射槌１４８によって外レール２０２、内レール２０４を通過させて遊技領域１２４に打ち出す。そして、遊技領域１２４の上部に到達した球は、打球方向変換部材２３６や遊技釘２３８等によって進行方向を変えながら下方に落下し、入賞口（一般入賞口２２６、可変入賞口２３４）や始動口（第１特図始動口２３０、第２特図始動口２３２）に入賞するか、いずれの入賞口や始動口にも入賞することなく、または普図始動口２２８を通過するのみでアウト口２４０に到達する。
【００４１】
＜演出装置２０６＞
次に、パチンコ機１００の演出装置２０６について説明する。演出装置２０６は、第１副制御部４００や第２副制御部５００により駆動制御される。
【００４２】
この演出装置２０６の前面側には、遊技球の転動可能な領域にワープ装置２４２およびステージ２４４を配設し、遊技球の転動不可能な領域に演出可動体２２４を配設している。また、演出装置２０６の背面側には、装飾図柄表示装置２０８および遮蔽装置２４６（以下、扉と称する場合がある）を配設している。すなわち、演出装置２０６において、装飾図柄表示装置２０８および遮蔽装置２４６は、ワープ装置２４２、ステージ２４４、および演出可動体２２４の後方に位置することとなる。
【００４３】
ワープ装置２４２は、演出装置２０６の左上方に設けたワープ入口２４２ａに入った遊技球を演出装置２０６の前面下方のステージ２４４にワープ出口２４２ｂから排出する。
【００４４】
ステージ２４４は、ワープ出口２４２ｂから排出された球や、遊技盤２００の遊技釘２３８などによって乗り上げた球などが転動可能であり、ステージ２４４の中央部には、通過した球が第１特図始動口２３０へ入球し易くなるスペシャルルート２４４ａを設けている。
【００４５】
演出可動体２２４は、本実施例では人間の右腕の上腕と前腕を模した上腕部２２４ａと前腕部２２４ｂとからなり、肩の位置に上腕部２２４ａを回動させる不図示の上腕モータと肘の位置に前腕部２２４ｂを回動させる不図示の前腕モータを備える。演出可動体２２４は、上腕モータと前腕モータによって装飾図柄表示装置２０８の前方を移動する。
【００４６】
遮蔽装置２４６は、格子状の左扉２４６ａおよび右扉２４６ｂからなり、装飾図柄表示装置２０８および前面ステージ２４４の間に配設する。左扉２４６ａおよび右扉２４６ｂの上部には、不図示の２つのプーリに巻き回したベルトをそれぞれ固定している。すなわち、左扉２４６ａおよび右扉２４６ｂは、モータによりプーリを介して駆動するベルトの動作に伴って左右にそれぞれ移動する。
【００４７】
遮蔽装置２４６は、左扉２４６ａおよび右扉２４６ｂを閉じた状態ではそれぞれの内側端部が重なり、遊技者が装飾図柄表示装置２０８を視認し難いように遮蔽する。左扉２４６ａおよび右扉２４６ｂを開いた状態ではそれぞれの内側端部が装飾図柄表示装置２０８の表示画面の外側端部と若干重なるが、遊技者は装飾図柄表示装置２０８の表示の全てを視認可能である。また、左扉２４６ａおよび右扉２４６ｂは、それぞれ任意の位置で停止可能であり、例えば、表示した装飾図柄がどの装飾図柄であるかを遊技者が識別可能な程度に、装飾図柄の一部だけを遮蔽するようなことができる。
【００４８】
なお、左扉２４６ａおよび右扉２４６ｂは、格子の孔から後方の装飾図柄表示装置２０８の一部を視認可能にしてもよいし、格子の孔の障子部分を半透明のレンズ体で塞ぎ、後方の装飾図柄表示装置２０８による表示を漠然と遊技者に視認させるようにしてもよいし、格子の孔の障子部分を完全に塞ぎ（遮蔽し）、後方の装飾図柄表示装置２０８を全く視認不可にしてもよい。
【００４９】
＜制御部＞
次に、図４を用いて、このパチンコ機１００の制御部の回路構成について詳細に説明する。なお、同図は制御部の回路ブロック図を示したものである。
【００５０】
パチンコ機１００の制御部は、大別すると、遊技の中枢部分を制御する主制御部３００と、主制御部３００が送信するコマンド信号（以下、単に「コマンド」と呼ぶ）に応じて主に演出の制御を行う第１副制御部４００と、第１副制御部４００より送信されたコマンドに基づいて各種機器を制御する第２副制御部５００と、主制御部３００が送信するコマンドに応じて主に遊技球の払い出しに関する制御を行う払出制御部６００と、遊技球の発射制御を行う発射制御部６３０と、パチンコ機１００に供給される電源を制御する電源管理部６６０と、によって構成している。
【００５１】
＜主制御部＞
まず、パチンコ機１００の主制御部３００について説明する。
【００５２】
主制御部３００は、主制御部３００の全体を制御する基本回路３０２を備えており、この基本回路３０２には、ＣＰＵ３０４と、制御プログラムや各種データを記憶するためのＲＯＭ３０６と、一時的にデータを記憶するためのＲＡＭ３０８と、各種デバイスの入出力を制御するためのＩ／Ｏ３１０と、時間や回数等を計測するためのカウンタタイマ３１２と、プログラム処理の異常を監視するＷＤＴ３１４を搭載している。なお、ＲＯＭ３０６やＲＡＭ３０８については他の記憶装置を用いてもよく、この点は後述する第１副制御部４００についても同様である。この基本回路３０２のＣＰＵ３０４は、水晶発振器３１６ｂが出力する所定周期のクロック信号をシステムクロックとして入力して動作する。
【００５３】
また、基本回路３０２には、水晶発振器３１６ａが出力するクロック信号を受信する度に０〜６５５３５の範囲で数値を変動させるハードウェア乱数カウンタとして使用しているカウンタ回路３１８（この回路には２つのカウンタを内蔵しているものとする）と、所定の球検出センサ、例えば各始動口、入賞口、可変入賞口を通過する遊技球を検出するセンサや、前面枠扉開放センサや内枠開放センサや下皿満タンセンサを含む各種センサ３２０が出力する信号を受信し、増幅結果や基準電圧との比較結果をカウンタ回路３１８および基本回路３０２に出力するためのセンサ回路３２２と、所定の図柄表示装置、例えば第１特図表示装置２１２や第２特図表示装置２１４の表示制御を行うための駆動回路３２４と、所定の図柄表示装置、例えば普図表示装置２１０の表示制御を行うための駆動回路３２６と、各種状態表示部３２８（例えば、普図保留ランプ２１６、第１特図保留ランプ２１８、第２特図保留ランプ２２０、高確中ランプ２２２等）の表示制御を行うための駆動回路３３０と、所定の可動部材、例えば第２特図始動口２３２の羽根部材２３２ａや可変入賞口２３４の扉部材２３４ａ等を開閉駆動する各種ソレノイド３３２を制御するための駆動回路３３４と、各種ランプ３５６（例えば、チャンスボタンランプ１３８）の制御を行うための駆動回路３５５と、を接続している。
【００５４】
なお、第１特図始動口２３０に球が入賞したことを球検出センサ３２０が検出した場合には、センサ回路３２２は球を検出したことを示す信号をカウンタ回路３１８に出力する。この信号を受信したカウンタ回路３１８は、第１特図始動口２３０に対応するカウンタのそのタイミングにおける値をラッチし、ラッチした値を、第１特図始動口２３０に対応する内蔵のカウンタ値記憶用レジスタに記憶する。また、カウンタ回路３１８は、第２特図始動口２３２に球が入賞したことを示す信号を受信した場合も同様に、第２特図始動口２３２に対応するカウンタのそのタイミングにおける値をラッチし、ラッチした値を、第２特図始動口２３２に対応する内蔵のカウンタ値記憶用レジスタに記憶する。
【００５５】
さらに、基本回路３０２には、情報出力回路３３６を接続しており、主制御部３００は、この情報出力回路３３６を介して、外部のホールコンピュータ（図示省略）等が備える情報入力回路３５０にパチンコ機１００の遊技情報（例えば、遊技状態）を出力する。
【００５６】
また、主制御部３００には、電源管理部６６０から主制御部３００に供給している電源の電圧値を監視する電圧監視回路３３８を設けており、この電圧監視回路３３８は、電源の電圧値が所定の値（本実施例では９ｖ）未満である場合に電圧が低下したことを示す低電圧信号を基本回路３０２に出力する。
【００５７】
また、主制御部３００には、電源が投入されると起動信号（リセット信号）を出力する起動信号出力回路（リセット信号出力回路）３４０を設けており、ＣＰＵ３０４は、この起動信号出力回路３４０から起動信号を入力した場合に、遊技制御を開始する（後述する主制御部メイン処理を開始する）。
【００５８】
また、主制御部３００は、第１副制御部４００にコマンドを送信するための出力インタフェースと、払出制御部６００にコマンドを送信するための出力インタフェースをそれぞれ備えており、この構成により、第１副制御部４００および払出制御部６００との通信を可能としている。なお、主制御部３００と第１副制御部４００および払出制御部６００との情報通信は一方向の通信であり、主制御部３００は第１副制御部４００および払出制御部６００にコマンド等の信号を送信できるように構成しているが、第１副制御部４００および払出制御部６００からは主制御部３００にコマンド等の信号を送信できないように構成している。
【００５９】
＜副制御部＞
次に、パチンコ機１００の第１副制御部４００について説明する。第１副制御部４００は、主に主制御部３００が送信したコマンド等に基づいて第１副制御部４００の全体を制御する基本回路４０２を備えており、この基本回路４０２には、ＣＰＵ４０４と、制御プログラムや各種演出データを記憶するためのＲＯＭ４０６と、一時的にデータを記憶するためのＲＡＭ４０８と、各種デバイスの入出力を制御するためのＩ／Ｏ４１０と、時間や回数等を計測するためのカウンタタイマ４１２と、プログラム処理の異常を監視するＷＤＴ４１４を搭載している。この基本回路４０２のＣＰＵ４０４は、水晶発振器４１５が出力する所定周期のクロック信号をシステムクロックとして入力して動作する。なお、ＲＯＭ４０６は、制御プログラムと各種演出データとを別々のＲＯＭに記憶させてもよい。
【００６０】
また、基本回路４０２には、スピーカ１２０（およびアンプ）の制御を行うための音源ＩＣ４１６と、各種ランプ４１８（例えば、チャンスボタンランプ１３８）の制御を行うための駆動回路４２０と、遮蔽装置２４６の駆動制御を行うための駆動回路４３２と、遮蔽装置２４６の現在位置を検出する遮蔽装置センサ４３０やチャンスボタン１３６の押下を検出するチャンスボタン検出センサ４２６からの検出信号を基本回路４０２に出力するセンサ回路４２８と、ＣＰＵ４０４からの信号に基づいてＲＯＭ４０６に記憶された画像データ等を読み出してＶＲＡＭ４３６のワークエリアを使用して表示画像を生成して装飾図柄表示装置２０８に画像を表示するＶＤＰ（ビデオ・ディスプレイ・プロセッサー）４３４と、を接続している。
【００６１】
次に、パチンコ機１００の第２副制御部５００について説明する。第２副制御部５００は、第１副制御部４００が送信した制御コマンドを入力インタフェースを介して受信し、この制御コマンドに基づいて第２副制御部５００の全体を制御する基本回路５０２を備えており、この基本回路５０２は、ＣＰＵ５０４と、一時的にデータを記憶するためのＲＡＭ５０８と、各種デバイスの入出力を制御するためのＩ／Ｏ５１０と、時間や回数等を計測するためのカウンタタイマ５１２を搭載している。基本回路５０２のＣＰＵ５０４は、水晶発振器５１４が出力する所定周期のクロック信号をシステムクロックとして入力して動作する。また、第２副制御部５００には、第２副制御部５００の全体を制御するための制御プログラム及びデータ、画像表示用のデータ等が記憶されたＲＯＭ５０６が設けられている。
【００６２】
また、基本回路５０２には、演出可動体２２４の駆動制御を行うための駆動回路５１６と、演出可動体２２４の現在位置を検出する演出可動体センサ４２４からの検出信号を基本回路５０２に出力するセンサ回路５１８と、遊技盤用ランプ５３２の制御を行うための遊技盤用ランプ駆動回路５３０と、遊技台枠用ランプ５４２（例えば枠ランプ１２２）の制御を行うための遊技台枠用ランプ駆動回路５４０と、遊技盤用ランプ駆動回路５３０と遊技台枠用ランプ駆動回路５４０との間でシリアル通信による点灯制御を行うシリアル通信制御回路５２０と、時刻を出力するＲＴＣ（Ｒｅａｌ  Ｔｉｍｅ  Ｃｌｏｃｋ）５１９と、を接続している。ＲＴＣ５１９としては、例えば、１つのＩＣで構成されるＲＴＣモジュールを用いることができ、パチンコ機１００としては、遊技店員等がＲＴＣに例えば現在時刻を設定する設定手段や、遊技店員等がＲＴＣから得た時刻との比較対象である比較時刻を設定する手段や、ＲＴＣから得た時刻や設定した比較時刻を記憶する記憶手段や、ＲＴＣから得た時刻と設定した比較時刻とを比較して判定する判定手段などを有する場合がある。
【００６３】
＜払出制御部、発射制御部、電源管理部＞
次に、パチンコ機１００の払出制御部６００、発射制御部６３０、電源管理部６６０について説明する。
【００６４】
払出制御部６００は、主に主制御部３００が送信したコマンド等の信号に基づいて払出装置１５２の払出モータ６０２を制御すると共に、払出センサ６０４が出力する制御信号に基づいて賞球または貸球の払い出しが完了したか否かを検出すると共に、インタフェース部６０６を介して、パチンコ機１００とは別体で設けられたカードユニット６０８との通信を行う。
【００６５】
発射制御部６３０は、払出制御部６００が出力する、発射許可または停止を指示する制御信号や、球発射ハンドル１３４内に設けた発射強度出力回路が出力する、遊技者による球発射ハンドル１３４の操作量に応じた発射強度を指示する制御信号に基づいて、発射杆１４６および発射槌１４８を駆動する発射モータ６３２の制御や、上皿１２６から発射装置１１０に球を供給する球送り装置６３４の制御を行う。
【００６６】
電源管理部６６０は、パチンコ機１００に外部から供給される交流電源を直流化し、所定の電圧に変換して主制御部３００、第１副制御部４００等の各制御部や払出装置１５２等の各装置に供給する。さらに、電源管理部６６０は、外部からの電源が断たれた後も所定の部品（例えば主制御部３００のＲＡＭ３０８等）に所定の期間（例えば１０日間）電源を供給するための蓄電回路（例えば、コンデンサ）を備えている。なお、本実施形態では、電源管理部６６０から払出制御部６００と第２副制御部５００に所定電圧を供給し、払出制御部６００から主制御部３００と第２副制御部５００と発射制御部６３０に所定電圧を供給しているが、各制御部や各装置に他の電源経路で所定電圧を供給してもよい。
【００６７】
＜図柄の種類＞
次に、図５（ａ）〜（ｃ）を用いて、パチンコ機１００の第１特別図柄表示装置２１２、第２特別図柄表示装置２１４、装飾図柄表示装置２０８、普通図柄表示装置２１０が停止表示する特図および普図の種類について説明する。
【００６８】
図５（ａ）は特図の停止図柄態様の一例を示したものである。
【００６９】
第１特図始動口２３０に球が入球したことを第１始動口センサが検出したことを条件として特図１変動遊技が開始され、第２特図始動口２３２に球が入球したことを第２始動口センサが検出したことを条件として特図２変動遊技が開始される。
【００７０】
特図１変動遊技が開始されると、第１特別図柄表示装置２１２は、７個のセグメントの全点灯と、中央の１個のセグメントの点灯を繰り返す「特図１の変動表示」を行う。また、特図２変動遊技が開始されると、第２特別図柄表示装置２１４は、７個のセグメントの全点灯と、中央の１個のセグメントの点灯を繰り返す「特図２の変動表示」を行う。これらの「特図１の変動表示」および「特図２の変動表示」が本発明にいう図柄の変動表示の一例に相当する。
【００７１】
そして、特図１の変動開始前に決定した変動時間（本発明にいう変動時間が相当）が経過すると、第１特別図柄表示装置２１２は特図１の停止図柄態様を停止表示し、特図２の変動開始前に決定した変動時間（これも本発明にいう変動時間が相当）が経過すると、第２特別図柄表示装置２１４は特図２の停止図柄態様を停止表示する。
【００７２】
したがって、「特図１の変動表示」を開始してから特図１の停止図柄態様を停止表示するまで、あるいは「特図２の変動表示」を開始してから特図２の停止図柄態様を停止表示するまでが本発明にいう図柄変動停止表示の一例に相当し、以下、この「特図１又は２の変動表示」を開始してから特図１又は２の停止図柄態様を停止表示するまでの一連の表示を図柄変動停止表示と称する。後述するように、図柄変動停止表示は複数回、連続して行われることがある。
【００７３】
図５（ａ）には、図柄変動停止表示における停止図柄態様として「特図Ａ」から「特図Ｊ」までの１０種類の特図が示されている。図５（ａ）においては、図中の白抜きの部分が消灯するセグメントの場所を示し、黒塗りの部分が点灯するセグメントの場所を示している。
【００７４】
「特図Ａ」は１５ラウンド（１５Ｒ）特別大当たり図柄であり、「特図Ｂ」は１５Ｒ大当たり図柄である。本実施形態のパチンコ機１００では、後述するように、特図変動遊技における大当りか否かの決定はハードウェア乱数の抽選によって行い、特別大当りか否かの決定はソフトウェア乱数の抽選によって行う。大当りと特別大当りの違いは、次回の特図変動遊技で、大当りに当選する確率が高い（特別大当り）か、低い（大当り）かの違いである。以下、この大当りに当選する確率が高い状態のことを特図高確率状態と称し、その確率が低い状態のことを特図低確率状態と称する。また、１５Ｒ特別大当たり遊技終了後および１５Ｒ大当たり遊技終了後はいずれも時短状態に移行する。時短については詳しくは後述するが、時短状態に移行する状態のことを普図高確率状態と称し、時短状態に移行しない状態のことを普図低確率状態と称する。１５Ｒ特別大当たり図柄である「特図Ａ」は、特図高確率普図高確率状態であり、１５Ｒ大当たり図柄である「特図Ｂ」は、特図低確率普図高確率状態である。これらの「特図Ａ」および「特図Ｂ」は、遊技者に付与する利益量が相対的に大きな利益量になる図柄である。
【００７５】
「特図Ｃ」は突然確変と称される２Ｒ大当たり図柄であり、特図高確率普図高確率状態である。すなわち、１５Ｒである「特図Ａ」と比べて、「特図Ｃ」は２Ｒである点が異なる。「特図Ｄ」は突然時短と称される２Ｒ大当たり図柄であり、特図低確率普図高確率状態である。すなわち、１５Ｒである「特図Ｂ」と比べて、「特図Ｄ」は２Ｒである点が異なる。
【００７６】
「特図Ｅ」は隠れ確変と称される２Ｒ大当たり図柄であり、特図高確率普図低確率状態である。「特図Ｆ」は突然通常と称される２Ｒ大当たり図柄であり、特図低確率普図低確率状態である。これら「特図Ｅ」および「特図Ｆ」はいずれも、２Ｒであるとともに、時短状態に移行しない状態である。
【００７７】
「特図Ｇ」は第１小当たり図柄であり、「特図Ｈ」は第２小当たり図柄であり、何れも特図低確率普図低確率状態である。ここにいう小当たりは、２Ｒ時短無し大当たりと同じものに相当する。すなわち、この「特図Ｇ」、「特図Ｈ」は「特図Ｆ」と同じ状態であるが、両者では装飾図柄表示装置２０８に表示される演出が異なり、あえて、同じ状態でも「特図Ｇ」、「特図Ｈ」と「特図Ｆ」を設けておくことで、遊技の興趣を高めている。
【００７８】
また、「特図Ｉ」は第１はずれ図柄であり、「特図Ｊ」は第２はずれ図柄であり、遊技者に付与する利益量が相対的に小さな利益量になる図柄である。
【００７９】
なお、本実施形態のパチンコ機１００には、１５Ｒ特別大当たり図柄として「特図Ａ」以外の図柄も用意されており、１５Ｒ大当たり図柄等の他の図柄についても同様である。
【００８０】
図５（ｂ）は装飾図柄の一例を示したものである。本実施形態の装飾図柄には、「装飾１」〜「装飾１０」の１０種類がある。第１特図始動口２３０または第２特図始動口２３２に球が入賞したこと、すなわち、第１特図始動口２３０に球が入球したことを第１始動口センサが検出したこと、あるいは第２特図始動口２３２に球が入球したことを第２始動口センサが検出したことを条件にして、装飾図柄表示装置２０８の左図柄表示領域２０８ａ、中図柄表示領域２０８ｂ、右図柄表示領域２０８ｃの各図柄表示領域に、「装飾１」→「装飾２」→「装飾３」→・・・・「装飾９」→「装飾１０」→「装飾１」→・・・の順番で表示を切り替える「装飾図柄の変動表示」を行う。
【００８１】
そして、「特図Ｂ」の１５Ｒ大当たりを報知する場合には、図柄表示領域２０８ａ〜２０８ｃに１５Ｒ大当たりに対応する、同じ装飾図柄が３つ並んだ図柄組合せ（例えば「装飾１−装飾１−装飾１」や「装飾２−装飾２−装飾２」等）を停止表示する。「特図Ａ」の１５Ｒ特別大当たりを報知する場合には、同じ奇数の装飾図柄が３つ並んだ図柄組合せ（例えば「装飾３−装飾３−装飾３」や「装飾７−装飾７−装飾７」等）を停止表示する。
【００８２】
また、「特図Ｅ」の隠れ確変と称される２Ｒ大当たり、「特図Ｆ」の突然通常と称される２Ｒ大当たり、あるいは「特図Ｇ」の第１小当たり、「特図Ｈ」の第２小当たりを報知する場合には、「装飾１−装飾２−装飾３」を停止表示する。さらに、「特図Ｃ」の突然確変と称される２Ｒ大当たり、あるいは「特図Ｄ」の突然時短と称される２Ｒ大当たりを報知する場合には、「装飾１−装飾３−装飾５」を停止表示する。
【００８３】
一方、「特図Ｉ」の第１はずれ、「特図Ｊ」の第２はずれを報知する場合には、図柄表示領域２０８ａ〜２０８ｃに図５（ｂ）に示す図柄組合せ以外の図柄組合せを停止表示する。
【００８４】
図５（ｃ）は普図の停止表示図柄の一例を示したものである。本実施形態の普図の停止表示態様には、当たり図柄である「普図Ａ」と、外れ図柄である「普図Ｂ」の２種類がある。普図始動口２２８を球が通過したことを上述のゲートセンサが検出したことに基づいて、普通図柄表示装置２１０は、７個のセグメントの全点灯と、中央の１個のセグメントの点灯を繰り返す「普図の変動表示」を行う。そして、普図変動遊技の当選を報知する場合には「普図Ａ」を停止表示し、普図変動遊技の外れを報知する場合には「普図Ｂ」を停止表示する。この図５（ｃ）においても、図中の白抜きの部分が消灯するセグメントの場所を示し、黒塗りの部分が点灯するセグメントの場所を示している。
【００８５】
＜主制御部メイン処理＞
次に、図６を用いて、主制御部３００のＣＰＵ３０４が実行する主制御部メイン処理について説明する。なお、同図は主制御部メイン処理の流れを示すフローチャートである。
【００８６】
上述したように、主制御部３００には、電源が投入されると起動信号（リセット信号）を出力する起動信号出力回路（リセット信号出力回路）３４０を設けている。この起動信号を入力した基本回路３０２のＣＰＵ３０４は、リセット割込によりリセットスタートしてＲＯＭ３０６に予め記憶している制御プログラムに従って図６に示す主制御部メイン処理を実行する。
【００８７】
ステップ１００１では、初期設定１を行う。この初期設定１では、ＣＰＵ３０４のスタックポインタ（ＳＰ）へのスタック初期値の設定（仮設定）、割込マスクの設定、Ｉ／Ｏ３１０の初期設定、ＲＡＭ３０８に記憶する各種変数の初期設定、ＷＤＴ３１４への動作許可及び初期値の設定等を行う。なお、本実施形態では、ＷＤＴ３１４に、初期値として３２．８ｍｓに相当する数値を設定する。
【００８８】
ステップ１００３では、ＷＤＴ３１４のカウンタの値をクリアし、ＷＤＴ３１４による時間計測を再始動する。
【００８９】
ステップ１００５では、低電圧信号がオンであるか否か、すなわち、電圧監視回路３３８が、電源管理部６６０から主制御部３００に供給している電源の電圧値が所定の値（本実施形態では９ｖ）未満である場合に電圧が低下したことを示す低電圧信号を出力しているか否かを監視する。そして、低電圧信号がオンの場合（ＣＰＵ３０４が電源の遮断を検知した場合）にはステップ１００３に戻り、低電圧信号がオフの場合（ＣＰＵ３０４が電源の遮断を検知していない場合）にはステップ１００７に進む。なお、電源が投入された直後で未だ上記所定の値（９Ｖ）に達しない場合にもステップ１００３に戻り、供給電圧がその所定の値以上になるまで、ステップ１００５は繰り返し実行される。
【００９０】
ステップ１００７では、初期設定２を行う。この初期設定２では、後述する主制御部タイマ割込処理を定期毎に実行するための周期を決める数値をカウンタタイマ３１２に設定する処理、Ｉ／Ｏ３１０の所定のポート（例えば試験用出力ポート、第１副制御部４００への出力ポート）からクリア信号を出力する処理、ＲＡＭ３０８への書き込みを許可する設定等を行う。
【００９１】
ステップ１００９では、電源の遮断前（電断前）の状態に復帰するか否かの判定を行い、電断前の状態に復帰しない場合（主制御部３００の基本回路３０２を初期状態にする場合）には初期化処理（ステップ１０１３）に進む。
【００９２】
具体的には、最初に、電源基板に設けたＲＡＭクリアスイッチ１８０を遊技店の店員などが操作した場合に送信されるＲＡＭクリア信号がオン（操作があったことを示す）であるか否か、すなわちＲＡＭクリアが必要であるか否かを判定し、ＲＡＭクリア信号がオンの場合（ＲＡＭクリアが必要な場合）には、基本回路３０２を初期状態にすべくステップ１０１３に進む。一方、ＲＡＭクリア信号がオフの場合（ＲＡＭクリアが必要でない場合）には、ＲＡＭ３０８に設けた電源ステータス記憶領域に記憶した電源ステータスの情報を読み出し、この電源ステータスの情報がサスペンドを示す情報であるか否かを判定する。そして、電源ステータスの情報がサスペンドを示す情報でない場合には、基本回路３０２を初期状態にすべくステップ１０１３に進み、電源ステータスの情報がサスペンドを示す情報である場合には、ＲＡＭ３０８の所定の領域（例えば全ての領域）に記憶している１バイトデータを初期値が０である１バイト構成のレジスタに全て加算することによりチェックサムを算出し、算出したチェックサムの結果が特定の値（例えば０）であるか否か（チェックサムの結果が正常であるか否か）を判定する。そして、チェックサムの結果が特定の値（例えば０）の場合（チェックサムの結果が正常である場合）には電断前の状態に復帰すべくステップ１０１１に進み、チェックサムの結果が特定の値（例えば０）以外である場合（チェックサムの結果が異常である場合）には、パチンコ機１００を初期状態にすべくステップ１０１３に進む。同様に電源ステータスの情報が「サスペンド」以外の情報を示している場合にもステップ１０１３に進む。
【００９３】
ステップ１０１１では、復電時処理を行う。この復電時処理では、電断時にＲＡＭ３０８に設けられたスタックポインタ退避領域に記憶しておいたスタックポインタの値を読み出し、スタックポインタに再設定（本設定）する。また、電断時にＲＡＭ３０８に設けられたレジスタ退避領域に記憶しておいた各レジスタの値を読み出し、各レジスタに再設定した後、割込許可の設定を行う。以降、ＣＰＵ３０４が、再設定後のスタックポインタやレジスタに基づいて制御プログラムを実行する結果、パチンコ機１００は電源断時の状態に復帰する。すなわち、電断直前にタイマ割込処理（後述）に分岐する直前に行った（ステップ１０１５内の所定の）命令の次の命令から処理を再開する。また、図４に示す主制御部３００における基本回路３０２に搭載されているＲＡＭ３０８には、送信情報記憶領域が設けられている。このステップ１０１１では、その送信情報記憶領域に、復電コマンドをセットする。この復電コマンドは、電源断時の状態に復帰したことを表すコマンドであり、後述する、主制御部３００のタイマ割込処理におけるステップ２０３３において、第１副制御部４００へ送信される。
【００９４】
ステップ１０１３では、初期化処理を行う。この初期化処理では、割込禁止の設定、スタックポインタへのスタック初期値の設定（本設定）、ＲＡＭ３０８の全ての記憶領域の初期化などを行う。さらにここで、主制御部３００のＲＡＭ３０８に設けられた送信情報記憶領域に正常復帰コマンドをセットする。この正常復帰コマンドは、主制御部３００の初期化処理（ステップ１０１３）が行われたことを表すコマンドであり、復電コマンドと同じく、主制御部３００のタイマ割込処理におけるステップ２０３３において、第１副制御部４００へ送信される。
【００９５】
ステップ１０１５では、割込禁止の設定を行った後、基本乱数初期値更新処理を行う。この基本乱数初期値更新処理では、普図当選乱数カウンタ、および特図乱数値カウンタの初期値をそれぞれ生成するための２つの初期値生成用乱数カウンタと、普図タイマ乱数値、および特図タイマ乱数値それぞれを生成するための２つの乱数カウンタを更新する。例えば、普図タイマ乱数値として取り得る数値範囲が０〜１００とすると、ＲＡＭ３０８に設けた普図タイマ乱数値を生成するための乱数カウンタ記憶領域から値を取得し、取得した値に１を加算してから元の乱数カウンタ記憶領域に記憶する。このとき、取得した値に１を加算した結果が１０１であれば０を元の乱数カウンタ記憶領域に記憶する。他の初期値生成用乱数カウンタ、乱数カウンタもそれぞれ同様に更新する。なお、初期値生成用乱数カウンタは、後述するステップ２００７でも更新する。
【００９６】
主制御部３００は、所定の周期ごとに開始するタイマ割込処理を行っている間を除いて、ステップ１０１５の処理を繰り返し実行する。
【００９７】
＜主制御部タイマ割込処理＞
次に、図７を用いて、主制御部３００のＣＰＵ３０４が実行する主制御部タイマ割込処理について説明する。なお、同図は主制御部タイマ割込処理の流れを示すフローチャートである。
【００９８】
主制御部３００は、所定の周期（本実施形態では約２ｍｓに１回）でタイマ割込信号を発生するカウンタタイマ３１２を備えており、このタイマ割込信号を契機として主制御部タイマ割込処理を所定の周期で開始する。
【００９９】
ステップ２００１では、タイマ割込開始処理を行う。このタイマ割込開始処理では、ＣＰＵ３０４の各レジスタの値をスタック領域に一時的に退避する処理などを行う。
【０１００】
ステップ２００３では、ＷＤＴ３１４のカウント値が初期設定値（本実施形態では３２．８ｍｓ）を超えてＷＤＴ割込が発生しないように（処理の異常を検出しないように）、ＷＤＴを定期的に（本実施形態では、主制御部タイマ割込の周期である約２ｍｓに１回）リスタートを行う。
【０１０１】
ステップ２００５では、入力ポート状態更新処理を行う。この入力ポート状態更新処理では、Ｉ／Ｏ３１０の入力ポートを介して、上述の前面枠扉開放センサや内枠開放センサや下皿満タンセンサ、各種の球検出センサを含む各種センサ３２０の検出信号を入力して検出信号の有無を監視し、ＲＡＭ３０８に各種センサ３２０ごとに区画して設けた信号状態記憶領域に記憶する。球検出センサの検出信号を例にして説明すれば、前々回のタイマ割込処理（約４ｍｓ前）で検出した各々の球検出センサの検出信号の有無の情報を、ＲＡＭ３０８に各々の球検出センサごとに区画して設けた前回検出信号記憶領域から読み出し、この情報をＲＡＭ３０８に各々の球検出センサごとに区画して設けた前々回検出信号記憶領域に記憶し、前回のタイマ割込処理（約２ｍｓ前）で検出した各々の球検出センサの検出信号の有無の情報を、ＲＡＭ３０８に各々の球検出センサごとに区画して設けた今回検出信号記憶領域から読み出し、この情報を上述の前回検出信号記憶領域に記憶する。また、今回検出した各々の球検出センサの検出信号を、上述の今回検出信号記憶領域に記憶する。
【０１０２】
また、ステップ２００５では、上述の前々回検出信号記憶領域、前回検出信号記憶領域、および今回検出信号記領域の各記憶領域に記憶した各々の球検出センサの検出信号の有無の情報を比較し、各々の球検出センサにおける過去３回分の検出信号の有無の情報が入賞判定パターン情報と一致するか否かを判定する。一個の遊技球が一つの球検出センサを通過する間に、約２ｍｓという非常に短い間隔で起動を繰り返すこの主制御部タイマ割込処理は何回か起動する。このため、主制御部タイマ割込処理が起動する度に、上述のステップ２００５では、同じ遊技球が同じ球検出センサを通過したことを表す検出信号を確認することになる。この結果、上述の前々回検出信号記憶領域、前回検出信号記憶領域、および今回検出信号記領域それぞれに、同じ遊技球が同じ球検出センサを通過したことを表す検出信号が記憶される。すなわち、遊技球が球検出センサを通過し始めたときには、前々回検出信号無し、前回検出信号有り、今回検出信号有りになる。本実施形態では、球検出センサの誤検出やノイズを考慮して、検出信号無しの後に検出信号が連続して２回記憶されている場合には、入賞があったと判定する。図４に示す主制御部３００のＲＯＭ３０６には、入賞判定パターン情報（本実施形態では、前々回検出信号無し、前回検出信号有り、今回検出信号有りであることを示す情報）が記憶されている。このステップ２００５では、各々の球検出センサにおいて過去３回分の検出信号の有無の情報が、予め定めた入賞判定パターン情報（本実施形態では、前々回検出信号無し、前回検出信号有り、今回検出信号有りであることを示す情報）と一致した場合に、一般入賞口２２６、可変入賞口２３４、第１特図始動口２３０、および第２特図始動口２３２への入球、または普図始動口２２８の通過があったと判定する。すなわち、これらの入賞口２２６、２３４やこれらの始動口２３０、２３２、２２８への入賞があったと判定する。例えば、一般入賞口２２６への入球を検出する一般入賞口センサにおいて過去３回分の検出信号の有無の情報が上述の入賞判定パターン情報と一致した場合には、一般入賞口２２６へ入賞があったと判定し、以降の一般入賞口２２６への入賞に伴う処理を行うが、過去３回分の検出信号の有無の情報が上述の入賞判定パターン情報と一致しなかった場合には、以降の一般入賞口２２６への入賞に伴う処理を行わずに後続の処理に分岐する。なお、主制御部３００のＲＯＭ３０６には、入賞判定クリアパターン情報（本実施形態では、前々回検出信号有り、前回検出信号無し、今回検出信号無しであることを示す情報）が記憶されている。入賞が一度あったと判定した後は、各々の球検出センサにおいて過去３回分の検出信号の有無の情報が、その入賞判定クリアパターン情報に一致するまで入賞があったとは判定せず、入賞判定クリアパターン情報に一致すれば、次からは上記入賞判定パターン情報に一致するか否かの判定を行う。
【０１０３】
ステップ２００７およびステップ２００９では、基本乱数初期値更新処理および基本乱数更新処理を行う。これらの基本乱数初期値更新処理および基本乱数更新処理では、上記ステップ１０１５で行った初期値生成用乱数カウンタの値の更新を行い、次に主制御部３００で使用する、普図当選乱数値、特図１乱数値、および特図２乱数値をそれぞれ生成するための２つの乱数カウンタを更新する。例えば、普図当選乱数値として取り得る数値範囲が０〜１００とすると、ＲＡＭ３０８に設けた普図当選乱数値を生成するための乱数カウンタ記憶領域から値を取得し、取得した値に１を加算してから元の乱数カウンタ記憶領域に記憶する。このとき、取得した値に１を加算した結果が１０１であれば０を元の乱数カウンタ記憶領域に記憶する。また、取得した値に１を加算した結果、乱数カウンタが一周していると判定した場合にはそれぞれの乱数カウンタに対応する初期値生成用乱数カウンタの値を取得し、乱数カウンタの記憶領域にセットする。例えば、０〜１００の数値範囲で変動する普図当選乱数値生成用の乱数カウンタから値を取得し、取得した値に１を加算した結果が、ＲＡＭ３０８に設けた所定の初期値記憶領域に記憶している前回設定した初期値と等しい値（例えば７）である場合に、普図当選乱数値生成用の乱数カウンタに対応する初期値生成用乱数カウンタから値を初期値として取得し、普図当選乱数値生成用の乱数カウンタにセットすると共に、普図当選乱数値生成用の乱数カウンタが次に１周したことを判定するために、今回設定した初期値を上述の初期値記憶領域に記憶しておく。また、普図当選乱数値生成用の乱数カウンタが次に１周したことを判定するための上述の初期値記憶領域とは別に、特図乱数生成用の乱数カウンタが１周したことを判定するための初期値記憶領域をＲＡＭ３０８に設けている。なお、本実施形態では特図１の乱数値を取得するためのカウンタと特図２の乱数値を取得するためのカウンタとを別に設けたが、同一のカウンタを用いてもよい。
【０１０４】
ステップ２０１１では、演出乱数更新処理を行う。この演出乱数更新処理では、主制御部３００で使用する演出用乱数値を生成するための乱数カウンタを更新する。
【０１０５】
ステップ２０１３では、タイマ更新処理を行う。このタイマ更新処理では、普通図柄表示装置２１０に図柄を変動・停止表示する時間を計時するための普図表示図柄更新タイマ、第１特別図柄表示装置２１２に図柄を変動・停止表示する時間を計時するための特図１表示図柄更新タイマ、第２特図表示装置２１４に図柄を変動・停止表示する時間を計時するための特図２表示図柄更新タイマ、所定の入賞演出時間、所定の開放時間、所定の閉鎖時間、所定の終了演出期間などを計時するためのタイマなどを含む各種タイマを更新する。
【０１０６】
ステップ２０１５では、入賞口カウンタ更新処理を行う。この入賞口カウンタ更新処理では、入賞口２２６、２３４や始動口２３０、２３２、２２８に入賞があった場合に、ＲＡＭ３０８に各入賞口ごと、あるいは各始動口ごとに設けた賞球数記憶領域の値を読み出し、１を加算して、元の賞球数記憶領域に設定する。
【０１０７】
また、ステップ２０１７では、入賞受付処理を行う。この入賞受付処理では、第１特図始動口２３０、第２特図始動口２３２、普図始動口２２８および可変入賞口２３４への入賞があったか否かを判定する。ここでは、ステップ２００３における入賞判定パターン情報と一致するか否かの判定結果を用いて判定する。第１特図始動口２３０へ入賞があった場合且つＲＡＭ３０８に設けた対応する保留数記憶領域が満タンでない場合、カウンタ回路３１８の当選用カウンタ値記憶用レジスタから値を特図１当選乱数値として取得するとともに特図１乱数値生成用の乱数カウンタから値を特図１乱数値として取得して対応する乱数値記憶領域に格納する。第２特図始動口２３２へ入賞があった場合且つＲＡＭ３０８に設けた対応する保留数記憶領域が満タンでない場合、カウンタ回路３１８の当選用カウンタ値記憶用レジスタから値を特図２当選乱数値として取得するとともに特図２乱数値生成用の乱数カウンタから値を特図２乱数値として取得して対応する乱数値記憶領域に格納する。普図始動口２２８へ入賞があった場合且つＲＡＭ３０８に設けた対応する保留数記憶領域が満タンでない場合、普図当選乱数値生成用の乱数カウンタから値を普図当選乱数値として取得して対応する乱数値記憶領域に格納する。可変入賞口２３４へ入賞があった場合には、可変入賞口用の入賞記憶領域に、可変入賞口２３４に球が入球したことを示す情報を格納する。
【０１０８】
ステップ２０１９では、払出要求数送信処理を行う。なお、払出制御部６００に出力する出力予定情報および払出要求情報は、例えば１バイトで構成しており、ビット７にストローブ情報（オンの場合、データをセットしていることを示す）、ビット６に電源投入情報（オンの場合、電源投入後一回目のコマンド送信であることを示す）、ビット４〜５に暗号化のための今回加工種別（０〜３）、およびビット０〜３に暗号化加工後の払出要求数を示すようにしている。
【０１０９】
ステップ２０２１では、普図状態更新処理を行う。この普図状態更新処理は、普図の状態に対応する複数の処理のうちの１つの処理を行う。例えば、普図変動表示の途中（上述する普図表示図柄更新タイマの値が１以上）における普図状態更新処理では、普通図柄表示装置２１０を構成する７セグメントＬＥＤの点灯と消灯を繰り返す点灯・消灯駆動制御を行う。この制御を行うことで、普通図柄表示装置２１０は普図の変動表示（普図変動遊技）を行う。
【０１１０】
また、普図変動表示時間が経過したタイミング（普図表示図柄更新タイマの値が１から０になったタイミング）における普図状態更新処理では、当りフラグがオンの場合には、当たり図柄の表示態様となるように普通図柄表示装置２１０を構成する７セグメントＬＥＤの点灯・消灯駆動制御を行い、当りフラグがオフの場合には、外れ図柄の表示態様となるように普通図柄表示装置２１０を構成する７セグメントＬＥＤの点灯・消灯駆動制御を行う。また、主制御部３００のＲＡＭ３０８には、普図状態更新処理に限らず各種の処理において各種の設定を行う設定領域が用意されている。ここでは、上記点灯・消灯駆動制御を行うとともに、その設定領域に普図停止表示中であることを示す設定を行う。この制御を行うことで、普通図柄表示装置２１０は、当り図柄（図５（ｃ）に示す普図Ａ）および外れ図柄（図５（ｃ）に示す普図Ｂ）いずれか一方の図柄の確定表示を行う。さらにその後、所定の停止表示期間（例えば５００ｍｓ間）、その表示を維持するためにＲＡＭ３０８に設けた普図停止時間管理用タイマの記憶領域に停止期間を示す情報を設定する。この設定により、確定表示された図柄が所定期間停止表示され、普図変動遊技の結果が遊技者に報知される。
【０１１１】
また、普図変動遊技の結果が当りであれば、後述するように、普図当りフラグがオンされる。この普図当りフラグがオンの場合には、所定の停止表示期間が終了したタイミング（普図停止時間管理用タイマの値が１から０になったタイミング）における普図状態更新処理では、ＲＡＭ３０８の設定領域に普図作動中を設定するとともに、所定の開放期間（例えば２秒間）、第２特図始動口２３２の羽根部材２３２ａの開閉駆動用のソレノイド３３２に、羽根部材２３２ａを開放状態に保持する信号を出力するとともに、ＲＡＭ３０８に設けた羽根開放時間管理用タイマの記憶領域に開放期間を示す情報を設定する。
【０１１２】
また、所定の開放期間が終了したタイミング（羽根開放時間管理用タイマの値が１から０になったタイミング）で開始する普図状態更新処理では、所定の閉鎖期間（例えば５００ｍｓ間）、羽根部材の開閉駆動用のソレノイド３３２に、羽根部材を閉鎖状態に保持する信号を出力するとともに、ＲＡＭ３０８に設けた羽根閉鎖時間管理用タイマの記憶領域に閉鎖期間を示す情報を設定する。
【０１１３】
また、所定の閉鎖期間が終了したタイミング（羽根閉鎖時間管理用タイマの値が１から０になったタイミング）で開始する普図状態更新処理では、ＲＡＭ３０８の設定領域に普図非作動中を設定する。さらに、普図変動遊技の結果が外れであれば、後述するように、普図外れフラグがオンされる。この普図外れフラグがオンの場合には、上述した所定の停止表示期間が終了したタイミング（普図停止時間管理用タイマの値が１から０になったタイミング）における普図状態更新処理でも、ＲＡＭ３０８の設定領域に普図非作動中を設定する。普図非作動中の場合における普図状態更新処理では、何もせずに次のステップ２０２３に移行するようにしている。
【０１１４】
ステップ２０２３では、普図関連抽選処理を行う。この普図関連抽選処理では、普図変動遊技および第２特図始動口２３２の開閉制御を行っておらず（普図の状態が非作動中）、且つ、保留している普図変動遊技の数が１以上である場合に、上述の乱数値記憶領域に記憶している普図当選乱数値に基づいた乱数抽選により普図変動遊技の結果を当選とするか、不当選とするかを決定する当り判定をおこない、当選とする場合にはＲＡＭ３０８に設けた当りフラグにオンを設定する。不当選の場合には、当りフラグにオフを設定する。また、当り判定の結果に関わらず、次に上述の普図タイマ乱数値生成用の乱数カウンタの値を普図タイマ乱数値として取得し、取得した普図タイマ乱数値に基づいて複数の変動時間のうちから普図表示装置２１０に普図を変動表示する時間を１つ選択し、この変動表示時間を、普図変動表示時間として、ＲＡＭ３０８に設けた普図変動時間記憶領域に記憶する。なお、保留している普図変動遊技の数は、ＲＡＭ３０８に設けた普図保留数記憶領域に記憶するようにしており、当り判定をするたびに、保留している普図変動遊技の数から１を減算した値を、この普図保留数記憶領域に記憶し直すようにしている。また当り判定に使用した乱数値を消去する。
【０１１５】
次いで、特図１および特図２それぞれについての特図状態更新処理を行うが、最初に、特図２についての特図状態更新処理（特図２状態更新処理）を行う（ステップ２０２５）。この特図２状態更新処理は、特図２の状態に応じて、次の８つの処理のうちの１つの処理を行う。例えば、特図２変動表示の途中（上述の特図２表示図柄更新タイマの値が１以上）における特図２状態更新処理では、第２特別図柄表示装置２１４を構成する７セグメントＬＥＤの点灯と消灯を繰り返す点灯・消灯駆動制御を行う。この制御を行うことで、第２特別図柄表示装置２１４は特図２の変動表示（特図２変動遊技）を行う。
【０１１６】
また、コマンド設定送信処理（後述のステップ２０３３）で回転開始設定送信処理を実行させることを示す所定の送信情報を上述の送信情報記憶領域に追加記憶してから処理を終了する。
【０１１７】
また、主制御部３００のＲＡＭ３０８には、１５Ｒ大当りフラグ、２Ｒ大当たりフラグ、第１小当たりフラグ、第２小当たりフラグ、第１はずれフラグ、第２はずれフラグ、特図確率変動フラグ、および普図確率変動フラグそれぞれのフラグが用意されている。特図２変動表示時間が経過したタイミング（特図２表示図柄更新タイマの値が１から０になったタイミング）で開始する特図２状態更新処理では、１５Ｒ大当りフラグはオン、特図確率変動フラグもオン、普図確率変動フラグもオンの場合には図５（ａ）に示す特図Ａ、１５Ｒ大当りフラグはオン、特図確率変動フラグはオフ、普図確率変動フラグはオンの場合には特図Ｂ、２Ｒ大当りフラグはオン、特図確率変動フラグもオン、普図確率変動フラグもオンの場合には特図Ｃ、２Ｒ大当りフラグはオン、特図確率変動フラグはオフ、普図確率変動フラグはオンの場合には特図Ｄ、２Ｒ大当りフラグはオン、特図確率変動フラグもオン、普図確率変動フラグはオンの場合には特図Ｅ、２Ｒ大当りフラグはオン、特図確率変動フラグはオフ、普図確率変動フラグもオフの場合には特図Ｆ、第１小当たりフラグがオンの場合には特図Ｇ、第２小当たりフラグがオンの場合には特図Ｈ、第１はずれフラグがオンの場合には特図Ｉ、第２はずれフラグがオンの場合には特図Ｊそれぞれの態様となるように、第２特別図柄表示装置２１４を構成する７セグメントＬＥＤの点灯・消灯駆動制御を行い、ＲＡＭ３０８の設定領域に特図２停止表示中であることを表す設定を行う。この制御を行うことで、第２特別図柄表示装置２１４は、１５Ｒ特別大当たり図柄（特図Ａ）、１５Ｒ大当たり図柄（特図Ｂ）、突然確変図柄（特図Ｃ）、突然時短図柄（特図Ｄ）、隠れ確変図柄（特図Ｅ）、突然通常図柄（特図Ｆ）、第１小当たり図柄（特図Ｇ）、第２小当たり図柄（特図Ｈ）、第１はずれ図柄（特図Ｉ）、および第２はずれ図柄（特図Ｊ）のいずれか一つの図柄の確定表示を行う。さらにその後、所定の停止表示期間（例えば５００ｍｓ間）その表示を維持するためにＲＡＭ３０８に設けた特図２停止時間管理用タイマの記憶領域に停止期間を示す情報を設定する。この設定により、確定表示された特図２が所定期間停止表示され、特図２変動遊技の結果が遊技者に報知される。また、ＲＡＭ３０８に設けられた時短回数記憶部に記憶された時短回数が１以上であれば、その時短回数から１を減算し、減算結果が１から０となった場合は、特図確率変動中（詳細は後述）でなければ、時短フラグをオフする。さらに、大当り遊技中（特別遊技状態中）にも、時短フラグをオフする。
【０１１８】
また、コマンド設定送信処理（後述のステップ２０３３）で回転停止設定送信処理を実行させることを示す所定の送信情報を上述の送信情報記憶領域に追加記憶するとともに、変動表示を停止する図柄が特図２であることを示す特図２識別情報を、後述するコマンドデータに含める情報としてＲＡＭ３０８に追加記憶してから処理を終了する。
【０１１９】
また、特図２変動遊技の結果が大当りであれば、後述するように、大当りフラグがオンされる。この大当りフラグがオンの場合には、所定の停止表示期間が終了したタイミング（特図２停止時間管理用タイマの値が１から０になったタイミング）における特図２状態更新処理では、ＲＡＭ３０８の設定領域に特図２作動中を設定するとともに、所定の入賞演出期間（例えば３秒間）すなわち装飾図柄表示装置２０８による大当りを開始することを遊技者に報知する画像を表示している期間待機するためにＲＡＭ３０８に設けた特図２待機時間管理用タイマの記憶領域に入賞演出期間を示す情報を設定する。また、コマンド設定送信処理（後述のステップ２０３３）で入賞演出設定送信処理を実行させることを示す所定の送信情報を上述の送信情報記憶領域に追加記憶する。
【０１２０】
また、所定の入賞演出期間が終了したタイミング（特図２待機時間管理用タイマの値が１から０になったタイミング）で開始する特図２状態更新処理では、所定の開放期間（例えば２９秒間、または可変入賞口２３４に所定球数（例えば１０球）の遊技球の入賞を検出するまで）可変入賞口２３４の扉部材２３４ａの開閉駆動用のソレノイド３３２に、扉部材２３４ａを開放状態に保持する信号を出力するとともに、ＲＡＭ３０８に設けた扉開放時間管理用タイマの記憶領域に開放期間を示す情報を設定する。また、コマンド設定送信処理（後述のステップ２０３３）で大入賞口開放設定送信処理を実行させることを示す所定の送信情報を上述の送信情報記憶領域に追加記憶する。
【０１２１】
また、所定の開放期間が終了したタイミング（扉開放時間管理用タイマの値が１から０になったタイミング）で開始する特図２状態更新処理では、所定の閉鎖期間（例えば１．５秒間）可変入賞口２３４の扉部材２３４ａの開閉駆動用のソレノイド３３２に、扉部材２３４ａを閉鎖状態に保持する信号を出力するとともに、ＲＡＭ３０８に設けた扉閉鎖時間管理用タイマの記憶領域に閉鎖期間を示す情報を設定する。また、コマンド設定送信処理（後述のステップ２０３３）で大入賞口閉鎖設定送信処理を実行させることを示す所定の送信情報を上述の送信情報記憶領域に追加記憶する。
【０１２２】
また、この扉部材の開放・閉鎖制御を所定回数（本実施例では１５ラウンドか２ラウンド）繰り返し、終了したタイミングで開始する特図２状態更新処理では、所定の終了演出期間（例えば３秒間）すなわち装飾図柄表示装置２０８による大当りを終了することを遊技者に報知する画像を表示している期間待機するように設定するためにＲＡＭ３０８に設けた演出待機時間管理用タイマの記憶領域に演出待機期間を示す情報を設定する。また、普図確率変動フラグがオンに設定されていれば、この大当たり遊技の終了と同時に、ＲＡＭ３０８に設けられた時短回数記憶部に時短回数１００回をセットするともに、ＲＡＭ３０８に設けられた時短フラグをオンする。なお、その普図確率変動フラグがオフに設定されていれば、時短回数記憶部に時短回数をセットすることもなく、また時短フラグをオンすることもない。ここにいう時短とは、特図変動遊技における大当りを終了してから、次の大当りを開始するまでの時間を短くするため、パチンコ機が遊技者にとって有利な状態になることをいう。この時短フラグがオンに設定されていると、普図高確率状態である。普図高確率状態では普図低確率状態に比べて、普図変動遊技に大当りする可能性が高い。また、普図高確率状態の方が、普図低確率状態に比べて普図変動遊技の変動時間および特図変動遊技の変動時間は短くなる。さらに、普図高確率状態では普図低確率状態に比べて、第２特図始動口２３２の一対の羽根部材２３２ａの１回の開放における開放時間が長くなりやすい。加えて、普図高確率状態では普図低確率状態に比べて、一対の羽根部材２３２ａは多く開きやすい。また、上述のごとく、時短フラグは、大当り遊技中（特別遊技状態中）にはオフに設定される。したがって、大当たり遊技中には、普図低確率状態が維持される。これは、大当たり遊技中に普図高確率状態であると、大当たり遊技中に可変入賞口２３４に所定の個数、遊技球が入球するまでの間に第２特図始動口２３２に多くの遊技球が入球し、大当たり中に獲得することができる遊技球の数が多くなってしまい射幸性が高まってしまうという問題があり、これを解決するためのものである。
【０１２３】
さらに、コマンド設定送信処理（後述のステップ２０３３）で終了演出設定送信処理を実行させることを示す所定の送信情報を上述の送信情報記憶領域に追加記憶する。
【０１２４】
また、所定の終了演出期間が終了したタイミング（演出待機時間管理用タイマの値が１から０になったタイミング）で開始する特図２状態更新処理では、ＲＡＭ３０８の設定領域に特図２非作動中を設定する。さらに、特図２変動遊技の結果が外れであれば、後述するように、はずれフラグがオンされる。このはずれフラグがオンの場合には、上述した所定の停止表示期間が終了したタイミング（特図２停止時間管理用タイマの値が１から０になったタイミング）における特図２状態更新処理でも、ＲＡＭ３０８の設定領域に特図２非作動中を設定する。特図２非作動中の場合における特図２状態更新処理では、何もせずに次のステップ２０２７に移行するようにしている。
【０１２５】
続いて、特図１についての特図状態更新処理（特図１状態更新処理）を行う（ステップ２０２７）。この特図１状態更新処理では、特図１の状態に応じて、上述の特図２状態更新処理で説明した各処理を行う。この特図１状態更新処理で行う各処理は、上述の特図２状態更新処理で説明した内容の「特図２」を「特図１」と読み替えた処理と同一であるため、その説明は省略する。なお、特図２状態更新処理と特図１状態更新処理の順番は逆でもよい。
【０１２６】
ステップ２０２５およびステップ２０２７における特図状態更新処理が終了すると、今度は、特図１および特図２それぞれについての特図関連抽選処理を行う。ここでも先に、特図２についての特図関連抽選処理（特図２関連抽選処理）を行い（ステップ２０２９）、その後で、特図１についての特図関連抽選処理（特図１関連抽選処理）を行う（ステップ２０３１）。これらの特図関連抽選処理についても、主制御部３００が特図２関連抽選処理を特図１関連抽選処理よりも先に行うことで、特図２変動遊技の開始条件と、特図１変動遊技の開始条件が同時に成立した場合でも、特図２変動遊技が先に変動中となるため、特図１変動遊技は変動を開始しない。また、装飾図柄表示装置２０８による、特図変動遊技の大当り判定の結果の報知は、第１副制御部４００によって行われ、第２特図始動口２３２への入賞に基づく抽選の抽選結果の報知が、第１特図始動口２３０への入賞に基づく抽選の抽選結果の報知よりも優先して行われる。
【０１２７】
ステップ２０３３では、コマンド設定送信処理を行い、各種のコマンドが第１副制御部４００に送信される。なお、第１副制御部４００に送信する出力予定情報は例えば１６ビットで構成しており、ビット１５はストローブ情報（オンの場合、データをセットしていることを示す）、ビット１１〜１４はコマンド種別（本実施形態では、基本コマンド、図柄変動開始コマンド、図柄変動停止コマンド、入賞演出開始コマンド、終了演出開始コマンド、大当りラウンド数指定コマンド、復電コマンド、ＲＡＭクリアコマンドなどコマンドの種類を特定可能な情報）、ビット０〜１０はコマンドデータ（コマンド種別に対応する所定の情報）で構成している。
【０１２８】
具体的には、ストローブ情報は上述のコマンド設定送信処理でオン、オフするようにしている。また、コマンド種別が図柄変動開始コマンドの場合であればコマンドデータに、１５Ｒ大当りフラグや２Ｒ大当たりフラグの値、特図確率変動フラグの値、特図関連抽選処理で選択したタイマ番号などを示す情報を含み、図柄変動停止コマンドの場合であれば、１５Ｒ大当りフラグや２Ｒ大当たりフラグの値、特図確率変動フラグの値などを含み、入賞演出コマンドおよび終了演出開始コマンドの場合であれば、特図確率変動フラグの値などを含み、大当りラウンド数指定コマンドの場合であれば特図確率変動フラグの値、大当りラウンド数などを含むようにしている。コマンド種別が基本コマンドを示す場合は、コマンドデータにデバイス情報、第１特図始動口２３０への入賞の有無、第２特図始動口２３２への入賞の有無、可変入賞口２３４への入賞の有無などを含む。
【０１２９】
また、上述の回転開始設定送信処理では、コマンドデータにＲＡＭ３０８に記憶している、１５Ｒ大当りフラグや２Ｒ大当たりフラグの値、特図確率変動フラグの値、特図１関連抽選処理および特図２関連抽選処理で選択したタイマ番号、保留している第１特図変動遊技または第２特図変動遊技の数などを示す情報を設定する。
【０１３０】
上述の回転停止設定送信処理では、コマンドデータにＲＡＭ３０８に記憶している、１５Ｒ大当りフラグや２Ｒ大当たりフラグの値、特図確率変動フラグの値などを示す情報を設定する。
【０１３１】
上述の入賞演出設定送信処理では、コマンドデータに、ＲＡＭ３０８に記憶している、入賞演出期間中に装飾図柄表示装置２０８・各種ランプ４１８・スピーカ１２０に出力する演出制御情報、特図確率変動フラグの値、保留している第１特図変動遊技または第２特図変動遊技の数などを示す情報を設定する。
【０１３２】
上述の終了演出設定送信処理では、コマンドデータに、ＲＡＭ３０８に記憶している、演出待機期間中に装飾図柄表示装置２０８・各種ランプ４１８・スピーカ１２０に出力する演出制御情報、特図確率変動フラグの値、保留している第１特図変動遊技または第２特図変動遊技の数などを示す情報を設定する。
【０１３３】
上述の大入賞口開放設定送信処理では、コマンドデータにＲＡＭ３０８に記憶している大当りラウンド数、特図確率変動フラグの値、保留している第１特図変動遊技または第２特図変動遊技の数などを示す情報を設定する。
【０１３４】
上述の大入賞口閉鎖設定送信処理では、コマンドデータにＲＡＭ３０８に記憶している大当りラウンド数、特図確率変動フラグの値、保留している第１特図変動遊技または第２特図変動遊技の数などを示す情報を設定する。
【０１３５】
また、このステップ２０３３では一般コマンド特図保留増加処理も行われる。この一般コマンド特図保留増加処理では、コマンドデータにＲＡＭ３０８の送信用情報記憶領域に記憶している特図識別情報（特図１または特図２を示す情報）、予告情報（事前予告情報、偽事前予告情報、または事前予告無情報のいずれか）を設定する。
【０１３６】
第１副制御部４００では、受信した出力予定情報に含まれるコマンド種別により、主制御部３００における遊技制御の変化に応じた演出制御の決定が可能になるとともに、出力予定情報に含まれているコマンドデータの情報に基づいて、演出制御内容を決定することができるようになる。
【０１３７】
ステップ２０３５では、外部出力信号設定処理を行う。この外部出力信号設定処理では、ＲＡＭ３０８に記憶している遊技情報を、情報出力回路３３６を介してパチンコ機１００とは別体の情報入力回路３５０に出力する。
【０１３８】
ステップ２０３７では、デバイス監視処理を行う。このデバイス監視処理では、ステップ２００５において信号状態記憶領域に記憶した各種センサの信号状態を読み出して、所定のエラーの有無、例えば前面枠扉開放エラーの有無または下皿満タンエラーの有無などを監視し、前面枠扉開放エラーまたは下皿満タンエラーを検出した場合に、第１副制御部４００に送信すべき送信情報に、前面枠扉開放エラーの有無または下皿満タンエラーの有無を示すデバイス情報を設定する。また、各種ソレノイド３３２を駆動して第２特図始動口２３２や、可変入賞口２３４の開閉を制御したり、駆動回路３２４、３２６、３３０を介して第１特別図柄表示装置２１２、第２特別図柄表示装置２１４、普通図柄表示装置２１０、各種状態表示部３２８などに出力する表示データを、Ｉ／Ｏ３１０の出力ポートに設定する。また、払出要求数送信処理（ステップ２０１９）で設定した出力予定情報を出力ポート（Ｉ／Ｏ３１０）を介して第１副制御部４００に出力する。
【０１３９】
ステップ２０３９では、低電圧信号がオンであるか否かを監視する。そして、低電圧信号がオンの場合（電源の遮断を検知した場合）にはステップ２０４３に進み、低電圧信号がオフの場合（電源の遮断を検知していない場合）にはステップ２０４１に進む。
【０１４０】
ステップ２０４１では、タイマ割込終了処理を行う。このタイマ割込終了処理では、ステップ２００１で一時的に退避した各レジスタの値を元の各レジスタに設定したり、割込許可の設定などを行い、その後、図６に示す主制御部メイン処理に復帰する。
【０１４１】
一方、ステップ２０４３では、復電時に電断時の状態に復帰するための特定の変数やスタックポインタを復帰データとしてＲＡＭ３０８の所定の領域に退避し、入出力ポートの初期化等の電断処理を行い、その後、図６に示す主制御部メイン処理に復帰する。
【０１４２】
＜第１副制御部４００の処理＞
図８を用いて、第１副制御部４００の処理について説明する。
【０１４３】
なお、図８（ａ）は、第１副制御部４００のＣＰＵ４０４が実行するメイン処理のフローチャートである。図８（ｂ）は、第１副制御部４００のコマンド受信（ストローブ）割込み処理のフローチャートである。図８（ｃ）は、第１副制御部４００のタイマ割込処理のフローチャートである。図８（ｄ）は、第１副制御部４００の画像制御処理のフローチャートである。
【０１４４】
図８（ａ）を参照すると、第１副制御部４００では、電源投入が行われると、まず、ステップ３００１で初期化処理が実行される。この初期化処理では、入出力ポートの初期設定や、ＲＡＭ４０８内の記憶領域の初期化処理等を行う。
【０１４５】
ステップ３００３では、タイマ変数が１０以上か否かを判定し、タイマ変数が１０となるまでこの処理を繰り返し、タイマ変数が１０以上となったときには、ステップ３００５の処理に移行する。
【０１４６】
ステップ３００５では、タイマ変数に０を代入する。
【０１４７】
ステップ３００７では、コマンド処理を行う。第１副制御部４００のＣＰＵ４０４は、主制御部３００からコマンドを受信したか否かを判別する。
【０１４８】
ステップ３００９では、演出制御処理を行う。例えば、３００７で新たなコマンドがあった場合には、このコマンドに対応する演出データをＲＯＭ４０６から読み出す等の処理を行い、演出データの更新が必要な場合には演出データの更新処理を行う。
【０１４９】
ステップ３０１１では、チャンスボタン１３６の押下を検出していた場合、ステップ３００９で更新した演出データをチャンスボタン１３６の押下に応じた演出データに変更する処理を行う。
【０１５０】
ステップ３０１３では、３００９で読み出した演出データの中にＶＤＰ４３４への命令がある場合には、この命令をＶＤＰ４３４に出力する（詳細は後述）。
【０１５１】
ステップ３０１５では、３００９で読み出した演出データの中に音源ＩＣ４１６への命令がある場合には、この命令を音源ＩＣ４１６に出力する。
【０１５２】
ステップ３０１７では、３００９で読み出した演出データの中に各種ランプ４１８への命令がある場合には、この命令を駆動回路４２０に出力する。
【０１５３】
ステップ３０１９では、３００９で読み出した演出データの中に遮蔽装置２４６への命令がある場合には、この命令を駆動回路４３２に出力する。
【０１５４】
ステップ３０２１では、３００９で読み出した演出データの中に第２副制御部５００に送信する制御コマンドがある場合には、この制御コマンドを出力する設定を行う。
【０１５５】
ステップ３０２１を実行した後、ステップ３００３へ戻り、処理を繰り返す。
【０１５６】
次に、図８（ｂ）を用いて、第１副制御部４００のコマンド受信割込処理について説明する。このコマンド受信割込処理は、第１副制御部４００が、主制御部３００が出力するストローブ信号を検出した場合に実行する処理である。コマンド受信割込処理のステップ４００１では、主制御部３００が出力したコマンドを未処理コマンドとしてＲＡＭ４０８に設けたコマンド記憶領域に記憶する。
【０１５７】
次に、図８（ｃ）を用いて、第１副制御部４００のＣＰＵ４０４によって実行する第１副制御部タイマ割込処理について説明する。第１副制御部４００は、所定の周期（本実施例では２ｍｓに１回）でタイマ割込を発生するハードウェアタイマを備えており、このタイマ割込を契機として、第１副制御部タイマ割込処理を所定の周期で実行する。
【０１５８】
第１副制御部タイマ割込処理のステップ５００１では、図８（ａ）に示す第１副制御部メイン処理におけるステップ３００３において説明したＲＡＭ４０８のタイマ変数記憶領域の値に、１を加算して元のタイマ変数記憶領域に記憶する。従って、ステップ３００３において、タイマ変数の値が１０以上と判定されるのは２０ｍｓ毎（２ｍｓ×１０）となる。
【０１５９】
第１副制御部タイマ割込処理のステップ５００３では、ステップ３０１９で設定された第２副制御部５００への制御コマンドの送信や、演出用乱数値の更新処理等を行う。
【０１６０】
次に、図８（ｄ）を用いて、第１副制御部４００のメイン処理におけるステップ３０１３の画像制御処理について説明する。図８（ｄ）は、画像制御処理の流れを示すフローチャートを示した図である。
【０１６１】
ステップ６００１では、画像データの転送指示を行う。ここでは、ＣＰＵ４０４は、まず、ＶＲＡＭ４３６の表示領域Ａと表示領域Ｂの描画領域の指定をスワップする。これにより、描画領域に指定されていない表示領域に記憶された１フレームの画像が装飾図柄表示装置２０８に表示される。次に、ＣＰＵ４０４は、ＶＤＰ４３４のアトリビュートレジスタに、位置情報等テーブルに基づいてＲＯＭ座標（ＲＯＭ４０６の転送元アドレス）、ＶＲＡＭ座標（ＶＲＡＭ４３６の転送先アドレス）などを設定した後、ＲＯＭ４０６からＶＲＡＭ４３６への画像データの転送開始を指示する命令を設定する。ＶＤＰ４３４は、アトリビュートレジスタに設定された命令に基づいて画像データをＲＯＭ４０６からＶＲＡＭ４３６に転送する。その後、ＶＤＰ４３４は、転送終了割込信号をＣＰＵ４０４に対して出力する。
【０１６２】
ステップ６００３では、ＶＤＰ４３４からの転送終了割込信号が入力されたか否かを判定し、転送終了割込信号が入力された場合はステップ６００５に進み、そうでない場合は転送終了割込信号が入力されるのを待つ。
【０１６３】
ステップ６００５では、演出シナリオ構成テーブルおよびアトリビュートデータなどに基づいて、パラメータ設定を行う。ここでは、ＣＰＵ４０４は、ステップ６００１でＶＲＡＭ４３６に転送した画像データに基づいてＶＲＡＭ４３６の表示領域ＡまたはＢに表示画像を形成するために、表示画像を構成する画像データの情報（ＶＲＡＭ４３６の座標軸、画像サイズ、ＶＲＡＭ座標（配置座標）など）をＶＤＰ４３４に指示する。ＶＤＰ４３４はアトリビュートレジスタに格納された命令に基づいてアトリビュートに従ったパラメータ設定を行う。
【０１６４】
ステップ６００７では、描画指示を行う。この描画指示では、ＣＰＵ４０４は、ＶＤＰ４３４に画像の描画開始を指示する。ＶＤＰ４３４は、ＣＰＵ４０４の指示に従ってフレームバッファにおける画像描画を開始する。
【０１６５】
ステップ６００９では、画像の描画終了に基づくＶＤＰ４３４からの生成終了割込み信号が入力されたか否かを判定し、生成終了割込み信号が入力された場合はステップ６０１１に進み、そうでない場合は生成終了割込み信号が入力されるのを待つ。
【０１６６】
ステップ６０１１では、ＲＡＭ４０８の所定の領域に設定され、何シーンの画像を生成したかをカウントするシーン表示カウンタをインクリメント（＋１）して処理を終了する。
【０１６７】
＜第２副制御部５００の処理＞
図９を用いて、第２副制御部５００の処理について説明する。なお、同図（ａ）は、第２副制御部５００のＣＰＵ５０４が実行するメイン処理のフローチャートである。同図（ｂ）は、第２副制御部５００のコマンド受信割込処理のフローチャートである。同図（ｃ）は、第２副制御部５００のタイマ割込処理のフローチャートである。
【０１６８】
まず、同図（ａ）のステップ７００１では、各種の初期設定を行う。電源投入が行われると、まず７００１で初期化処理が実行される。この初期化処理では、入出力ポートの初期設定や、ＲＡＭ５０８内の記憶領域の初期化処理等を行う。
【０１６９】
ステップ７００３では、タイマ変数が１０以上か否かを判定し、タイマ変数が１０となるまでこの処理を繰り返し、タイマ変数が１０以上となったときには、ステップ７００５の処理に移行する。
【０１７０】
ステップ７００５では、タイマ変数に０を代入する。
ステップ７００７では、コマンド処理を行う。第２副制御部５００のＣＰＵ５０４は、第１副制御部４００のＣＰＵ４０４からコマンドを受信したか否かを判別する。
【０１７１】
ステップ７００９では、演出制御処理を行う。例えば、ステップ７００７で新たなコマンドがあった場合には、このコマンドに対応する演出データをＲＯＭ５０６から読み出す等の処理を行い、演出データの更新が必要な場合には演出データの更新処理を行う。
【０１７２】
ステップ７０１１では、第１副制御部４００からの遊技盤用ランプ５３２や遊技台枠用ランプ５４２への命令がある場合には、この命令をシリアル通信制御回路５２０に出力する。
【０１７３】
ステップ７０１３では、第１副制御部４００からの演出可動体２２４への命令がある場合には、この命令を駆動回路５１６に出力し、７００３に戻る。
【０１７４】
次に、同図（ｂ）を用いて、第２副制御部５００のコマンド受信割込処理について説明する。このコマンド受信割込処理は、第２副制御部５００が、第１副制御部４００が出力するストローブ信号を検出した場合に実行する処理である。コマンド受信割込処理のステップ８００１では、第１副制御部４００が出力したコマンドを未処理コマンドとしてＲＡＭ５０８に設けたコマンド記憶領域に記憶する。
【０１７５】
次に、同図（ｃ）を用いて、第２副制御部５００のＣＰＵ５０４によって実行する第２副制御部タイマ割込処理について説明する。第２副制御部５００は、所定の周期（本実施例では２ｍｓに１回）でタイマ割込を発生するハードウェアタイマを備えており、このタイマ割込を契機として、タイマ割込処理を所定の周期で実行する。
【０１７６】
第２副制御部タイマ割込処理のステップ９００１では、図８（ａ）に示す第２副制御部メイン処理におけるステップ７００３において説明したＲＡＭ５０８のタイマ変数記憶領域の値に、１を加算して元のタイマ変数記憶領域に記憶する。従って、ステップ７００３において、タイマ変数の値が１０以上と判定されるのは２０ｍｓ毎（２ｍｓ×１０）となる。
【０１７７】
第２副制御部タイマ割込処理のステップ９００３では、演出用乱数値の更新処理等を行う。
【０１７８】
＜スロットマシンへの適用＞
なお、本発明に係る遊技台は、図１０に示す「複数種類の図柄が施され、回転駆動される複数のリール１１００２と、リールの回転を指示するためのスタートレバー１１００４と、各々のリールに対応して設けられ、リールの回転を個別に停止させるための停止ボタン１１００６と、複数種類の役の内部当選の当否を抽選により判定する抽選手段（入賞役内部抽選）と、抽選手段の抽選結果に基づいてリールの回転の停止に関する停止制御を行うリール停止制御手段（リール停止制御処理）と、抽選手段の抽選結果に基づいて停止されたリールによって表示される図柄組合せが、内部当選した役に対応して予め定めた図柄組合せであるか否かの判定をする判定手段（入賞判定処理）と、図柄の停止態様が所定の入賞態様である場合、所定の入賞態様に対応する遊技媒体を払出す遊技媒体払出処理を行う払出制御手段（メダル払出処理１１００８）と、に加え、抽選手段の抽選結果に基づいて演出を実行する演出手段１１０１０を備え、この演出手段が、所定の遊技領域１１０１２に球を発射する発射装置１１０１４と、発射装置から発射された球を入球可能に構成された入賞口１１０１６と、入賞口１１０１６に入球した球を検知する検知手段１１０１８と、検知手段１１０１８が球を検知した場合に球を払出す払出手段１１０２０と、所定の図柄(識別情報)を変動表示する可変表示装置１１０２２と、可変表示装置１１０２２を遮蔽する位置に移動可能なシャッタ１１０２４と、所定動作態様で動作する可動体１１０２６と、を備え、入賞口に遊技球が入って入賞することを契機として、可変表示装置１１０２２が図柄を変動させた後に停止表示させて、遊技を演出するような演出装置１１０１０、であるスロットマシン１１０００」にも好適である。
【０１７９】
＜その他への適用＞
なお、本発明に係る遊技台は図１１に示す、「紙幣投入口１２００２に紙幣を投入し、ベット１２００４およびスタート１２００６操作に基づいて抽選を実行し、抽選結果を抽選結果表示装置１２００８で表示し、当選時には特典コイン数を残クレジット数に加算し、キャッシュアウト１２００９が選択された場合には、レシート発行機１２０１０から残クレジット数に対応するコードが記載されたレシートを発行するカジノマシン１２０００」であってもよい。
【０１８０】
＜回路基板の構成＞
以下、本発明に係る遊技台に搭載する回路基板の構成について詳細に説明する。この本発明に係る回路基板は、上述の主基板１５６、第１副基板１６０、第２副基板１６４、払出基板１７０、発射基板１７４のほか、各種ランプ４１８（例えばＬＥＤ）を実装する回路基板、遊技盤用ランプ５３２（例えばＬＥＤ）を実装する回路基板、遊技台枠用ランプ５４２（例えばＬＥＤ）を実装する回路基板、装飾図柄表示装置２０８用の液晶基板などの如何なる回路基板にも適用可能である。
【０１８１】
図１２は、本発明に係る回路基板を基板ケースに収容する様子を示す分解斜視図である。
【０１８２】
本実施の形態では回路基板７００を基板ケース７０１に収容する。回路基板７００の収容に当たっては、下部ケース（ベース部材）としての基板ケース７０１のほかに上部ケース（不図示）を設け、基板ケース７０１とこの上部ケースとで回路基板７００を挟み込むように収容するものであってもよい。基板ケース７０１は、表面７０１ａおよび裏面７０１ｂを有し、表面７０１ａには回路基板７００の形状に応じた凹部７０３を設けている。回路基板７００は凹部７０３に嵌め込まれて基板ケース７０１に収容される。
【０１８３】
基板ケース７０１の裏面７０１ｂには、アース部材としての板金７０２が設けられ、詳しくは後述するように、回路基板７００のアース端子が板金７０２に電気的に接続されることによって回路基板７００の接地がされる。板金７０２としては、例えば、装飾図柄表示装置２０８用の液晶基板を静電気等から保護する静電気対策用のシールド部材を用いることができる。近年、装飾図柄表示装置２０８すなわち液晶画面は大型化してきており、その静電気対策用のシールド部材も大型化してきている。このことから、この静電気対策用のシールド部材を板金７０２として用いることにより、より確実に接地をとりやすいという効果を奏する。板金７０２は、例えば外部にて接地されてグランド電位を有するものであってもよい。板金７０２の大きさは、基板ケース７０１とほぼ同等の大きさでもよいし、後述するアースプレートを挟持可能な程度の小ささでもよいし、基板ケース７０１よりも大きくしてもよい。
【０１８４】
図１３は、図１２に示した基板ケース７０１の詳細を示す図であって、（ａ）は表面７０１ａの側から見た平面図であり、（ｂ）は裏面７０１ｂの側から見た底面図であり、（ｃ）は裏面７０１ｂの側を手前にして見た斜視図である。
【０１８５】
上述のように、基板ケース７０１の表面７０１ａには凹部７０３を設けている。この凹部７０３の底の部分には、裏面７０１ｂ側から凹部７０４を設けている。さらに、この凹部７０４の底の部分には、底を貫通する貫通孔７０５を設けている。凹部７０４には、詳しくは後述するハーネス７０８のアースプレート７１０が収容される。
【０１８６】
図１４は、図１２に示した回路基板７００の詳細を示す図であって、（ａ）は部品実装面７００ａの側から見た平面図であり、（ｂ）は（ａ）の方向Ｂから見た概略側面図である。
【０１８７】
回路基板７００の部品実装面７００ａには、例えば電子部品７０６を実装する。この部品実装面７００ａには、電子部品７０６等に必要な接地を確保するグランド部に接続したコネクタ７０７を設けている。
【０１８８】
基板ケース７０１は、回路基板７００の部品実装面７００ａの裏側である裏面７００ｂを覆うように形成され、すなわち、回路基板７００の裏面７００ｂは基板ケース７０１に対向して配置し、また、板金７０２は回路基板７００の裏面７００ｂ側（底面側）に設けられ、すなわち、板金７０２は基板ケース７０１を挟んで、回路基板７００の裏面７００ｂと対向して配置する。
【０１８９】
回路基板７００の部品実装面７００ａに設けたコネクタ７０７には、ハーネス７０８の一端に設けたコネクタ７０９を接続する。ハーネス７０８の他の一端には、詳しくは後述する端子であるアースプレート７１０を設けている。アースプレート７１０は、基板ケース７０１と板金７０２とで挟持し、これによって、ハーネス７０８を介して、回路基板７００のアース端子が板金７０２に電気的に接続され、回路基板７００の接地がされる。ハーネス７０８は複数の信号線でコネクタ７０９とアースプレート７１０との間を電気的に接続する場合があり、この場合、複数の信号線によってより確実に接地を行うことができる。
【０１９０】
基板ケース７０１または上部ケース（不図示）には、ハーネス７０８を引き出す孔となる切り欠きを設けてもよい。
【０１９１】
図１５は、図１４に示したハーネス７０８の詳細を示す図であって、（ａ）はハーネス７０８のアースプレート７１０の近傍を示す平面図であり、（ｂ）は（ａ）のアースプレート７１０の側面図であり、（ｃ）は別の例のアースプレートの側面図である。
【０１９２】
図１５（ａ）および（ｂ）に示すように、ハーネス７０８の他の一端の端子であるアースプレート７１０は、例えば板状の弾性変形可能な金属片を湾曲させて湾曲部７１１形成するとともに、凸部７１２を有して構成される。
【０１９３】
また、図１５（ｃ）に示す別の例では、ハーネス１７０８の他の一端の端子であるアースプレート１７１０は、例えば板状の弾性変形可能な金属片を湾曲させて湾曲部１７１１形成して構成される。
【０１９４】
図１６は、図１５に示したアースプレートを板金とケース部材とで挟持した状態を示す側断面図であって、（ａ）は図１５（ａ）および（ｂ）に示すハーネス７０８を用いた例を示す図であり、（ｂ）は図１５（ｃ）に示すハーネス１７０８を用いた例を示す図である。
【０１９５】
図１６（ａ）を参照して分かるように、図１５（ａ）および（ｂ）に示すハーネス７０８を用いた場合、アースプレート７１０の先端から凸部７１２にかけてが、基板ケース７０１の凹部７０４に嵌る。また、アースプレート７１０の凸部７１２は基板ケース７０１の貫通孔７０５に嵌合する。図１３に示した例では、貫通孔７０５は２つあるため、これに合わせてアースプレート７１０の凸部７１２も２つ設けてもよいし、２つの貫通孔７０５のうちのどちらかに１つだけの凸部７１２が嵌合するようにしてもよい。
【０１９６】
アースプレート７１０の先端から凸部７１２にかけてが、基板ケース７０１の凹部７０４に嵌った状態において、基板ケース７０１は板金７０２に押し付けられ、これによってアースプレート７１０の湾曲部７１１の山部が板金７０２に押し付けられて弾性変形し、電気的接続がより確実にされる。また、このとき、アースプレート７１０の先端から凸部７１２にかけては凹部７０４に嵌ってハーネス７０８を抜き取り不可能にし、また、凸部７１２が貫通孔７０５に嵌合してハーネス７０８を抜き取り不可能にしている。
【０１９７】
図１６（ｂ）の例は、図１５（ｃ）に示すハーネス１７０８を用いた場合である。
【０１９８】
図１６（ｂ）の例では、部品１７０６を実装する回路基板１７００は基板ケース１７０１に収容されており、この回路基板１７００のグランド部が接続されたコネクタ１７０７には、ハーネス１７０８の一端に設けたコネクタ１７０９を接続している。
【０１９９】
ハーネス１７０８の他の一端に設けたアースプレート１７１０は、基板ケース１７０１と板金１７０２との間に挟持されて押し付けられ、これによってアースプレート１７１０の湾曲部１７１１の山部が板金１７０２に押し付けられて弾性変形し、電気的接続がより確実にされる。
【０２００】
ところで、従来、電磁波ゴトと呼ばれる不正行為が知られている。本発明は、このような不正の抑止が可能な場合もある。この点について図１７を参照して説明する。
【０２０１】
図１７は、電磁波ゴトについて説明する模式図であり、（ａ）は不正行為がされていない状態を示す図であり、（ｂ）は不正行為がされた状態を示す図である。
【０２０２】
不正が行われていない通常時には、図１７（ａ）に示すように、遊技球７２０は、球検出センサ７２５をスムーズに通り抜け、遊技球７２０の通過をカウント可能である。
【０２０３】
これに対して、図１７（ｂ）を参照すると、遊技球７３０は、遊技球７２０よりも直径０．５ｍｍ程度大きく、球検出センサ７２５を通過不可能な大きさであって、不正な遊技球である。不正行為者はこの遊技球７３０を遊技領域に進入させ、遊技球７３０で球検出センサ７２５を詰まらせた状態にする。不正行為者は、この遊技球７３０で球検出センサ７２５を詰まらせた状態で、不正な電磁波を照射し、遊技球７２０が通過したと検出するよう球検出センサ７２５を誤作動させ、これによって不正な利益を得ようとするものである。
【０２０４】
本発明によれば、不正な電磁波照射があると、例えば、アース部材（板金７０２）が帯電し、これから導通部材（ハーネス７０８）から回路基板７００へと向かって電流が流れて回路基板７００上の電子部品７０６が故障や異常動作（例えば音声の乱れ、画像の乱れ、役物の誤動作等）が発生し、これにより遊技店員が、不正行為に気付き易くなる場合がある。
【０２０５】
図１８は、本発明に係る構成をスロットマシンに適用する例を示す分解斜視図である。
【０２０６】
本例では、上述の板金７０２の代わりにスロットマシンの本体キャビネットを用いる。
【０２０７】
例えば、スロットマシンのリールフレーム７３５を収容する筐体（本体キャビネット）は、背板７３６や底板７３７や側板７３８などを有する。
【０２０８】
例えば、背板７３６の所定箇所７４１を導電性材料で形成したり、所定箇所７４１に第伝製シートを貼付したり、本体キャビネット自体を導電性材料で形成したりし、上述の基板ケース７０１と、この所定箇所７４１とで、アースプレート７１０を挟持してアース接続をするようにしてもよい。
【０２０９】
図１９は、本発明に係る基板ケースの構成の一例を示す図であり、（ａ）は斜視図であり、（ｂ）は分解斜視図である。
【０２１０】
基板ケース２７０１は、底面側カバー体２７０１ｂおよび表面側カバー体２７０１ａを有し、この底面側カバー体２７０１ｂと表面側カバー体２７０１ａとの間に回路基板２７００を収容する。
【０２１１】
基板ケース２７０１は、ＩＣタグ２７１３を取り付けており、これにより基板ケース２７０１の各種管理を実施可能にしている。ＩＣタグ２７１３はＩＣタグカバー２７１４によって覆われている。
【０２１２】
底面側カバー体２７０１ｂと表面側カバー体２７０１ａとは、回路基板２７００を間に収容した状態で閉じた後にカシメ部材２７１５によってカシメられる。カシメ部材２７１５はカシメカバー２７１６によって覆われている。
【０２１３】
回路基板２７００は、例えば不透明である。回路基板２７００としては、例えば、主基板１５６である場合があり、第１副基板１６０である場合があり、第２副基板１６４である場合があり、払出基板１７０である場合があり、発射基板１７４である場合があり、電源基板１８２である場合があり、そのほか中継基板や各種基板である場合がある。
【０２１４】
底面側カバー体２７０１ｂおよび表面側カバー体２７０１ａは、例えば透明であり、内部が視認可能な場合がある。底面側カバー体２７０１ｂおよび表面側カバー体２７０１ａは、例えば非導電性である。
【０２１５】
回路基板２７００は、そのすべてが不透明である場合があり、少なくとも一部が不透明である場合があり、そのほとんどが不透明である場合があり、その半分ほどが不透明である場合があり、そのわずかな部分が不透明である場合がある。
【０２１６】
回路基板２７００は、そのすべてが透明である場合があり、少なくとも一部が透明である場合があり、そのほとんどが透明である場合があり、その半分ほどが透明である場合があり、そのわずかな部分が透明である場合がある。
【０２１７】
基板ケース２７０１は、そのすべてが不透明である場合があり、少なくとも一部が不透明である場合があり、そのほとんどが不透明である場合があり、その半分ほどが不透明である場合があり、そのわずかな部分が不透明である場合がある。
【０２１８】
基板ケース２７０１は、そのすべてが透明である場合があり、少なくとも一部が透明である場合があり、そのほとんどが透明である場合があり、その半分ほどが透明である場合があり、そのわずかな部分が透明である場合がある。
【０２１９】
アース接続を行うハーネスや、そのほかのケーブルなどは、ＩＣタグカバー２７１４やカシメカバー２７１６を覆うように引きまわす場合があり、このように構成することによって、ＩＣタグカバー２７１４やカシメカバー２７１６を不正に外すことができない場合があり、ＩＣタグカバー２７１４やカシメカバー２７１６を強引に外すと、ハーネスやそのほかのケーブルを切断や引き抜いてしまうことになり、不正が発覚する場合がある。
【０２２０】
本発明に係る各構成は、各実施例に記載のそれぞれの特性、特徴は、互いに組み合わせ可能であり、それらはすべて本発明に含まれるものである。
【０２２１】
図２０は、図１９に示した基板ケースの配置の例を示す図であり（ａ）は第一の例を示す平面図であり、（ｂ）は（ａ）のＡ−Ａ断面図であり、（ｃ）は第二の例を示す平面図であり、（ｄ）は（ｃ）のＢ−Ｂ断面図である。
【０２２２】
図２０（ａ）および（ｂ）に示す第一の例では、回路基板２７１７を板金２７０２で覆う構成において、板金２７０２に対向して基板ケース２７０１の底面側カバー体２７０１ｂを配置している。板金２７０２は、導電性であって、回路基板２７１７の上面（例えば実装面）から側方に達するように屈曲して延伸している。
【０２２３】
回路基板２７１７は、例えば不透明である。回路基板２７１７としては、例えば、主基板１５６である場合があり、第１副基板１６０である場合があり、第２副基板１６４である場合があり、払出基板１７０である場合があり、発射基板１７４である場合があり、電源基板１８２である場合があり、そのほか中継基板や各種基板である場合がある。
【０２２４】
また、回路基板２７００が主基板１５６であって、かつ回路基板２７１７が払出基板１７０である場合などがある。
【０２２５】
この構成において、板金２７０２と基板ケース２７０１の底面側カバー体２７０１ｂとの間に、導通部材であるアースプレートを挟む場合がある。
【０２２６】
図２０（ｃ）および（ｄ）に示す第二の例では、回路基板２７１７をカバー３７０２ａで覆っている。カバー３７０２ａは、例えば透明で非導電性の樹脂製であって、回路基板２７１７の上面（例えば実装面）から側方に達するように屈曲して延伸している。カバー３７０２ａは不透明である場合がある。カバー３７０２ａのうち回路基板２７１７の上面に位置する箇所には、導電性の板金３７０２を固定して設けている。基板ケース２７０１の底面側カバー体２７０１ｂは、板金３７０２に対向して配置している。
【０２２７】
この構成において、板金３７０２と基板ケース２７０１の底面側カバー体２７０１ｂとの間に、導通部材であるアースプレートを挟む場合がある。
【０２２８】
また、板金と主出基板を収容するケースとでのみアースプレートを挟み込む場合がある。
【０２２９】
また、板金と第１副基板を収容するケースとでのみアースプレートを挟み込む場合がある。
【０２３０】
また、板金と第２副基板を収容するケースとでのみアースプレートを挟み込む場合がある。
【０２３１】
また、板金と払出基板を収容するケースとでのみアースプレートを挟み込む場合がある。
【０２３２】
また、板金と発射基板を収容するケースとでのみアースプレートを挟み込む場合がある。
【０２３３】
また、板金と電源基板を収容するケースとでのみアースプレートを挟み込む場合がある。
【０２３４】
また、板金と主出基板を収容するケースとでのみアースプレートを挟み込まない場合がある。
【０２３５】
また、板金と第１副基板を収容するケースとでのみアースプレートを挟み込まない場合がある。
【０２３６】
また、板金と第２副基板を収容するケースとでのみアースプレートを挟み込まない場合がある。
【０２３７】
また、板金と払出基板を収容するケースとでのみアースプレートを挟み込まない場合がある。
【０２３８】
また、板金と発射基板を収容するケースとでのみアースプレートを挟み込まない場合がある。
【０２３９】
また、板金と電源基板を収容するケースとでのみアースプレートを挟み込まない場合がある。
【０２４０】
また、板金と電源基板を収容するケースとでのみアースプレートを挟み込まない場合がある。
【０２４１】
また、主出基板を収容するケース、第１副基板を収容するケース、第２副基板を収容するケース、払出基板を収容するケース、発射基板を収容するケース、電源基板を収容するケースのうちの所定の二つのケースのみが、板金とでアースプレートを挟み込む場合がある。
【０２４２】
また、主出基板を収容するケース、第１副基板を収容するケース、第２副基板を収容するケース、払出基板を収容するケース、発射基板を収容するケース、電源基板を収容するケースのうちの所定の三つのケースのみが、板金とでアースプレートを挟み込む場合がある。
【０２４３】
また、主出基板を収容するケース、第１副基板を収容するケース、第２副基板を収容するケース、払出基板を収容するケース、発射基板を収容するケース、電源基板を収容するケースのうちの所定の四つのケースのみが、板金とでアースプレートを挟み込む場合がある。
【０２４４】
また、主出基板を収容するケース、第１副基板を収容するケース、第２副基板を収容するケース、払出基板を収容するケース、発射基板を収容するケース、電源基板を収容するケースのうちの所定の五つのケースのみが、板金とでアースプレートを挟み込む場合がある。
【０２４５】
また、主出基板を収容するケース、第１副基板を収容するケース、第２副基板を収容するケース、払出基板を収容するケース、発射基板を収容するケース、電源基板を収容するケースのうちのすべてのケースが、板金とでアースプレートを挟み込む場合がある。
【０２４６】
図２１は、基板ケースと板金とで導通部材を挟む構成の例を示す断面図である。
【０２４７】
基板ケース４７０１の一端は、板金４７０２の一端に固定された軸４７０１に軸支され、基板ケース４７０１は軸４７０１を中心に回動可能であり、この回動によって板金４７０２と基板ケース４７０１との間隔が調節され、板金４７０２と基板ケース４７０１との間隔を狭めてその間にアースプレート４７１０を挟む。
【０２４８】
基板ケース４７０１に凹部４７０４を設け、この凹部４７０４内にはさらに凹部４７０５を設けており、アースプレート４７１０の先端から凸部４７１２にかけてが基板ケース４７０１の凹部４７０４に嵌り、また、アースプレート４７１０の凸部４７１２は基板ケース４７０１の凹部４７０５に嵌る。この状態で基板ケース４７０１を回動して板金４７０２と基板ケース４７０１との間隔を狭めると、アースプレート４７１０の湾曲部４７１１の頂部は板金４７０２に当接し、さらに基板ケース４７０１を回動して板金４７０２と基板ケース４７０１との間隔を狭めると、湾曲部４７１１が弾性変形してアースプレート４７１０と板金４７０２との電気的接続を確実に行うとともにアースプレート４７１０の取り外しを困難にする。
【０２４９】
アースプレート４７１０の取り付け方法は、基板ケース４７０１の凹部４７０４にアースプレート４７１０を嵌めてから、基板ケース４７０１と板金４７０２との間隔を狭めるものに限られず、基板ケース４７０１と板金４７０２との間隔を予め狭めてから、その基板ケース４７０１と板金４７０２との隙間にアースプレート４７１０を挿入して基板ケース４７０１の凹部４７０４にアースプレート４７１０を嵌めるようにしてもよい。
【０２５０】
このようにしてアースプレート４７１０を取り付けたとき、基板ケース４７０１と板金４７０２とが平行になる場合がある。また、アースプレート４７１０を取り付けたとき、基板ケース４７０１と板金４７０２とが平行ではない場合がある。また、基板ケース４７０１と板金４７０２とでアースプレート４７１０挟み込まない場合がある。
【０２５１】
アースプレート４７１０は、弾性変形ではなく、塑性変形する場合がある。
【０２５２】
アースプレート４７１０の湾曲部４７１１は、弾性変形ではなく、塑性変形する場合がある。
【０２５３】
アースプレート４７１０は正規の位置以外に配置された場合は、変形しすぎて、塑性変形する場合がある。
【０２５４】
基板ケース４７０１を回動して板金４７０２と基板ケース４７０１との間隔を狭めてアースプレート４７１０を挟み込んで固定した位置で、板金４７０２と基板ケース４７０１とが離間しないようにロックする機構を備える場合がある。
【０２５５】
基板ケース４７０１を回動して板金４７０２と基板ケース４７０１との間隔を狭めてアースプレート４７１０を挟み込む際に、アースプレート４７１０が変形する感触を操作者が感じ取ることができる場合がある。
【０２５６】
図２２は、本発明に係る遊技台を示す図であって、（ａ）は遊技台の前面枠扉を開いた状態の正面図であり、（ｂ）は（ａ）のＣ−Ｃ断面図であり、（ｃ）は（ａ）に示す構成において板金にアースプレートを接続する様子を説明する断面図である。
【０２５７】
パチンコ機１００の本体１０４には例えば板金５７０２を設け、かつパチンコ機１００の前面枠扉１０６には例えば板金５７１８を設けており、あるいは、パチンコ機１００の本体１０４には例えば板金５７１８を設け、かつパチンコ機１００の前面枠扉１０６には例えば板金５７０２を設けている。
【０２５８】
板金５７１８に凹部５７０４を設け、この凹部５７０４内には貫通孔５７０５を設けており、アースプレート７１０の先端から凸部７１２にかけてが板金５７１８の凹部５７０４に嵌り、また、アースプレート７１０の凸部７１２は板金５７１８の貫通孔５７０５に嵌る。この状態で板金５７０２と板金５７１８との間隔を狭めると、アースプレート７１０の湾曲部７１１の頂部は板金５７０２に当接し、さらに板金５７０２と板金５７１８との間隔を狭めると、湾曲部７１１が弾性変形してアースプレート７１０と板金５７０２との電気的接続を確実に行うとともにアースプレート７１０の取り外しを困難にする。
【０２５９】
アースプレート７１０の取り付け方法は、板金５７１８の凹部５７０４にアースプレート７１０を嵌めてから、板金５７１８と板金５７０２との間隔を狭めるものに限られず、板金５７１８と板金５７０２との間隔を予め狭めてから、その板金５７１８と板金５７０２との隙間にアースプレート７１０を挿入して板金５７１８の凹部５７０４にアースプレート７１０を嵌めるようにしてもよい。
【０２６０】
アースプレート７１０は、本体１０４側に設けた所定の部材（例えば導電性の部材または非導電性の部材）と前面枠扉１０６側に設けた所定の部材（例えば導電性の部材または非導電性の部材）とで挟む構成であってもよい。また、アースプレート７１０は、本体１０４側に設けた所定の部材（例えば導電性の部材または非導電性の部材）と本体１０４側に設けた所定の部材（例えば導電性の部材または非導電性の部材）とで挟む構成であってもよい。また、アースプレート７１０は、前面枠扉１０６側に設けた所定の部材（例えば導電性の部材または非導電性の部材）と前面枠扉１０６側に設けた所定の部材（例えば導電性の部材または非導電性の部材）とで挟む構成であってもよい。
【０２６１】
なお、「確実に・・・できる。」という記載は、必ずできるものであってもよいし、できる場合があるものであってもよい。
【０２６２】
また、「・・・の場合がある。」という記載は、必ず該当するものであってもよく、まったく該当しないものであってもよく、場合によって該当するものでもよい。
【０２６３】
図２３（ａ）は、本発明に係る基板ケース、板金およびアースプレートの構成の別の例を示す断面図である。
【０２６４】
基板ケース６７０１は回路基板６７００を収容する。
【０２６５】
板金６７０２は、導電性であって板金６７０２と電気的に接続する湾曲部６７１９を有する。板金６７０２と湾曲部６７１９とは別体である場合があり、また一体である場合がある。
【０２６６】
アースプレート６７１０は例えば平板状の電極であり、このアースプレート６７１０を湾曲部６７１９に対向する位置に配置して、この状態で板金６７０２と基板ケース６７０１との間隔を狭めると、湾曲部６７１９の頂部はアースプレート６７１０に当接し、さらに板金６７０２と基板ケース６７０１との間隔を狭めると、湾曲部６７１９が弾性変形してアースプレート６７１０と湾曲部６７１９（すなわち板金６７０２）との電気的接続を確実に行うとともにアースプレート６７１０の取り外しを困難にする。
【０２６７】
アースプレート６７１０の取り付け方法は、アースプレート６７１０を湾曲部６７１９に対向する位置に配置してから、基板ケース６７０１と板金６７０２との間隔を狭めるものに限られず、基板ケース６７０１と板金６７０２との間隔を予め狭めてから、その基板ケース６７０１と板金６７０２との隙間にアースプレート６７１０を挿入して基板ケース６７０１と湾曲部６７１９とでアースプレート６７１０を挟むようにしてもよい。
【０２６８】
図２３（ｂ）は、本発明に係る基板ケース、板金およびアースプレートの構成の別の例を示す断面図である。
【０２６９】
基板ケース７７０１は回路基板７７００を収容する。
【０２７０】
板金７７０２は、導電性であって板金７７０２と電気的に接続する湾曲部７７１９を有する。板金７７０２と湾曲部７７１９とは別体である場合があり、また一体である場合がある。
【０２７１】
基板ケース７７０１に凹部７７０４を設け、この凹部７７０４内にはさらに凹部７７０５を設けており、アースプレート７７１０の先端から凸部７７１２にかけてが基板ケース７７０１の凹部７７０４に嵌り、また、アースプレート７７１０の凸部７７１２は基板ケース７７０１の凹部７７０５に嵌る。この状態で基板ケース７７０１と板金７７０２との間隔を狭めると、アースプレート７７１０の湾曲部７７１１の頂部は板金７７０２の湾曲部７７１９の頂部に当接し、さらに基板ケース７７０１と板金７７０２との間隔を狭めると、湾曲部７７１１および湾曲部７７１９、あるいは、湾曲部７７１１または湾曲部７７１９が弾性変形してアースプレート７７１０と湾曲部７７１９（すなわち板金７７０２）との電気的接続を確実に行うとともにアースプレート７７１０の取り外しを困難にする。
【０２７２】
アースプレート７７１０の取り付け方法は、基板ケース７７０１の凹部７７０４にアースプレート７７１０を嵌めてから、基板ケース７７０１と板金７７０２との間隔を狭めるものに限られず、基板ケース７７０１と板金７７０２との間隔を予め狭めてから、その基板ケース７７０１と板金７７０２との隙間にアースプレート７７１０を挿入して基板ケース７７０１の凹部７７０４にアースプレート７７１０を嵌めるようにしてもよい。
【０２７３】
なお、アースプレートの頂部は、平坦なものであってもよいし、凸状に湾曲したものでもよいし、凹状に湾曲したものでもよいし、鋭利なものであってもよいし、複数あってもよいし、複数の場合のそれぞれの形状は互いに異なるものでもよいし、複数の場合のそれぞれの形状は少なくともいくつかが互いに同じものでもよいし、複数の場合のそれぞれの形状はすべて同じものでもよい。
【０２７４】
図２４は、本発明に係る板金の構成の別の例を示す断面図であって、（ａ）は平面図であり、（ｂ）は断面図である。
【０２７５】
図２４（ａ）に示すように、板金８７０２は、貫通孔８７０２ａ、８７０２ｂ、８７０２ｃ、８７０２ｄ、８７０２ｅおよび８７０２ｆを有する。貫通孔８７０２ａ〜８７０２ｆの形状は、多角形、円形、そのほか如何なる形状の場合もある。また、貫通孔８７０２ａ〜８７０２ｆの位置は、板金８７０２のいずれかの辺の近傍、いずれかの角の近傍、中央部分、そのほか如何なる形状の場合もある。また、貫通孔８７０２ａ〜８７０２ｆの大きさは、アースプレートよりも小さいものである場合があり、アースプレートと同じ大きさである場合があり、アースプレートよりも大きいものである場合がある。
【０２７６】
図２４（ｂ）に示すように、板金９７０２は、凸部９７０２ａ、凸部９７０２ｂおよび凹部９７０２ｃを有する。凸部９７０２ａ、凸部９７０２ｂ、凹部９７０２ｃの形状は、多角形、円形、そのほか如何なる形状の場合もある。また、凸部９７０２ａ、凸部９７０２ｂ、凹部９７０２ｃの位置は、板金８７０２のいずれかの辺の近傍、いずれかの角の近傍、中央部分、そのほか如何なる形状の場合もある。また、凸部９７０２ａ、凸部９７０２ｂの厚みは、板金９７０２の厚みとほぼ同程度であったり、板金９７０２の厚みの倍の厚み程度であったり、それ以上の厚みである場合もある。また、凹部９７０２ｃの深さは、板金９７０２を貫通しない程度のさまざまな深さである場合がある。
【０２７７】
また、板金９７０２は、切り起こし形状の凸部を有する場合がある。
【０２７８】
図２５（ａ）は、本発明に係る基板ケース、板金およびアースプレートの構成の別の例を示す断面図である。図２５（ｂ）は、図２５（ａ）の位置決め手段を拡大して示す底面図である。
【０２７９】
基板ケース１０７０１は回路基板１０７００を収容する。基板ケース１０７０１に凹部１０７０４を設け、この凹部１０７０４内にはさらに凹部１０７０５を設けており、アースプレート１０７１０の先端から凸部１０７１２にかけてが基板ケース１０７０１の凹部１０７０４に嵌り、また、アースプレート１０７１０の凸部１０７１２は基板ケース１０７０１の凹部１０７０５に嵌る。この状態で、アースプレート１０７１０のハーネス１０７０８は、位置決め手段であるハーネス押さえ部材１０７２０ａで押さえられて、アースプレート１０７１０の位置決めがされる。ハーネス押さえ部材１０７２０ａの両端は、例えば基板ケース１０７０１にネジ止めされる。この状態で基板ケース１０７０１と板金１０７０２との間隔を狭めると、アースプレート１０７１０の湾曲部１０７１１の頂部は板金１０７０２に当接し、さらに基板ケース１０７０１と板金１０７０２との間隔を狭めると、湾曲部１０７１１が弾性変形してアースプレート１０７１０と板金１０７０２との電気的接続を確実に行うとともにアースプレート１０７１０の取り外しを困難にする。
【０２８０】
アースプレート１０７１０の取り付け方法は、基板ケース１０７０１の凹部１０７０４にアースプレート１０７１０を嵌めてから、基板ケース１０７０１と板金１０７０２との間隔を狭めるものに限られず、基板ケース１０７０１と板金１０７０２との間隔を予め狭めてから、その基板ケース１０７０１と板金１０７０２との隙間にアースプレート１０７１０を挿入して基板ケース１０７０１の凹部１０７０４にアースプレート１０７１０を嵌め、さらにハーネス押さえ部材１０７２０ａで押さえるようにしてもよい。
【０２８１】
ハーネス押さえ部材１０７２０ａは、基板ケース１０７０１と板金１０７０２とが重なる部分にある場合があり、基板ケース１０７０１と板金１０７０２とが重ならない部分にある場合がある。
【０２８２】
図２５（ｃ）は、本発明に係る基板ケース、板金およびアースプレートの構成の別の例を示す断面図である。図２５（ｄ）は、図２５（ｃ）の位置決め手段を拡大して示す底面図である。
【０２８３】
基板ケース１０７０１は回路基板１０７００を収容する。基板ケース１０７０１に凹部１０７０４を設け、この凹部１０７０４内にはさらに凹部１０７０５を設けており、アースプレート１０７１０の先端から凸部１０７１２にかけてが基板ケース１０７０１の凹部１０７０４に嵌り、また、アースプレート１０７１０の凸部１０７１２は基板ケース１０７０１の凹部１０７０５に嵌る。この状態で、アースプレート１０７１０のハーネス１０７０８は、位置決め手段であるハーネス押さえ部材１０７２０ｂで押さえられて、アースプレート１０７１０の位置決めがされる。ハーネス押さえ部材１０７２０ｂの一端は開放しており、他端は、例えば基板ケース１０７０１にネジ止めされる。この状態で基板ケース１０７０１と板金１０７０２との間隔を狭めると、アースプレート１０７１０の湾曲部１０７１１の頂部は板金１０７０２に当接し、さらに基板ケース１０７０１と板金１０７０２との間隔を狭めると、湾曲部１０７１１が弾性変形してアースプレート１０７１０と板金１０７０２との電気的接続を確実に行うとともにアースプレート１０７１０の取り外しを困難にする。
【０２８４】
アースプレート１０７１０の取り付け方法は、基板ケース１０７０１の凹部１０７０４にアースプレート１０７１０を嵌めてから、基板ケース１０７０１と板金１０７０２との間隔を狭めるものに限られず、基板ケース１０７０１と板金１０７０２との間隔を予め狭めてから、その基板ケース１０７０１と板金１０７０２との隙間にアースプレート１０７１０を挿入して基板ケース１０７０１の凹部１０７０４にアースプレート１０７１０を嵌め、さらにハーネス押さえ部材１０７２０ａで押さえるようにしてもよい。
【０２８５】
ハーネス押さえ部材１０７２０ｂは、基板ケース１０７０１と板金１０７０２とが重なる部分にある場合があり、基板ケース１０７０１と板金１０７０２とが重ならない部分にある場合がある。
【０２８６】
図２５（ｅ）は、本発明に係る基板ケース、板金およびアースプレートの構成の別の例を示す断面図である。図２５（ｆ）は、図２５（ｅ）の他の配線接続手段を拡大して示す平面図である。
【０２８７】
板金１０７０２には、他の配線が接続される配線接続部１０７２１を設けている。
【０２８８】
基板ケース１０７０１は回路基板１０７００を収容する。基板ケース１０７０１に凹部１０７０４を設け、この凹部１０７０４内にはさらに凹部１０７０５を設けており、アースプレート１０７１０の先端から凸部１０７１２にかけてが基板ケース１０７０１の凹部１０７０４に嵌り、また、アースプレート１０７１０の凸部１０７１２は基板ケース１０７０１の凹部１０７０５に嵌る。この状態で、アースプレート１０７１０のハーネス１０７０８は、位置決め手段であるハーネス押さえ部材１０７２０ｃで押さえられて、アースプレート１０７１０の位置決めがされる。ハーネス押さえ部材１０７２０ｃの両端は、例えば板金１０７０２にネジ止めされる。この状態で基板ケース１０７０１と板金１０７０２との間隔を狭めると、アースプレート１０７１０の湾曲部１０７１１の頂部は板金１０７０２に当接し、さらに基板ケース１０７０１と板金１０７０２との間隔を狭めると、湾曲部１０７１１が弾性変形してアースプレート１０７１０と板金１０７０２との電気的接続を確実に行うとともにアースプレート１０７１０の取り外しを困難にする。
【０２８９】
アースプレート１０７１０の取り付け方法は、基板ケース１０７０１の凹部１０７０４にアースプレート１０７１０を嵌めてから、基板ケース１０７０１と板金１０７０２との間隔を狭めるものに限られず、基板ケース１０７０１と板金１０７０２との間隔を予め狭めてから、その基板ケース１０７０１と板金１０７０２との隙間にアースプレート１０７１０を挿入して基板ケース１０７０１の凹部１０７０４にアースプレート１０７１０を嵌め、さらにハーネス押さえ部材１０７２０ｃで押さえるようにしてもよい。
【０２９０】
ハーネス押さえ部材１０７２０ｃは、基板ケース１０７０１と板金１０７０２とが重なる部分にある場合があり、基板ケース１０７０１と板金１０７０２とが重ならない部分にある場合がある。
【０２９１】
配線接続部１０７２１は、基板ケース１０７０１と板金１０７０２とが重なる部分にある場合があり、基板ケース１０７０１と板金１０７０２とが重ならない部分にある場合がある。
【０２９２】
アースプレート１０７１０が凹部１０７０４に嵌ることによって、アースプレート１０７１０の位置決めを行うことができる場合がある。
【０２９３】
また、アースプレート１０７１０が凹部１０７０４に嵌ることによって、基板ケース１０７０１と板金１０７０２との離間が狭まったときのアースプレート１０７１０の変形量を規制することができる場合がある。
【０２９４】
また、アースプレート１０７１０が凹部１０７０４に嵌ることによって、基板ケース１０７０１と板金１０７０２との離間が狭まり過ぎないように、この離間量を規制することができる場合がある。
【０２９５】
また、ハーネス押さえ部材１０７２０ａ、１０７２０ｂ、１０７２０ｃは、ハーネス１０７０８の所定方向（例えば横方向）への移動を所定範囲（０も含む）内にするように記載するための部材であるともいえる。
【０２９６】
図２６（ａ）は、本発明に係る基板ケース、板金およびアースプレートの構成の別の例を示す断面図である。
【０２９７】
基板ケース１１７０１は回路基板１１７００を収容する。また、基板ケース１１７０１は板金１１７２２を収容する。基板ケース１１７０１に凹部１１７０４を設け、この凹部１１７０４内にはさらに凹部１１７０５を設けており、アースプレート１１７１０の先端から凸部１１７１２にかけてが基板ケース１１７０１の凹部１１７０４に嵌り、また、アースプレート１１７１０の凸部１１７１２は基板ケース１１７０１の凹部１１７０５に嵌る。この状態で基板ケース１１７０１と板金１１７０２との間隔を狭めると、アースプレート１１７１０の湾曲部１１７１１の頂部は板金１１７０２に当接し、さらに基板ケース１１７０１と板金１１７０２との間隔を狭めると、湾曲部１１７１１が弾性変形してアースプレート１１７１０と板金１１７０２との電気的接続を確実に行うとともにアースプレート１１７１０の取り外しを困難にする。
【０２９８】
アースプレート１１７１０の取り付け方法は、基板ケース１１７０１の凹部１１７０４にアースプレート１１７１０を嵌めてから、基板ケース１１７０１と板金１１７０２との間隔を狭めるものに限られず、基板ケース１１７０１と板金１１７０２との間隔を予め狭めてから、その基板ケース１１７０１と板金１１７０２との隙間にアースプレート１１７１０を挿入して基板ケース１１７０１の凹部１１７０４にアースプレート１１７１０を嵌めるようにしてもよい。
【０２９９】
図２６（ｂ）は、本発明に係る基板ケースおよび板金の構成の別の例を示す断面図である。
【０３００】
基板ケース１２７０１は回路基板１２７００を収容する。
【０３０１】
板金１２７０２は貫通孔１２７０２ａを有する。貫通孔１２７０２ａは、基板ケース１２７０１と板金１２７０２とが重なる部分にある場合があり、基板ケース１２７０１と板金１２７０２とが重ならない部分にある場合がある。
【０３０２】
貫通孔１２７０２ａは、板金に設けた孔である場合があり、この場合に限られず、所定の板金と別の板金との境い目が離間している箇所である場合がある。
【０３０３】
図２６（ｃ）は、本発明に係る基板ケースおよび板金の構成の別の例を示す断面図である。
【０３０４】
基板ケース１２７０１は回路基板１２７００を収容する。
【０３０５】
板金１２７０２は板金同士が重なる重複部１２７０２ｂを有する。重複部１２７０２ｂは、板金同士が重ならない部分よりも厚い場合がある。重複部１２７０２ｂは、基板ケース１２７０１と板金１２７０２とが重なる部分にある場合があり、基板ケース１２７０１と板金１２７０２とが重ならない部分にある場合がある。
【０３０６】
なお、図２６（ｂ）、（ｃ）では、アースプレートの図示を省略しているが、アースプレートは、基板ケース１２７０１と板金１２７０２とが重なる箇所であれば、どこに設けてもよい場合がある。
【０３０７】
図２７（ａ）、（ｂ）、（ｃ）、（ｄ）、（ｅ）および（ｆ）は、本発明に係る基板ケースおよび板金の大きさの例を示す平面図である。
【０３０８】
基板ケース１３７０１と板金１３７０２との関係においては、図２７（ａ）に示すように、板金１３７０２が基板ケース１３７０１よりも少し大きい場合がある。
【０３０９】
また、基板ケース１３７０１と板金１３７０２との関係においては、図２７（ｂ）に示すように、板金１３７０２が基板ケース１３７０１よりも倍以上に大きい場合がある。
【０３１０】
また、基板ケース１３７０１と板金１３７０２との関係においては、図２７（ｃ）に示すように、板金１３７０２が基板ケース１３７０１よりも非常に大きい場合がある。
【０３１１】
また、基板ケース１３７０１と板金１３７０２との関係においては、図２７（ｄ）に示すように、板金１３７０２が基板ケース１３７０１よりも少し小さい場合がある。
【０３１２】
また、基板ケース１３７０１と板金１３７０２との関係においては、図２７（ｅ）に示すように、板金１３７０２が基板ケース１３７０１よりも半分程度に小さい場合がある。
【０３１３】
また、基板ケース１３７０１と板金１３７０２との関係においては、図２７（ｆ）に示すように、板金１３７０２が基板ケース１３７０１よりも非常に小さい場合がある。
【０３１４】
図２８（ａ）および（ｂ）は、本発明に係る基板ケースおよび板金の配置の例を示す平面図である。
【０３１５】
図２８（ａ）に示すように、基板ケース１３７０１ａの長手方向右側の一部が板金１３７０２ａと重なる配置である場合がある。
【０３１６】
また、図２８（ａ）に示すように、基板ケース１３７０１ｂの短手方向下側の一部が板金１３７０２ａと重なる配置である場合がある。
【０３１７】
また、図２８（ａ）に示すように、基板ケース１３７０１ｃのすべてが板金１３７０２ａと重なる配置である場合がある。
【０３１８】
また、図２８（ａ）に示すように、基板ケース１３７０１ｄの短手方向上側の一部が板金１３７０２ａと重なる配置である場合がある。
【０３１９】
また、図２８（ａ）に示すように、基板ケース１３７０１ｅの長手方向左側の一部が板金１３７０２ａと重なる配置である場合がある。
【０３２０】
また、図２８（ｂ）に示すように、基板ケース１３７０１ｆと板金１３７０２ｂとは重ならず、基板ケース１３７０１ｆの長手方向右側に板金１３７０２ｂを配置する場合がある。基板ケース１３７０１ｆに収納した回路基板のアースは、図２５（ｅ）に示した配線接続部１０７２１を用いて板金１３７０２ｂに接続される場合がある。また、回路基板に接続したアースプレートを基板ケース１３７０１ｈと板金１３７０２ｂとで挟む構成である場合がある。
【０３２１】
また、図２８（ｂ）に示すように、基板ケース１３７０１ｇと板金１３７０２ｂとは重ならず、基板ケース１３７０１ｇの短手方向下側に板金１３７０２ｂを配置する場合がある。基板ケース１３７０１ｇに収納した回路基板のアースは、図２５（ｅ）に示した配線接続部１０７２１を用いて板金１３７０２ｂに接続される場合がある。また、回路基板に接続したアースプレートを基板ケース１３７０１ｈと板金１３７０２ｂとで挟む構成である場合がある。
【０３２２】
また、図２８（ｂ）に示すように、基板ケース１３７０１ｈのすべてが板金１３７０２ｂと重なる配置である場合がある。基板ケース１３７０１ｈに収納した回路基板のアースは、回路基板に接続したアースプレートを基板ケース１３７０１ｈと板金１３７０２ｂとで挟む構成である場合がある。
【０３２３】
また、図２８（ｂ）に示すように、基板ケース１３７０１ｉと板金１３７０２ｂとは重ならず、基板ケース１３７０１ｉの短手方向上側に板金１３７０２ｂを配置する場合がある。基板ケース１３７０１ｉに収納した回路基板のアースは、図２５（ｅ）に示した配線接続部１０７２１を用いて板金１３７０２ｂに接続される場合がある。また、回路基板に接続したアースプレートを基板ケース１３７０１ｈと板金１３７０２ｂとで挟む構成である場合がある。
【０３２４】
また、図２８（ｂ）に示すように、基板ケース１３７０１ｊと板金１３７０２ｂとは重ならず、基板ケース１３７０１ｊの長手方向右側に板金１３７０２ｂを配置する場合がある。基板ケース１３７０１ｊに収納した回路基板のアースは、図２５（ｅ）に示した配線接続部１０７２１を用いて板金１３７０２ｂに接続される場合がある。また、回路基板に接続したアースプレートを基板ケース１３７０１ｈと板金１３７０２ｂとで挟む構成である場合がある。
【０３２５】
なお、基板ケースにおける、本発明に係るアースプレートを接続するコネクタを設ける位置は、基板ケースの長手方向右側でもよいし、基板ケースの長手方向左側でもよいし、基板ケースの短手方向上側でもよいし、基板ケースの短手方向下側でもよいし、基板ケースのほぼ中央でもよいし、いずれかの角の近傍でもよいし、どの位置であってもよい。また、このコネクタから伸びるハーネスの向きは、上向きでもよいし、下向きでもよいし、右向きでもよいし、左向きでもよいし、斜めでもよいし、基板ケースに収納した回路基板と水平でもよいし、垂直でもよいし、他の角度でもよい。
【０３２６】
また、アースプレートを挟み込む構成が複数ある場合（例えば板金ひとつに対して複数の基板ケースのそれぞれでアースプレートを挟み込む場合）があり、この場合において、板金と基板ケースとの位置関係は、例えば図２８に示したそれぞれを任意に組み合わせることが可能であり、例えば、ある基板ケースはすべて板金と重なり、ある基板ケースは一部だけ板金と重なるといった、すべての組み合わせを選びうるものである。
【０３２７】
図２９は、本発明に係るアースプレートの形状の例を示す平面図であって、（ａ）は一例の平面図であり、（ｂ）は（ａ）とは別の例の平面図である。
【０３２８】
図２９（ａ）に示すアースプレート７１０は、ハーネス７０８の一端に設け、前述したような湾曲部７１１を有する。
【０３２９】
図２９（ｂ）に示すアースプレート１４７１０は、ハーネス１４７０８の一端に設け、くし歯状の湾曲部１４７１１を有する。
【０３３０】
図２９（ｂ）のアースプレート１４７１０では、湾曲部１４７１１がくし歯状であるため、弾性変形しやすく、軽い力で取り付け可能な場合がある。
【０３３１】
図３０（ａ）、（ｂ）、（ｃ）、（ｄ）、（ｅ）および（ｆ）は、本発明に係るアースプレートの形状の例を示す側面図である。
【０３３２】
図３０（ａ）に示すアースプレート７１０は、ハーネス７０８の一端に設け、前述したような湾曲部７１１および凸部７１２を有する。
【０３３３】
図３０（ｂ）に示すアースプレート１５７１０は、ハーネス１５７０８の一端に設け、斜め上方に延伸して頂部１５７１１ａを有する弾性変形部１５７１１および凸部１５７１２を有する。
【０３３４】
図３０（ｃ）および（ｄ）に示すアースプレート１６７１０は、ハーネス１６７０８の一端に設け、斜め上方に延伸して頂部１６７１１ａを有する弾性変形部１６７１１を有する。アースプレート１６７１０は例えば基板ケースである台座１６７２３上に配置され、上部から板金が押し付けられることで、図３０（ｄ）に示すように頂部１６７１１ａが下がると、支点１７１２を中心に回動し、ハーネス１６７０８側が台座１６７２３から浮く構造になっている。
【０３３５】
図３０（ｅ）に示すアースプレート１７７１０は、ハーネス１７７０８の一端に設け、斜め上方に延伸して頂部１７７１１ａを有する螺旋状の弾性変形部１７７１１を有する。
【０３３６】
図３０（ｆ）に示すアースプレート１８７１０は、ハーネス１８７０８の一端に設け、頂部１８７１１ａを有して下方にパンタグラフ状の弾性変形部１８７１１を有する。
【０３３７】
図３１は、本発明に係る基板ケース、板金およびアースプレートの構成の例を示す断面図である。
【０３３８】
基板ケース１９７０１には、アースプレート１９７１０を嵌める凹部を設けておらず、ネジ１９７２４によってアースプレート１９７１０を基板ケース１９７０１に固定する。この状態で板金１９７０２と基板ケース１９７０１との間隔を狭めると、アースプレート１９７１０の湾曲部１９７１１の頂部は板金１９７０２に当接し、さらに板金１９７０２と基板ケース１９７０１との間隔を狭めると、湾曲部１９７１１が弾性変形してアースプレート１９７１０と板金１９７０２との電気的接続を確実に行うとともにアースプレート７１０の取り外しを困難にする。
【０３３９】
アースプレート１９７１０のネジ１９７２４による固定は、図３１のように湾曲部１９７１１の先端のみでしてもよいし、アースプレート１９７１０の根元部分すなわち湾曲部１９７１１の後端のみでしてもよいし、湾曲部１９７１１の先端および後端の両方でしてもよい。
【０３４０】
図３２Ａは、本発明に係る基板ケース、板金およびアースプレートの寸法の例を示す断面図であって、（ａ）は、板金とアースプレートとが接していない状態を示す図であり、（ｂ）は、基板ケース２０７０１と板金２０７０２との間隔を狭めて所定の位置にセットして板金で押し付けてアースプレートが弾性変形した状態を示す図である。
【０３４１】
基板ケース２０７０１に凹部２０７０４を設け、この凹部２０７０４内には貫通孔２０７０５を設けており、アースプレート２０７１０の先端から凸部２０７１２にかけてが基板ケース２０７０１の凹部２０７０４に嵌り、また、アースプレート２０７１０の凸部２０７１２は基板ケース２０７０１の貫通孔２０７０５に嵌る。この状態で基板ケース２０７０１と板金２０７０２との間隔を狭めると、アースプレート２０７１０の湾曲部２０７１１の頂部は板金２０７０２に当接し、さらに基板ケース２０７０１と板金２０７０２との間隔を狭めると、湾曲部２０７１１が弾性変形してアースプレート２０７１０と板金２０７０２との電気的接続を確実に行うとともにアースプレート２０７１０の取り外しを困難にする。
【０３４２】
図３２Ａ（ａ）に示すように、基板ケース２０７０１の凹部２０７０４にアースプレート２０７１０を嵌めたとき、アースプレート２０７１０の先端部と、凹部２０７０４の立下り部分との間にはクリアランスＤが存在する。
【０３４３】
また、貫通孔２０７０５の径Ｂは、凸部２０７１２の径ＡよりもクリアランスＣの分だけ大きい。凸部２０７１２が貫通孔２０７０５の側壁に当接してクリアランスＣが最大になったときでもクリアランスＤは存在する。
【０３４４】
図３２Ａ（ｂ）に示すように、基板ケース２０７０１と板金２０７０２との間隔を狭めて所定の位置にセットすると、クリアランスＤおよびクリアランスＣがなくなり、このとき、アースプレート２０７１０の高さＧは、凹部２０７０４の深さＥよりも高く、基板ケース２０７０１と板金２０７０２とは接するものではない。
【０３４５】
なお、凹部２０７０４の深さＥは、アースプレート２０７１０の厚みＦよりも深い場合があり、また、凹部２０７０４の深さＥは、アースプレート２０７１０の厚みＦよりも浅い場合がある。
【０３４６】
図３２Ｂは、本発明に係る基板ケース、板金およびアースプレートの寸法の例を示す断面図であって、（ａ）は、板金とアースプレートとが接していない状態を示す図であり、（ｂ）は、基板ケース２０７０１と板金２０７０２との間隔を狭めて所定の位置にセットして板金で押し付けてアースプレートが弾性変形した状態を示す図である。
【０３４７】
基板ケース２０７０１に凹部２０７０４を設け、この凹部２０７０４内には貫通孔２０７０５を設けており、アースプレート２０７１０の先端から凸部２０７１２にかけてが基板ケース２０７０１の凹部２０７０４に嵌り、また、アースプレート２０７１０の凸部２０７１２は基板ケース２０７０１の貫通孔２０７０５に嵌る。この状態で基板ケース２０７０１と板金２０７０２との間隔を狭めると、アースプレート２０７１０の湾曲部２０７１１の頂部は板金２０７０２に当接し、さらに基板ケース２０７０１と板金２０７０２との間隔を狭めると、湾曲部２０７１１が弾性変形してアースプレート２０７１０と板金２０７０２との電気的接続を確実に行うとともにアースプレート２０７１０の取り外しを困難にする。
【０３４８】
図３２Ｂ（ａ）に示すように、基板ケース２０７０１の内面から凹部２０７０４の底部までの厚さをａとし、基板ケース２０７０１の厚さのうちアースプレート２０７１０の先端側の厚さをｂとし、基板ケース２０７０１の厚さのうちアースプレート２０７１０の先端側の厚さをｃとし、凸部２０７１２の先端からアースプレート２０７１０の根元部分のうち基板ケース２０７０１の外面と当接する部分までの長さをｄとし、アースプレート２０７１０の湾曲部２０７１１の先端のうち凹部２０７０４の底部に当接する面から湾曲部２０７１１の頂点までの高さをｅとし、凹部２０７０４の深さをＥとしたとき、
・ａ＝Ｅである場合があり、
・ａ＞Ｅである場合があり、
・ａ＜Ｅである場合があり、
・ｂ＝ｃである場合があり、
・ｃ＜ｄである場合があり、
・ｃ＝ｄである場合があり、
・ｃ＞ｄである場合がある。
【０３４９】
また、図３２Ｂ（ｂ）に示すように、基板ケース２０７０１と板金２０７０２との間隔を狭めて所定の位置にセットしたときの基板ケース２０７０１の外面から板金２０７０２までの距離をｆとし、基板ケース２０７０１と板金２０７０２との間隔を狭めて所定の位置にセットしたときの板金２０７０２とアースプレート２０７１０との当接面の長さをｇとし、基板ケース２０７０１と板金２０７０２との間隔を狭めて所定の位置にセットしたときの凹部２０７０４の底部から板金２０７０２までの距離をＧとしたとき、
・Ｇ＞ｆである場合があり、
・ｅ＞Ｇである場合がある。
【０３５０】
また、アースプレート２０７１０と板ケース２０７０１とにクリアランスＣ、Ｄを設けることで、板金２０７０２とアースプレート２０７１０との当接面の長さをｇ以内とするようにしている。
【０３５１】
図３２Ｃは、本発明に係る基板ケース、板金およびアースプレートの寸法の例を示す断面図であって、（ａ）は、板金とアースプレートとが接していない状態を示す図であり、（ｂ）は、基板ケース２０７０１と板金２０７０２との間隔を狭めて所定の位置にセットして板金で押し付けてアースプレートが弾性変形した状態を示す図である。
【０３５２】
基板ケース２０７０１に凹部２０７０４を設け、この凹部２０７０４内には貫通孔２０７０５を設けており、アースプレート２０７１０の先端から凸部２０７１２にかけてが基板ケース２０７０１の凹部２０７０４に嵌り、また、アースプレート２０７１０の凸部２０７１２は基板ケース２０７０１の貫通孔２０７０５に嵌る。この状態で基板ケース２０７０１と板金２０７０２との間隔を狭めると、アースプレート２０７１０の湾曲部２０７１１の頂部は板金２０７０２に当接し、さらに基板ケース２０７０１と板金２０７０２との間隔を狭めると、湾曲部２０７１１が弾性変形してアースプレート２０７１０と板金２０７０２との電気的接続を確実に行うとともにアースプレート２０７１０の取り外しを困難にする。
【０３５３】
図３２Ｃ（ａ）、図３２Ｃ（ｂ）に示すように、アースプレート２０７１０の湾曲部２０７１１の先端のうち凹部２０７０４の底部に当接する面から湾曲部２０７１１の頂点までの高さをｅとし、アースプレート２０７１０の先端側の上面から湾曲部２０７１１の頂点までの高さをｈとし、アースプレート２０７１０の後端側の下面から湾曲部２０７１１の頂点までの高さをｉとし、基板ケース２０７０１と板金２０７０２との間隔を狭めて所定の位置にセットしたときの基板ケース２０７０１の外面から板金２０７０２までの距離をｆとし、基板ケース２０７０１と板金２０７０２との間隔を狭めて所定の位置にセットしたときの凹部２０７０４の底部から板金２０７０２までの距離をＧとしたとき、
・ｈ＞ｆである場合があり、
・ｈ＝ｆである場合があり、
・ｈ＜ｆである場合があり、
・ｈ＞ｉである場合があり、
・ｈ＝ｉである場合があり、
・ｈ＜ｉである場合があり、
・ｅ＞Ｇである場合があり、
・ｅ＝Ｇである場合があり、
楕円で囲んだ箇所ｆ、ｇのいずれかでアースプレート２０７１０と基板ケース２０７０１とが当接したとき、凸部２０７１２の先端は基板ケース２０７０１の内面から突出し、基板ケース２０７０１の内面から凸部２０７１２の先端までの距離をｊとすると、
・ｊ＞０である場合があり、
突出せずに、
・ｊ＝０である場合があり、
・ｈ＜０である場合がある。
【０３５４】
図３２Ｄは、本発明に係る基板ケース、板金およびアースプレートの寸法の例を示す断面図であって、（ａ）は、板金とアースプレートとが接していない状態を示す図であり、（ｂ）は、基板ケース２０７０１と板金２０７０２との間隔を狭めて所定の位置にセットして板金で押し付けてアースプレートが弾性変形した状態を示す図である。
【０３５５】
基板ケース２０７０１に凹部２０７０４を設け、この凹部２０７０４内には貫通孔２０７０５を設けており、アースプレート２０７１０の先端から凸部２０７１２にかけてが基板ケース２０７０１の凹部２０７０４に嵌り、また、アースプレート２０７１０の凸部２０７１２は基板ケース２０７０１の貫通孔２０７０５に嵌る。この状態で基板ケース２０７０１と板金２０７０２との間隔を狭めると、アースプレート２０７１０の湾曲部２０７１１の頂部は板金２０７０２に当接し、さらに基板ケース２０７０１と板金２０７０２との間隔を狭めると、湾曲部２０７１１が弾性変形してアースプレート２０７１０と板金２０７０２との電気的接続を確実に行うとともにアースプレート２０７１０の取り外しを困難にする。
【０３５６】
図３２Ｄ（ａ）に示すように、凸部２０７１２の径をＡとし、貫通孔２０７０５の径をＢとし、貫通孔２０７０５の径と凸部２０７１２の径ＡとのクリアランスをＣとし、アースプレート２０７１０の先端部と凹部２０７０４の立下り部分との間のクリアランスをＤとし、凹部２０７０４の深さをＥとし、湾曲部２０７１１の頂部の厚さをｎとし、アースプレート２０７１０の長さをｐとしたとき、
・ｎはＥと比べて大変に小さい場合があり、
・ｐ＞Ａである場合があり、
・ｐ＝Ａである場合があり、
・ｐ＜Ａである場合があり、
・ｐ＞Ｂである場合があり、
・ｐ＝Ｂである場合があり、
・ｐ＜Ｂである場合があり、
・ｐ＞Ｃである場合があり、
・ｐ＝Ｃである場合があり、
・ｐ＜Ｃである場合があり、
・ＣはＤと比べて大変に小さい場合がある。
【０３５７】
図３２Ｄ（ｂ）に示すように、基板ケース２０７０１と板金２０７０２との間隔を狭めて所定の位置にセットしたとき、楕円で囲んで示す箇所ｑにおいて、基板ケース２０７０１とアースプレート２０７１０とが接触しない場合がある。
【０３５８】
図３２Ｅは、本発明に係る基板ケース、板金およびアースプレートの寸法の例を示す断面図であって、（ａ）は、板金とアースプレートとが接していない状態を示す図であり、（ｂ）は、基板ケース２０７０１と板金２０７０２との間隔を狭めて所定の位置にセットして板金で押し付けてアースプレートが弾性変形した状態を示す図である。
【０３５９】
基板ケース２０７０１に凹部２０７０４を設け、この凹部２０７０４内には貫通孔２０７０５を設けており、アースプレート２０７１０の先端から凸部２０７１２にかけてが基板ケース２０７０１の凹部２０７０４に嵌り、また、アースプレート２０７１０の凸部２０７１２は基板ケース２０７０１の貫通孔２０７０５に嵌る。この状態で基板ケース２０７０１と板金２０７０２との間隔を狭めると、アースプレート２０７１０の湾曲部２０７１１の頂部は板金２０７０２に当接し、さらに基板ケース２０７０１と板金２０７０２との間隔を狭めると、湾曲部２０７１１が弾性変形してアースプレート２０７１０と板金２０７０２との電気的接続を確実に行うとともにアースプレート２０７１０の取り外しを困難にする。
【０３６０】
図３２Ｅ（ａ）、図３２Ｅ（ｂ）に示すように、アースプレート２０７１０の先端から頂点までの長さをｒとし、アースプレート２０７１０の頂点から後端までの長さをｓとしたとき、
・ｒ＞ｓである場合があり、
・ｒ＝ｓである場合があり、
・ｐ＜Ａである場合がある。
【０３６１】
・アースプレート２０７１０の頂点から後端までの部分よりも、アースプレート２０７１０の先端から頂点までの部分の方が、弾性変形しやすい場合があり、
・アースプレート２０７１０の先端から頂点までの部分よりも、アースプレート２０７１０の頂点から後端までの部分の方が、弾性変形しやすい場合があり、
・アースプレート２０７１０の先端から頂点までの部分も、アースプレート２０７１０の頂点から後端までの部分も、同様に弾性変形しやすい場合がある。
【０３６２】
図３３は、本発明に係る基板ケースおよびアースプレートの構成の例を示す図であって、（ａ）は、基板ケースおよびアースプレートを示す斜視図であり、（ｂ）は、基板ケースを示す正面図である。
【０３６３】
基板ケース２１７０１には、アースプレート２１７１０を嵌める凹部２１７０４を設けている。また、基板ケース２１７０１には、内部に生じた熱を放熱する放熱穴２１７２５を設けている。
【０３６４】
放熱穴２１７２５は、基板ケース２１７０１の辺部に設けている場合があり、基板ケース２１７０１の角部に設けている場合があり、基板ケース２１７０１の面部に設けている場合があり、基板ケース２１７０１の長辺部に設けている場合があり、基板ケース２１７０１の短辺部に設けている場合がある。
【０３６５】
また、凹部２１７０４は、放熱穴２１７２５の近傍に設けている場合があり、放熱穴２１７２５の遠くに設けている場合があり、所定の放熱穴２１７２５と他の放熱穴２１７２５との間に設けている場合がある。
【０３６６】
図３４は、本発明に係る基板ケースおよびアースプレートの構成の例を示す図であって、（ａ）は、基板ケースの正面斜視図であり、（ｂ）は、（ａ）の分解斜視図であり、（ｃ）は、（ａ）の基板ケースの背面およびアースプレート示す斜視図である。
【０３６７】
基板ケース２２７０１は、底面側カバー体２２７０１ｂおよび表面側カバー体２２７０１ａを有し、この底面側カバー体２２７０１ｂと表面側カバー体２２７０１ａとの間に回路基板２２７００を収容する。
【０３６８】
基板ケース２２７０１は、ＩＣタグ２２７１３を取り付けており、これにより基板ケース２２７０１の各種管理を実施可能にしている。ＩＣタグ２２７１３はＩＣタグカバー２２７１４によって覆われている。
【０３６９】
底面側カバー体２２７０１ｂと表面側カバー体２２７０１ａとは、回路基板２２７００を間に収容した状態で閉じた後にカシメ部材２２７１５によってカシメられる。カシメ部材２２７１５はカシメカバー２２７１６によって覆われている。
【０３７０】
底面側カバー体２２７０１ｂは、表面側カバー体２２７０１ａとの位置決め部であって、表面側カバー体２２７０１ａの所定位置に嵌め込まれる爪部２２７２６を有する。
【０３７１】
基板ケース２２７０１には、ハーネス２２７０８の一端に設けたアースプレート２２７１０を嵌める凹部２２７０４を設けている。
【０３７２】
爪部２２７２６は、基板ケース２２７０１の辺部に設けている場合があり、基板ケース２２７０１の角部に設けている場合があり、基板ケース２２７０１の面部に設けている場合があり、基板ケース２２７０１の長辺部に設けている場合があり、基板ケース２２７０１の短辺部に設けている場合がある。
【０３７３】
また、凹部２２７０４は、爪部２２７２６の近傍に設けている場合があり、爪部２２７２６の遠くに設けている場合があり、所定の爪部２２７２６と他の爪部２２７２６との間に設けている場合がある。
【０３７４】
ＩＣタグ２２７１３は、基板ケース２２７０１の辺部に設けている場合があり、基板ケース２２７０１の角部に設けている場合があり、基板ケース２２７０１の面部に設けている場合があり、基板ケース２２７０１の長辺部に設けている場合があり、基板ケース２２７０１の短辺部に設けている場合がある。
【０３７５】
また、凹部２２７０４は、ＩＣタグ２２７１３の近傍に設けている場合があり、ＩＣタグ２２７１３の遠くに設けている場合がある。
【０３７６】
カシメ部材２２７１５は、基板ケース２２７０１の辺部に設けている場合があり、基板ケース２２７０１の角部に設けている場合があり、基板ケース２２７０１の面部に設けている場合があり、基板ケース２２７０１の長辺部に設けている場合があり、基板ケース２２７０１の短辺部に設けている場合がある。
【０３７７】
また、凹部２２７０４は、カシメ部材２２７１５の近傍に設けている場合があり、カシメ部材２２７１５の遠くに設けている場合があり、所定のカシメ部材２２７１５と他のカシメ部材２２７１５との間に設けている場合がある。
【０３７８】
アースプレート２２７１０のハーネス２２７０８は、ＩＣタグカバー２２７１４やカシメカバー２２７１６を覆うように引きまわす場合があり、このように構成することによって、ＩＣタグカバー２２７１４やカシメカバー２２７１６を不正に外すことができない場合があり、ＩＣタグカバー２２７１４やカシメカバー２２７１６を強引に外すと、ハーネス２２７０８を切断や引き抜いてしまうことになり、不正が発覚する場合がある。
【０３７９】
図３５（ａ）は、本発明に係る基板ケース、板金およびアースプレートの構成の別の例を示す断面図である。
【０３８０】
基板ケース２３７０１は回路基板２３７００を収容する。
【０３８１】
基板ケース２３７０１に凸部２３７０５ａおよび２３７０５ｂを設け、アースプレート２３７１０の先端から凸部２３７１２にかけてが基板ケース２３７０１の凸部２３７０５ａと凸部２３７０５ｂとの間に嵌る。この状態で基板ケース２３７０１と板金２３７０２との間隔を狭めると、アースプレート２３７１０の湾曲部２３７１１の頂部は板金２３７０２に当接し、さらに基板ケース２３７０１と板金２３７０２との間隔を狭めると、湾曲部２３７１１が弾性変形してアースプレート２３７１０と板金２３７０２との電気的接続を確実に行うとともにアースプレート２３７１０の取り外しを困難にする。
【０３８２】
アースプレート２３７１０の取り付け方法は、基板ケース２３７０１の凸部２３７０５ａと凸部２３７０５ｂとの間にアースプレート２３７１０を嵌めてから、基板ケース２３７０１と板金２３７０２との間隔を狭めるものに限られず、基板ケース２３７０１と板金２３７０２との間隔を予め狭めてから、その基板ケース２３７０１と板金２３７０２との隙間にアースプレート２３７１０を挿入して基板ケース７７０１の凸部２３７０５ａと凸部２３７０５ｂとの間にアースプレート２３７１０を嵌めるようにしてもよい。
【０３８３】
図３５（ｂ）は、本発明に係る回路基板の構成の別の例を示す断面図である。
【０３８４】
ベース部材２４７０１ｂの上には、ＬＥＤ２４７２７を実装した回路基板であるＬＥＤ基板２４７００を配置している。ＬＥＤ基板２４７００には、透明部材である所定形状のランプカバー２４７０１ａを被せてあり、ベース部材２４７０１ｂとランプカバー２４７０１ａとで、本発明に係る基板ケースを形成する。
【０３８５】
本発明は、このようなＬＥＤ基板２４７００のアース接続にも適用可能である場合がある。
【０３８６】
また、マイコンが搭載されていない回路基板（例えばスピーカ基板）は、本発明に係るアース接続の構成を適用しない場合がある。
【０３８７】
また、マイコンが搭載されている回路基板のみに、本発明に係るアース接続の構成を適用する場合がある。
【０３８８】
図３６（ａ）は、本発明に係る基板ケース、板金およびアースプレートの構成の別の例を示す断面図である。
【０３８９】
基板ケース２５７０１ａは回路基板２５７００ａを収容する。基板ケース２５７０１ｂは回路基板２５７００ｂを収容する。基板ケース２５７０１ｂは基板ケース２５７０１ａの上部に配置し、基板ケース２５７０１ｂと基板ケース２５７０１ａとは重なっている。ハーネス２５７０８の一端は回路基板２５７００ｂのグランド領域に接続し、ハーネス２５７０８の他端にはアースプレート２５７１０を設けている。
【０３９０】
基板ケース２５７０１ａに凹部２５７０４を設け、この凹部２５７０４内にはさらに凹部２５７０５を設けており、アースプレート２５７１０の先端から凸部２５７１２にかけてが基板ケース２５７０１ａの凹部２５７０４に嵌り、また、アースプレート２５７１０の凸部２５７１２は基板ケース２５７０１ａの凹部２５７０５に嵌る。この状態で基板ケース２５７０１ａと板金２５７０２との間隔を狭めると、アースプレート２５７１０の湾曲部２５７１１の頂部は板金２５７０２に当接し、さらに基板ケース２５７０１ａと板金２５７０２との間隔を狭めると、湾曲部２５７１１が弾性変形してアースプレート２５７１０と板金２５７０２との電気的接続を確実に行うとともにアースプレート２５７１０の取り外しを困難にする。
【０３９１】
アースプレート２５７１０の取り付け方法は、基板ケース２５７０１ａの凹部２５７０４にアースプレート２５７１０を嵌めてから、基板ケース２５７０１ａと板金２５７０２との間隔を狭めるものに限られず、基板ケース２５７０１ａと板金２５７０２との間隔を予め狭めてから、その基板ケース２５７０１ａと板金２５７０２との隙間にアースプレート２５７１０を挿入して基板ケース２５７０１ａの凹部２５７０４にアースプレート２５７１０を嵌めるようにしてもよい。
【０３９２】
図３６（ｂ）は、本発明に係る基板ケース、板金およびアースプレートの構成の別の例を示す断面図である。
【０３９３】
基板ケース２６７０１は回路基板２６７００ａおよび回路基板２６７００ｂを収容する。ハーネス２６７０８の一端は回路基板２６７００ｂのグランド領域に接続し、ハーネス２６７０８の他端にはアースプレート２６７１０を設けている。ハーネス２６７０８の一端は、回路基板２６７００ｂのグランド領域ではなく、回路基板２６７００ａのグランド領域に接続するものである場合がある。
【０３９４】
基板ケース２６７０１に凹部２６７０４を設け、この凹部２６７０４内にはさらに凹部２６７０５を設けており、アースプレート２６７１０の先端から凸部２６７１２にかけてが基板ケース２６７０１の凹部２６７０４に嵌り、また、アースプレート２６７１０の凸部２６７１２は基板ケース２６７０１の凹部２６７０５に嵌る。この状態で基板ケース２６７０１と板金２６７０２との間隔を狭めると、アースプレート２６７１０の湾曲部２６７１１の頂部は板金２６７０２に当接し、さらに基板ケース２６７０１と板金２６７０２との間隔を狭めると、湾曲部２６７１１が弾性変形してアースプレート２６７１０と板金２６７０２との電気的接続を確実に行うとともにアースプレート２６７１０の取り外しを困難にする。
【０３９５】
アースプレート２６７１０の取り付け方法は、基板ケース２６７０１の凹部２６７０４にアースプレート２６７１０を嵌めてから、基板ケース２６７０１と板金２６７０２との間隔を狭めるものに限られず、基板ケース２６７０１と板金２６７０２との間隔を予め狭めてから、その基板ケース２６７０１と板金２６７０２との隙間にアースプレート２６７１０を挿入して基板ケース２６７０１の凹部２６７０４にアースプレート２６７１０を嵌めるようにしてもよい。
【０３９６】
図３７（ａ）は、本発明に係る基板ケース、板金およびアースプレートの構成の別の例を示す断面図である。
【０３９７】
基板ケース２７７０１ａは回路基板２７７００ａを収容する。基板ケース２７７０１ｂは回路基板２７７００ｂを収容する。基板ケース２７７０１ｂと基板ケース２７７０１ａとは重なっていない。ハーネス２７７０８の一端は回路基板２７７００ｂのグランド領域に接続し、ハーネス２７７０８の他端にはアースプレート２７７１０を設けている。
【０３９８】
基板ケース２７７０１ａに凹部２７７０４を設け、この凹部２７７０４内にはさらに凹部２７７０５を設けており、アースプレート２７７１０の先端から凸部２７７１２にかけてが基板ケース２７７０１ａの凹部２７７０４に嵌り、また、アースプレート２７７１０の凸部２７７１２は基板ケース２７７０１ａの凹部２７７０５に嵌る。この状態で基板ケース２７７０１ａと板金２７７０２との間隔を狭めると、アースプレート２７７１０の湾曲部２７７１１の頂部は板金２７７０２に当接し、さらに基板ケース２７７０１ａと板金２７７０２との間隔を狭めると、湾曲部２７７１１が弾性変形してアースプレート２７７１０と板金２７７０２との電気的接続を確実に行うとともにアースプレート２７７１０の取り外しを困難にする。
【０３９９】
アースプレート２７７１０の取り付け方法は、基板ケース２７７０１ａの凹部２７７０４にアースプレート２７７１０を嵌めてから、基板ケース２７７０１ａと板金２７７０２との間隔を狭めるものに限られず、基板ケース２７７０１ａと板金２７７０２との間隔を予め狭めてから、その基板ケース２７７０１ａと板金２７７０２との隙間にアースプレート２７７１０を挿入して基板ケース２７７０１ａの凹部２７７０４にアースプレート２７７１０を嵌めるようにしてもよい。
【０４００】
図３７（ｂ）は、本発明に係る基板ケース、板金およびアースプレートの構成の別の例を示す断面図である。
【０４０１】
基板ケース２８７０１は回路基板２８７００を収容する。回路基板２８７００は両面実装の基板である。ハーネス２８７０８の一端は回路基板２８７００の下方の実装面のグランド領域に接続し、ハーネス２８７０８の他端にはアースプレート２８７１０を設けている。
【０４０２】
基板ケース２８７０１に凹部２８７０４を設け、この凹部２８７０４内にはさらに凹部２８７０５を設けており、アースプレート２８７１０の先端から凸部２８７１２にかけてが基板ケース２８７０１の凹部２８７０４に嵌り、また、アースプレート２８７１０の凸部２８７１２は基板ケース２８７０１の凹部２８７０５に嵌る。この状態で基板ケース２８７０１と板金２８７０２との間隔を狭めると、アースプレート２８７１０の湾曲部２８７１１の頂部は板金２８７０２に当接し、さらに基板ケース２８７０１と板金２８７０２との間隔を狭めると、湾曲部２８７１１が弾性変形してアースプレート２８７１０と板金２８７０２との電気的接続を確実に行うとともにアースプレート２８７１０の取り外しを困難にする。
【０４０３】
アースプレート２８７１０の取り付け方法は、基板ケース２８７０１の凹部２８７０４にアースプレート２８７１０を嵌めてから、基板ケース２８７０１と板金２８７０２との間隔を狭めるものに限られず、基板ケース２８７０１と板金２８７０２との間隔を予め狭めてから、その基板ケース２８７０１と板金２８７０２との隙間にアースプレート２８７１０を挿入して基板ケース２８７０１の凹部２８７０４にアースプレート２８７１０を嵌めるようにしてもよい。
【０４０４】
図３７（ｃ）は、本発明に係る基板ケース、板金およびアースプレートの構成の別の例を示す断面図である。
【０４０５】
基板ケース２９７０１は回路基板２９７００を収容する。回路基板２９７００は両面実装の基板である。ハーネス２８７０８の一端は回路基板２９７００の上方の実装面のグランド領域に接続し、ハーネス２９７０８の他端にはアースプレート２９７１０を設けている。
【０４０６】
基板ケース２９７０１に凹部２９７０４を設け、この凹部２９７０４内にはさらに凹部２９７０５を設けており、アースプレート２９７１０の先端から凸部２９７１２にかけてが基板ケース２９７０１の凹部２９７０４に嵌り、また、アースプレート２９７１０の凸部２９７１２は基板ケース２９７０１の凹部２９７０５に嵌る。この状態で基板ケース２９７０１と板金２９７０２との間隔を狭めると、アースプレート２９７１０の湾曲部２９７１１の頂部は板金２９７０２に当接し、さらに基板ケース２９７０１と板金２９７０２との間隔を狭めると、湾曲部２９７１１が弾性変形してアースプレート２９７１０と板金２９７０２との電気的接続を確実に行うとともにアースプレート２９７１０の取り外しを困難にする。
【０４０７】
アースプレート２９７１０の取り付け方法は、基板ケース２９７０１の凹部２９７０４にアースプレート２９７１０を嵌めてから、基板ケース２９７０１と板金２９７０２との間隔を狭めるものに限られず、基板ケース２９７０１と板金２９７０２との間隔を予め狭めてから、その基板ケース２９７０１と板金２９７０２との隙間にアースプレート２９７１０を挿入して基板ケース２９７０１の凹部２９７０４にアースプレート２９７１０を嵌めるようにしてもよい。
【０４０８】
図３８（ａ）は、本発明に係る基板ケース、板金およびアースプレートの構成の別の例を示す断面図である。図３８（ｂ）は、図３８（ａ）に示した回路基板の斜視図である。
【０４０９】
基板ケース３０７０１は回路基板３０７００ａおよび回路基板３０７００ｂを収容する。回路基板３０７００ａと回路基板３０７００ｂとはボード・ツー・ボード・コネクタ３０７２８によって接続されている場合がある。
【０４１０】
基板ケース３０７０１に凹部３０７０４を設け、この凹部３０７０４内にはさらに凹部３０７０５を設けており、アースプレート３０７１０の先端から凸部３０７１２にかけてが基板ケース３０７０１の凹部３０７０４に嵌り、また、アースプレート３０７１０の凸部３０７１２は基板ケース３０７０１の凹部３０７０５に嵌る。この状態で基板ケース３０７０１と板金３０７０２との間隔を狭めると、アースプレート３０７１０の湾曲部３０７１１の頂部は板金３０７０２に当接し、さらに基板ケース３０７０１と板金３０７０２との間隔を狭めると、湾曲部３０７１１が弾性変形してアースプレート３０７１０と板金３０７０２との電気的接続を確実に行うとともにアースプレート３０７１０の取り外しを困難にする。
【０４１１】
アースプレート３０７１０の取り付け方法は、基板ケース３０７０１の凹部３０７０４にアースプレート３０７１０を嵌めてから、基板ケース３０７０１と板金３０７０２との間隔を狭めるものに限られず、基板ケース３０７０１と板金３０７０２との間隔を予め狭めてから、その基板ケース３０７０１と板金３０７０２との隙間にアースプレート３０７１０を挿入して基板ケース３０７０１の凹部３０７０４にアースプレート３０７１０を嵌めるようにしてもよい。
【０４１２】
図３９（ａ）は、本発明に係る基板ケース、板金およびアースプレートの構成の別の例を示す断面図である。
【０４１３】
基板ケース３１７０１は回路基板３１７００を収容する。
【０４１４】
基板ケース３１７０１には、位置決め部材３１７０５ａがネジ３１７０５ａａによって固定され、位置決め部材３１７０５ｂがネジ３１７０５ｂａによって固定されている。アースプレート３１７１０の先端３１７１１ａから後端３１７１１ｂにかけてが基板ケース３１７０１に固定した位置決め部材３１７０５ａと位置決め部材３１７０５ｂとの間に嵌る。この状態で基板ケース３１７０１と板金３１７０２との間隔を狭めると、アースプレート３１７１０の湾曲部３１７１１の頂部は板金３１７０２に当接し、さらに基板ケース３１７０１と板金３１７０２との間隔を狭めると、湾曲部３１７１１が弾性変形してアースプレート３１７１０と板金３１７０２との電気的接続を確実に行うとともにアースプレート３１７１０の取り外しを困難にする。
【０４１５】
アースプレート３１７１０の取り付け方法は、基板ケース３１７０１に固定した位置決め部材３１７０５ａと位置決め部材３１７０５ｂとの間にアースプレート３１７１０を嵌めてから、基板ケース３１７０１と板金３１７０２との間隔を狭めるものに限られず、基板ケース３１７０１と板金３１７０２との間隔を予め狭めてから、その基板ケース３１７０１と板金３１７０２との隙間にアースプレート３１７１０を挿入して、基板ケース７７０１に固定した位置決め部材３１７０５ａと位置決め部材３１７０５ｂとの間にアースプレート３１７１０を嵌めるようにしてもよい。
【０４１６】
図３９（ｂ）は、本発明に係る基板ケース、板金およびアースプレートの構成の別の例を示す断面図である。
【０４１７】
基板ケース３２７０１は回路基板３２７００を収容する。
【０４１８】
基板ケース３２７０１に凸部３２７０５ａおよび３２７０５ｂを設け、凸部３２７０５ａと凸部３２７０５ｂの間に凹部３２７０４を形成し、アースプレート３２７１０の先端３２７１１ａから後端３２７１１ｂにかけてが基板ケース３２７０１の凹部３２７０４に嵌る。この状態で基板ケース３２７０１と板金３２７０２との間隔を狭めると、アースプレート３２７１０の湾曲部３２７１１の頂部は板金３２７０２に当接し、さらに基板ケース３２７０１と板金３２７０２との間隔を狭めると、湾曲部３２７１１が弾性変形してアースプレート３２７１０と板金３２７０２との電気的接続を確実に行うとともにアースプレート３２７１０の取り外しを困難にする。
【０４１９】
アースプレート３２７１０の取り付け方法は、基板ケース３２７０１の凹部３２７０４にアースプレート３２７１０を嵌めてから、基板ケース３２７０１と板金３２７０２との間隔を狭めるものに限られず、基板ケース３２７０１と板金３２７０２との間隔を予め狭めてから、その基板ケース３２７０１と板金３２７０２との隙間にアースプレート３２７１０を挿入して基板ケース７７０１の凹部３２７０４にアースプレート３２７１０を嵌めるようにしてもよい。
【０４２０】
図３９（ｃ）は、本発明に係る基板ケース、板金およびアースプレートの構成の別の例を示す断面図である。
【０４２１】
基板ケース３３７０１は回路基板３３７００を収容する。ハーネス３３７０８の一端は回路基板３３７００のグランド領域に接続し、ハーネス３３７０８の他端にはアースプレート３３７１０を設けている。
【０４２２】
基板ケース３３７０１に凹部３３７０４を設け、この凹部３３７０４内にはさらに凹部３３７０５を設けており、アースプレート３３７１０の先端から凸部３３７１２にかけてが基板ケース３３７０１の凹部３３７０４に嵌り、また、アースプレート３３７１０の凸部３３７１２は基板ケース３３７０１の凹部３３７０５に嵌る。この状態で、アースプレート３３７１０のハーネス３３７０８は、位置決め手段であるハーネス押さえ部材３３７０２ｂａで押さえられて、アースプレート３３７１０の位置決めがされる。ハーネス押さえ部材３３７０２ｂａは、板金３３７０２ａとは異なる板金３３７０２ｂに例えばネジ止めされる。この状態で基板ケース３３７０１と板金３３７０２ａとの間隔を狭めると、アースプレート３３７１０の湾曲部３３７１１の頂部は板金３３７０２ａに当接し、さらに基板ケース３３７０１と板金３３７０２ａとの間隔を狭めると、湾曲部３３７１１が弾性変形してアースプレート３３７１０と板金３３７０２ａとの電気的接続を確実に行うとともにアースプレート３３７１０の取り外しを困難にする。
【０４２３】
アースプレート３３７１０の取り付け方法は、基板ケース３３７０１の凹部３３７０４にアースプレート３３７１０を嵌めてから、基板ケース３３７０１と板金３３７０２ａとの間隔を狭めるものに限られず、基板ケース３３７０１と板金３３７０２ａとの間隔を予め狭めてから、その基板ケース３３７０１と板金３３７０２ａとの隙間にアースプレート３３７１０を挿入して基板ケース３３７０１の凹部３３７０４にアースプレート３３７１０を嵌め、さらにハーネス押さえ部材３３７０２ｂａで押さえるようにしてもよい。
【０４２４】
ハーネス押さえ部材３３７０２ｂａは、板金３３７０２ｂではない、他の部材にハーネス３３７０８を固定するものである場合がある。
【０４２５】
図４０は、本発明に係る基板ケース、板金およびアースプレートの構成の別の例を示す断面図であって、（ａ）、（ｂ）および（ｃ）は、アースプレートを取り付ける手順を説明する図である。
【０４２６】
基板ケース３４７０１は回路基板３４７００を収容する。
【０４２７】
基板ケース３４７０１に凹部３４７０４を設け、アースプレート３４７１０の先端３４７１１ａが基板ケース３４７０１の凹部３４７０４に嵌る。
【０４２８】
アースプレート３４７１０の取り付け方法は、基板ケース３４７０１と板金３４７０２との間隔を予め狭めてから、その基板ケース３４７０１と板金３４７０２との隙間にアースプレート３４７１０を挿入する（図４０（ｂ）参照）。この挿入を続けるとアースプレート３４７１０の先端３４７１１ａが基板ケース３４７０１の凹部３４７０４に嵌る（図４０（ｃ）参照）。このとき、湾曲部３４７１１が弾性変形してアースプレート３４７１０と板金３４７０２との電気的接続を確実に行うとともにアースプレート３２７１０の取り外しを困難にする。
【０４２９】
図４１は、本発明に係る基板ケース、板金およびアースプレートの構成の別の例を示す断面図である。
【０４３０】
基板ケース３５７０１は回路基板３５７００を収容する。
【０４３１】
基板ケース３５７０１に凹部３５７０４を設け、この凹部３３７０４内にはさらに凹部３５７０４ａを設けており、アースプレート３５７１０の先端３５７１１ａがこの凹部３５７０４ａに嵌合する。この状態で基板ケース３５７０１と板金３５７０２との間隔を狭めると、アースプレート３５７１０の湾曲部３５７１１の頂部は板金３５７０２に当接し、さらに基板ケース３５７０１と板金３５７０２との間隔を狭めると、湾曲部３５７１１が弾性変形してアースプレート３５７１０と板金３５７０２との電気的接続を確実に行うとともにアースプレート３５７１０の取り外しを困難にする。
【０４３２】
アースプレート３５７１０の取り付け方法は、基板ケース３５７０１の凹部３５７０４ａにアースプレート３５７１０の先端３５７１１ａを嵌めてから、基板ケース３５７０１と板金３５７０２との間隔を狭めるものに限られず、基板ケース３５７０１と板金３５７０２との間隔を予め狭めてから、その基板ケース３５７０１と板金３５７０２との隙間にアースプレート３５７１０を挿入して基板ケース３５７０１の凹部３５７０４ａにアースプレート３５７１０の先端３５７１１ａを嵌めるようにしてもよい。
【０４３３】
図４２は、本発明に係る基板ケースおよび板金の構成の別の例を示す背面図である。
【０４３４】
図２を参照して前述したように、パチンコ機１００の背面には、球タンク１５０の下方に位置し、球タンク１５０の底部に形成した連通孔を通過して落下する球を背面右側に位置する払出装置１５２に導くためのタンクレール１５４を配設している。
【０４３５】
ここでは、このタンクレール１５４を、本発明に係る板金の代わりに用いる例について説明する。
【０４３６】
タンクレール１５４は、例えば導電性の樹脂製であり、このタンクレール１５４と基板ケース３６７０１とで、本発明に係るアースプレートを挟んでアース接続を行うことができる。
【０４３７】
タンクレール１５４は、配線３６７２９を介してフレームグランド３６７３０に接続する場合がある。
【０４３８】
なお、基板ケース内の基板は、如何なる基板であってもよいし、単数であってもよいし、複数であってもよい。
【０４３９】
図４３は、本発明に係る基板ケースおよび回路基板の構成の別の例を示す断面図である。
【０４４０】
基板ケース３７７０１は回路基板３７７００を収容する。
【０４４１】
回路基板３７７００のグランド領域には、コネクタ３７７０８ａａ、コネクタ３７７０８ｂａを接続している。本発明に係るアースプレートが一端に接続されたハーネス３７７０８ａの他端はコネクタ３７７０８ａａに接続され、本発明に係るアースプレートが一端に接続されたハーネス３７７０８ｂの他端はコネクタ３７７０８ｂａに接続される。
【０４４２】
ハーネス３７７０８ａは回路基板３７７００の実装面に対して垂直方向に延伸するようにコネクタ３７７０８ａａにて接続される（縦向きの配置）。
【０４４３】
ハーネス３７７０８ｂは回路基板３７７００の実装面に対して水平方向に延伸するようにコネクタ３７７０８ｂａにて接続される（横向きの配置）。
【０４４４】
ハーネス３７７０８ｂは回路基板３７７００の実装面に対して水平方向に延伸した場合、曲がる箇所が少ない場合がある。
【０４４５】
ハーネス３７７０８ａは回路基板３７７００の実装面に対して垂直方向に延伸した場合、引き回しの長さが長く、外乱の影響を受けやすい場合がある。
【０４４６】
図４４（ａ）は、本発明に係る基板ケース、回路基板および板金の構成の別の例を示す断面図である。
【０４４７】
基板ケース３８７０１は回路基板３８７００を収容する。
【０４４８】
回路基板３８７００の例えば四隅には導通部材３８７３１を設けており、導通部材３８７３１は、回路基板３８７００のグランド領域に接続し、また、板金３８７０２に接続している。
【０４４９】
導通部材３８７３１は、回路基板３８７００の四隅のうちの少なくとも一つに設けるものであってもよい。
【０４５０】
導通部材３８７３１は、回路基板３８７００の四隅のすべてに設けるものであってもよい。
【０４５１】
導通部材３８７３１は、回路基板３８７００の四隅のうちの少なくとも一つに設けないものであってもよい。
【０４５２】
図４４（ｂ）は、本発明に係る基板ケース、回路基板、アースプレートおよび板金の構成の別の例を示す断面図である。
【０４５３】
基板ケース３９７０１は回路基板３９７００を収容する。
【０４５４】
回路基板３９７００の例えば四隅のうちの所定箇所には導通部材３９７３１を設けており、導通部材３９７３１は、回路基板３８７００のグランド領域に接続し、また、板金３９７０２に接続している。
【０４５５】
また、回路基板３９７００のグランド領域には、コネクタ３９７０８ａおよびハーネス３９７０８を介してアースプレート３９７１０が接続されている。
【０４５６】
基板ケース３９７０１に凹部３９７０４を設け、この凹部３９７０４内にはさらに凹部３９７０５を設けており、アースプレート３９７１０の先端から凸部３９７１２にかけてが基板ケース３９７０１の凹部３９７０４に嵌り、また、アースプレート３９７１０の凸部３９７１２は基板ケース３９７０１の凹部３９７０５に嵌る。
【０４５７】
導通部材３９７３１は、回路基板３８７００の四隅のうちの少なくとも一つに設けるものであってもよい。
【０４５８】
導通部材３９７３１は、回路基板３８７００の四隅のすべてに設けるものであってもよい。
【０４５９】
導通部材３９７３１は、回路基板３８７００の四隅のうちの少なくとも一つに設けないものであってもよい。
【０４６０】
導通部材３９７３１は、回路基板３８７００の四隅のうちの三箇所に設け、残りの一か所の近傍にアースプレート３９７１０を接続するためのコネクタ３９７０８ａを設けてもよい。
【０４６１】
図４４（ｃ）は、本発明に係る基板ケース、回路基板、アースプレートおよび板金の構成の別の例を示す断面図である。
【０４６２】
基板ケース４０７０１は回路基板４０７００を収容する。
【０４６３】
回路基板４０７００のグランド領域には、コネクタ４０７０８ａおよびハーネス４０７０８を介してアースプレート４０７１０が接続されている。
【０４６４】
基板ケース４０７０１に凹部４０７０４を設け、この凹部４０７０４内にはさらに貫通孔４０７０５を設けており、アースプレート４０７１０の先端から凸部４０７１２にかけてが基板ケース４０７０１の凹部４０７０４に嵌り、また、アースプレート４０７１０の凸部４０７１２は基板ケース４０７０１の貫通孔４０７０５に嵌合する。
【０４６５】
回路基板４０７００のグランド領域と、貫通孔４０７０５を貫通したアースプレート４０７１０の凸部４０７１２とは、例えばハンダなどの導通部材４０７３２によって接続される。
【０４６６】
コネクタ４０７０８ａ、ハーネス４０７０８およびアースプレート４０７１０を介したアース接続とは異なる経路によって、回路基板４０７００のグランド領域のアース接続をする場合がある。例えば、アースプレート４０７１０が所定部材（例えばハンダなどの導通部材４０７３２）を介して回路基板４０７００のグランド領域に接続している場合がある。
【０４６７】
図４５は、本発明に係る回路基板に接続するハーネスの構成の例を示す平面図である。
【０４６８】
回路基板４１７００にはコネクタ４１７０８ａａやコネクタ４１７０８ｂａを接続している。
【０４６９】
コネクタ４１７０８ａａは、ハーネス４１７０８ａを介して、例えば液晶ユニットなどに接続される。
【０４７０】
コネクタ４１７０８ｂａは、ハーネス４１７０８ｂを介して、例えば本発明に係るアースプレートに接続される。
【０４７１】
アースプレートに接続されるコネクタ４１７０８ｂａのハーネス４１７０８ｂの導線は、他のコネクタ４１７０８ａａのハーネス４１７０８ａの導線よりも細い場合がある。
【０４７２】
アースプレートに接続されるコネクタ４１７０８ｂａのハーネス４１７０８ｂの導線の本数は、他のコネクタ４１７０８ａａのハーネス４１７０８ａの導線の本数よりも少ない場合がある。
【０４７３】
また、アースプレートに接続されるコネクタ４１７０８ｂａの回路基板４１７００上の向きは、他のコネクタ４１７０８ａａの回路基板４１７００上の向きと異なる場合がある。
【０４７４】
図４６は、本発明に係る基板ケースおよび板金の構成の別の例を示す図であり、（ａ）はパチンコ機の遊技盤の背面図であり、（ｂ）は遊技盤の背面の裏パックを外した状態を上部から見た平面図であり、裏パックの一部を切り欠いて板金が見えるようにした図である。
【０４７５】
パチンコ機１００の遊技盤２００の背面には裏パック４２７３３を被せている。この構成において、遊技盤２００側の基板ケース４２７０１と裏パック４２７３３に設けた板金４２７０２とで、本発明に係るアースプレートを挟むことで、本発明を適用することができる。
【０４７６】
＜付記＞
なお、以上説明した本発明は、
１．  遊技に関する制御を行う制御回路を搭載した回路基板（例えば回路基板７００）と、
前記回路基板を収容する基板収容部材（例えば基板ケース７０１）と、
導電性のアース部材（例えば板金７０２）と、
前記回路基板のグランド部と前記アース部材とを導通させる導通部材（例えばハーネス７０８）と、
を備えた遊技台であって、
前記基板収容部材は前記回路基板の底面側（例えば部品実装面と反対の面）を覆うように形成され、
前記アース部材は前記回路基板の底面側に設けられ、
前記導通部材の一端（例えばコネクタ７０９）を前記回路基板のグランド部に接続させ、前記導通部材の他の一端（例えばアースプレート７１０）を前記基板収容部材と前記アース部材とで挟持させる状態で前記アース部材に接続させることにより、前記回路基板のグランドと前記アース部材とを導通させる、
ことを特徴とする遊技台、としたので、
接地すなわちアース接続が容易で、組み立て作業の効率が向上するという効果を奏する場合がある。
【０４７７】
また、本発明によれば、電磁波を用いて遊技台に不正な動作をさせるいわゆる電磁波ゴトなどの不正行為が行われた場合や、電子部品が故障した場合には、例えば、アース部材が帯電し、これから導通部材から回路基板へと向かって電流が流れて回路基板上の電子部品が故障や異常動作（例えば音声の乱れ、画像の乱れ、役物の誤動作等）が発生し、これにより遊技店員が、不正行為や電子部品の故障に気付き易くなる場合がある。
【０４７８】
また、本発明によれば、導通部材を基板収容部材とアース部材とで挟んでいる部分が熱を持つことにより、回路基板の裏側から電子部品の誤動作を誘発させる場合もある。
【０４７９】
なお、回路基板のグランド部と導通部材の一端とはコネクタで接続する場合がある。このコネクタ接続によれば、コネクタ抜けが容易に確認でき、ゴト行為を防止することができる場合がある。
【０４８０】
また、導通部材は、一端と他の一端とを繋ぐ複数の信号線である場合がある。
【０４８１】
また、導通部材の信号線を、回路基板の周縁から回りこませるように接続する場合がある。
【０４８２】
また、導通部材の一端は回路基板の実装面に設ける場合がある。
【０４８３】
また、導通部材の一端は回路基板の端部に設ける場合がある。
【０４８４】
また、導通部材の他の一端は弾性変形可能な素材で構成する場合がある。導通部材の他の一端を弾性変形させてアース部材に接続することによって、より確実に接地することができる場合がある。
【０４８５】
ところで、「基板収容部材」は、例えば回路基板を収容する基板ケースであってもよく、回路基板を支持する部材は、この「基板収容部材」でもよいし、他の部材であってもよい。また、「基板収容部材」は回路基板の全面を覆うケースである必要はなく、回路基板とアース部材との間にあればよい。また、「基板収容部材」は絶縁性の素材である必要はない（基板収容部材と導通部材の一端が接触する部分にだけ絶縁性のシートを設ける等の態様であってもよい）。
【０４８６】
また、「アース部材」は、例えば板金である場合がある。また、「アース部材」は、液晶基板のノイズ対策部品（シールド部材）である場合がある。また、「アース部材」は、遊技台がスロットマシンの場合のそのキャビネット（導電性で構成、導電性シートを貼っている）でもよい。
【０４８７】
また、「導通部材」は、例えばアース線である場合がある。
【０４８８】
また、「回路基板の底面側」は、例えば片面実装の回路基板の場合は、実装面の裏側のハンダ面である場合がある。
【０４８９】
また本発明は、
２．  １．に記載の遊技台において、
前記導通部材の他の一端に突部を有し、
前記基板収容部材は孔部を有し、
前記導通部材の他の一端を、前記基板収容部材と前記アース部材とで挟持させると共に該他の一端の前記突部と前記基板収容部材の前記孔部とを嵌合させる状態で前記アース部材に接続させることにより、前記回路基板のグランドと前記アース部材とを導通させる、
ことを特徴とする遊技台、としたので、
導通部材を基板収容部材から抜けにくくして、より確実に接地することができる場合がある。
【０４９０】
また、不正行為者にしてみれば、上述のように本発明によれば電磁波ゴトによって異常動作になって遊技店員に見つかってしまうので、これを避けようと導通部材を基板収容部材から抜くことを考えるが、導通部材を基板収容部材から抜けにくくしているので、これがかなわず、ゴト行為を諦めさせることができる場合がある。また、不正行為者は、導通部材の一端を回路基板から外すことを考えるかもしれないが、本発明の遊技台では正常時には空き端子（空き接続部）を設けないように構成している場合があり、この場合、導通部材の一端を回路基板から外すと空き端子（空き接続部）が生じ、これによって遊技店員はゴト行為を見つけ出すことが可能となる場合がある。
【０４９１】
なお、基板収容部材は凹部を有し、導通部材の一端を凹部に嵌める構成とする場合がある。この場合、導通部材を基板収容部材からさらに抜けにくくできる場合がある。
【０４９２】
また、本発明は、導通部材の他の一端において複数本の信号線を有し、この他の一端の幅は、複数本の信号線の幅よりも広い構成とする場合がある。この場合、幅が広いことにより導通部材を基板収容部材からさらに抜けにくくできる場合がある。
【０４９３】
なお、「孔部」は、貫通した孔であってもよいし、貫通していない孔であってもよい。
【０４９４】
また、「嵌合」は、きつく嵌るものでもよいし、ゆとりを持って緩く嵌るものであってもよい。
【０４９５】
また本発明は、
３．  １．または２．に記載の遊技台において、
前記導通部材の他の一端は、前記回路基板側から視認不能または困難な位置で前記アース部材と接続している、
ことを特徴とする遊技台、としたので、
不正行為者にしてみれば、上述のように本発明によれば電磁波ゴトによって異常動作になって遊技店員に見つかってしまうので、これを避けようと導通部材を基板収容部材から抜くことを考えるが、導通部材の他の一端が視認か不能または困難な位置でアース部材と接続しているので、その場所が分からずに抜けない、または抜きにくく、抜き取りがかなわず、ゴト行為を諦めさせることができる場合がある。
【０４９６】
また、導通部材の他の一端とアース部材との接続位置が視認不能であることは、この他の一端とアース部材との接続位置は、直接触ることが困難な位置であり、例えば遊技店員がメンテナンス時に、そこに誤って触ってしまって怪我をすることが少なくなる場合がある。
【０４９７】
また本発明は、
１．または２．に記載の遊技台において、
前記導通部材の他の一端は、前記回路基板の周縁より内側の位置で前記アース部材と接続している、
ことを特徴とする遊技台、とする場合がある。これにより、前記導通部材の他の一端は、前記回路基板側から視認不能または困難な位置で前記アース部材と接続することとなる場合がある。
【０４９８】
また本発明は、
１．または２．に記載の遊技台において、
前記導通部材の一端の位置と他の一端の位置とは、前記回路基板上の水平方向または垂直方向にずれている、
ことを特徴とする遊技台、とする場合がある。
【０４９９】
なお、「視認不能または困難な位置」とは、例えば回路基板の周縁から中に入り込んだ位置である場合がある。また、回路基板が非透明性の部材で構成されていることによってこの回路基板の裏側が「視認不能または困難な位置」となる場合がある。
【０５００】
＜付記２＞
なお、以上説明した本発明は、
１．  回路基板と、
前記回路基板を少なくとも収容可能な基板ケースと、
導電性を有するアース部材と、
前記回路基板のグランド配線パターンと前記アース部材を少なくとも導通させることが可能な導通部材と、
を備えた遊技台であって、
前記遊技台は、ぱちんこ機またはスロットマシンであり、
前記アース部材は、前記基板ケースの外に設けられており、
前記導通部材は、接触部を少なくとも含むものであり、
前記接触部は、第一の被接触部および第二の被接触部により挟まれることで、前記アース部材と少なくとも接触するものであり、
前記第一の被接触部は、前記基板ケースの外側の少なくとも一部であり、
前記第二の被接触部は、前記アース部材の少なくとも一部であり、
前記導通部材には、被固定部が少なくとも設けられており、
前記基板ケースおよび前記アース部材のうちの少なくとも一方には、固定部が少なくとも設けられており、
前記固定部は、前記被固定部を少なくとも固定可能なものである、
ことを特徴とする遊技台、としたので、
簡単な構成でアース接続可能にし、組み立て作業が容易で作業効率が向上する遊技台を提供することができる場合がある。
【０５０１】
また、本発明は、
２．  １．に記載の遊技台であって、
前記アース部材は、前記基板ケースとは別体である、
ことを特徴とする遊技台、としたので、
アース接続がより容易になる場合がある。
【０５０２】
また、本発明は、
３．  １．または２．に記載の遊技台であって、
前記回路基板の底面側の少なくとも一部は、前記基板ケースの底面側カバー体により少なくとも覆われており、
前記回路基板の表面側の少なくとも一部は、前記基板ケースの表面側カバー体により少なくとも覆われている、
ことを特徴とする遊技台、としたので、
アース接続がより容易になる場合がある。
【０５０３】
また、本発明は、
４．  ３．に記載の遊技台であって、
前記被固定部の少なくとも一部が前記固定部に固定されることで、前記底面側カバー体および前記導通部材の位置関係が固定される、
ことを特徴とする遊技台、としたので、
前記底面側カバー体および前記導通部材の位置決めが容易かつ確実になる場合がある。
【０５０４】
また、本発明は、
５．  １．乃至４．に記載の遊技台であって、
前記被固定部の少なくとも一部が前記固定部に固定されることで、前記アース部材および前記導通部材の位置関係が固定される、
ことを特徴とする遊技台、としたので、
前記アース部材および前記導通部材の位置決めが容易かつ確実になる場合がある。
【０５０５】
＜付記３＞
なお、以上説明した本発明は、
１．  第一の部品（遊技台を構成する部品、例えば、板金、アース部材）と、
第二の部品（遊技台を構成する部品、例えば、アースプレート、導通部材）と、
第三の部品（遊技台を構成する部品、例えば、基板ケース）と、
グランド領域と、
を備えた遊技台であって、
前記遊技台は、ぱちんこ機またはスロットマシンであり、
前記第一の部品の少なくとも一部は、導電性を少なくとも有する導電部であり、
前記第二の部品の少なくとも一部は、導電性を少なくとも有する導電部であり、
前記第二の部品の導電部は、前記グランド領域と少なくとも接続されたものであり、
前記第二の部品は、前記第一の部品および前記第三の部品により少なくとも挟まれたものであり、
前記第一の部品は、前記第二の部品とは少なくとも別体であり、
前記第二の部品の導電部は、前記第一の部品の導電部と少なくとも導通されたものである、
ことを特徴とする遊技台、としたので、
簡単な構成でアース接続可能な遊技台を提供することができる。
【０５０６】
また、本発明は、
２．  １．に記載の遊技台であって、
前記第一の部品は、前記第三の部品とは別体である、
ことを特徴とする遊技台、とした。
【０５０７】
また、本発明は、
３．  １．または２．に記載の遊技台であって、
前記第一の部品は、少なくとも不透明である、
ことを特徴とする遊技台、とした。
【０５０８】
前記第一の部品のすべてが不透明である場合があり、前記第一の部品の導電部のすべてが不透明である場合がある。前記第一の部品の導電部以外は、透明の場合があり、不透明である場合がある。
【０５０９】
また、本発明は、
４．  １．乃至３．のうちのいずれか１項に記載の遊技台であって、
前記第二の部品の少なくとも一部は、前記第一の部品および前記第三の部品により挟まれた位置で該第二の部品が固定される被固定部である、
ことを特徴とする遊技台、とした。
【０５１０】
前記第二の部品の少なくとも一部である導電部と、前記第二の部品の少なくとも一部である被固定部とは、完全に一致するものである場合があり、一部一致するものである場合があり、まったくの別ものである場合がある。
【０５１１】
また、本発明は、
５．  １．乃至４．のうちのいずれか１項に記載の遊技台であって、
回路基板を備え、
前記グランド領域は、前記回路基板のグランド配線パターンの少なくとも一部である、
ことを特徴とする遊技台、とした。
【０５１２】
本発明によれば、接地が容易であるので、組み立て効率が向上する場合がある。
【０５１３】
本発明によれば、電磁波ゴトなどの不正行為や電子部品の故障があった場合、アース部材が帯電し、このアース部材から導通部材を介して回路基板へと電流が流れて回路基板上の電子部品が故障や異常動作（例えば音響の乱れ、画像の乱れ、役物の誤動作等）を行う場合があり、これにより遊技店員が、不正行為や電子部品の故障に気付き易くなる場合がある。また、このとき、導通部材を挟んでいる部分が熱を持つことにより、回路基板の裏側から電子部品の誤動作を誘発させる場合もある。
【０５１４】
本発明によれば、導通部材を抜けにくくして、より確実に接地することができる場合がある。
【０５１５】
本発明によれば、電磁波ゴトなどの不正行為により遊技台が異常動作を行うことから、不正行為者は、不正行為が発覚しないように導通部材の取り外しを試みようとする虞があるが、導通部材は抜けにくいので、不正行為を諦めさせることができる場合がある。また、このとき、導通部材の他端を回路基板から外す方法を、不正行為者が試みようとする虞があるが、本発明によれば、回路基板に空き端子（空き接続部）を設けないように構成することにより、導通部材の回路基板側の接続を外すと空き端子（空き接続部）が生じ、遊技店員に発覚しやすい場合がある。
【０５１６】
本発明によれば、電磁波ゴトなどの不正行為により遊技台が異常動作を行うことから、不正行為者は、不正行為が発覚しないように導通部材の取り外しを試みようとする虞があるが、導通部材が視認不能などでその位置が不明で外せない、あるいは外しにくいなどで、不正行為を諦めさせることができる場合がある。
【０５１７】
本発明によれば、導通部材が視認不能などで、直接触ることが困難な位置にあることにより、メンテナンスのときに作業者が怪我をすることが少なくなる場合がある。
【０５１８】
また、本発明によれば、回路基板のグランド配線パターンとアース部材との導通が、導通部材によって、確実に確保される場合があるとともに、回路基板の電気部品に異常がないかを点検する際に、回路基板のグランド配線パターンに接続する第二のコネクタと、アース部材に接続する第一のコネクタと、の接続状態も確認することができることから、さらに確実な導通状態が確保できる場合がある。
【０５１９】
＜各構成の説明＞
本発明の構成について説明する。
【０５２０】
＜＜第一の部材について＞＞
［01］第一の部材は、例えば、主基板ケースを取り付ける位置に設けた板金（例えば電源のフレームグランド）であってもよい。
［02］第一の部材は、例えば、液晶表示装置の板金であってもよい。［03］第一の部材は、例えば、単なる基板ケース間（樹脂製のケースの間）に設けられた板金であってもよい。
［04］第一の部材は、前面枠扉部に設けられた上皿近傍の板金であってもよく、扉体側のいずれかの部材（例えば、前面枠扉部に設けられた上皿近傍の板金）でもよく、枠体側のいずれかの部材でもよい。
［05］第一の部材は、板金ではなく、フレームグランドに接続した導通部材（例えばタンクレール）であってもよい。
［06］第一の部材は、第二の部材や第三の部材よりも、折り曲げに強い場合があり、厚い場合があり、薄くてもより強度がある場合がある。
［07］第一の部材は、少なくとも第二の部材と接触する箇所は平坦（フラット）である場合がある。
［08］第一の部材は、所定の箇所（例えば第二の部材と接触する箇所）が、盛り上がっている場合がある。
［09］第一の部材は、第三の部材と平行でなくてもよく、平行である場合もある。平行の場合は接触面積を大きくすることができる場合がある。
［10］第一の部材は、第二の部材（例えばアースプレート）を介して、第三の部材（例えば基板ケース）と接触する場合があり、第三の部材とは直接接触する場合があり（少なくとも一部が接触）、第三の部材とは直接接触しない場合がある。
［11］第一の部材は、第二の部材以外の所定の部材を挟む場合があり、第二の部材以外の所定の部材はネジ止めする場合がある。また、第一の部材と第三の部材の間に所定の部材があってもよい（例えば、ハーネスが通る等）。
［12］第一の部材は、遊技盤側または本体側に設けた所定の部材に対して垂直方向に位置するものである場合があり、遊技盤側または本体側に設けた所定の部材に対して水平方向に位置するものである場合がある。
［13］基板ケース内に、回路基板のほかに板金も収容する場合がある。この基板ケース内の板金は、アース接続する場合があり（例えば、基板のグランド領域と接続。さらにＦＧと接続させる場合がある）、ノイズ遮蔽の役割を果たす場合がある。
［14］第一の部材（例えば板金）が複数ある場合がある。第一の部材同士が重なる箇所がある場合がある。第一の部材同士が重ならずに、例えば孔を形成し第三の部材が露出する箇所がある場合がある。
［15］第一の部材（例えば板金）の大きさは、第二の部材（例えばアースプレート）よりも大きい場合があり、第二の部材（例えばアースプレート）と同じである場合があり、第二の部材（例えばアースプレート）よりも小さい場合があり、第三の部材（例えば基板ケース）よりも大きい場合があり、第三の部材（例えば基板ケース）と同じである場合があり、第三の部材（例えば基板ケース）よりも小さい場合がある。また、第一の部材（例えば板金）は、第二の部材（例えばアースプレート）の全体と重なる場合があり、第二の部材（例えばアースプレート）の一部と重なる場合があり、第三の部材（例えば基板ケース）の全体と重なる場合があり、第三の部材（例えば基板ケース）の一部と重なる場合がある。
［16］第一の部材（例えば板金）は、遊技盤側または本体側に設けた所定の部材のいずれかに固定、あるいは一体化、あるいは着脱自在に配置されるものである場合がある
［17］板金側に、アースプレートのような変形（弾性変形、塑性変形）可能な部分がある。
【０５２１】
＜＜第二の部材について＞＞
［01］第二の部材は他の箇所よりも突出する凸部（例えば湾曲部の頂部、凸部７１２）を有する場合があり、この凸部の少なくとも一部が第一の部材（例えば板金）と接触する。
［02］第二の部材のうち第一の部材（例えば板金）と接触する箇所（例えば湾曲部）は、第一の部材に押し付けられることで第一の部材との接触面積が大きくなる。すなわち、第二の部材と第一の部材との固定の具合で接触面積を可変することができる場合がある。
［03］第二の部材は、正規の取り付け位置以外で取り付けた場合、湾曲部が弾性変形するという正規の機能とは異なり、いずれかの箇所が塑性変形してしまったり、異常な応力により金属疲労が促進してしまったり、破損する場合がある。すなわち、第二の部材の取り付け方法を間違えると（例えば不正行為者による取り外しなどが行われ、再度取り付ける際に誤った取り付けをすると）、第二の部材の破損により、遊技台が正常な動作をしない場合があり、これにより不正が発覚する場合がある。
［04］第二の部材に接続する導線は、フレキシブルなものである場合があり、フレキシブルなものではない場合がある。また、第二の部材は導線よりも太い場合がある。
［05］第二の部材の高さ（第一の部材と第三の部材との間に挟まる部位の長さ）は、第三の部材と第二の部材とが接する箇所から、第三の部材のうち第一の部材に最も近い箇所までの高さよりも高い。なお、第三の部材において第二の部材の位置決めを行う位置決め部が、第三の部材とは別体に設けられる場合においては、第二の部材の高さ（第一の部材と第三の部材との間に挟まる部位の長さ）は、第三の部材と第二の部材とが接する箇所から、位置決め部を含んだ第三の部材のうち第一の部材に最も近い箇所までの高さよりも高い。
［06］第二の部材の高さ（第一の部材と第三の部材との間に挟まる部位の長さ）は、第三の部材と第二の部材とが接する箇所から、第一の部材のうち第三の部材に最も近い箇所までの距離よりも高い。なお、第三の部材において第二の部材の位置決めを行う位置決め部が、第三の部材とは別体に設けられる場合においては、第二の部材の高さ（第一の部材と第三の部材との間に挟まる部位の長さ）は、第三の部材と第二の部材とが接する箇所から、第一の部材のうち位置決め部を含んだ第三の部材に最も近い箇所までの距離よりも高い。
［07］第二の部材は、第一の部材と第三の部材との間に固定する際に、弾性変形して、所定方向（例えば第一の部材と第三の部材とを結ぶ方向と垂直な方向）に延伸する。この所定方向としては、第一の部材と第三の部材とを結ぶ方向と垂直な方向のみでもよいし、垂直方向に延伸しやすいようにしてもよい。
［08］第二の部材には、導電性で導通可能な部分と、非導電性で導通不可能な部分と、がある場合があり、第一の部材と接触する部分のみが導電性で導通可能である場合がある。
［09］第二の部材は、少なくとも湾曲部がくし歯状の形状である場合がある。この形状により、湾曲部が弾性変形しやすい場合があり、小さな力で第二の部材の固定ができる場合があり、第二の部材を固定する際の感触を作業者が感じ取ることができる場合がある（目視せず、感触で固定できていることが分かる場合がある）。
［10］第二の部材は、一本の導線を接続したものである場合がある。第二の部材は、二本以上の導線を接続したものである場合がある。第２の部材の導線は、他の配線の導線よりも少ない数である場合がある（例えば、同一基板内の配線の導線、または全基板における配線の導線。以下同様）。第２の部材の導線は、他の配線の導線よりも多い数である場合がある。第２の部材の導線は、他のすべての配線の導線よりも少ない数である場合がある。第２の部材の導線は、他のすべての配線の導線よりも多い数である場合がある。
［11］第二の部材は、ネジ止めによる固定がされるものである場合がある。
【０５２２】
＜＜第三の部材について＞＞
［01］第三の部材は、裏パックである場合がある。また、第三の部材は、基板ケースである場合がある。第三の部材は、基板ケースや所定の装置（例えば液晶表示装置）を覆うカバー部材である場合がある。第三の部材は、ＬＥＤ基板などを取り付けるベース部材である場合がある。第三の部材は、所定の電気部品（所定の電気部品を取り付ける他のベース部材）を取り付けるベース部材である場合がある。
［02］第三の部材は、板金（第一の部材とは異なる）である場合がある。
［03］第三の部材は、板金よりも導電率が高い部材である場合がある。第三の部材は、板金よりも導電率が低い部材である場合がある。
［04］第三の部材は、第一の部材よりも、折り曲げに強い場合があり、厚い場合があり、薄くてもより強度がある場合がある。
［05］第三の部材に設けた孔（例えば放熱穴）と第一の部材との位置関係において、第一の部材を固定する際に、第一の部材や第三の部材を破損しない（破損しにくい）位置に固定する場合がある。第三の部材に設けた孔（例えば放熱穴）と第一の部材との位置関係において、第一の部材を固定する際に、正規な位置ではなく固定された場合（例えば不正行為により固定された場合）、第一の部材や第三の部材を破損する（破損しやすい）場合がある。
［06］第三の部材の所定部品同士を噛み合わせる部分（例えば基板ケースの底面側カバー体と表面側カバー体とを嵌合させる部分）の位置と第二の部材の導線の向きとの関係は、同じ向きである場合があり、異なる向きである場合がある。例えば底面側カバー体と表面側カバー体とを嵌合させる部分とアースプレートの導線の向きとにおいて、例えば長手方向で基板ケースの底面側カバー体と表面側カバー体とを嵌合させ、アースプレートの導線も長手方向に延伸する向きにする場合がある。
［07］第三の部材は、第二の部材の導線を固定する部分を有する場合がある。第一の部材は、第二の部材の導線を固定する部分を有する場合がある。第三の部材において第二の部材の位置決めを行う位置決め部（仮位置決めを行うものであってもよい）が、第二の部材の導線を固定する部分を兼ねる場合がある。
［08］第三の部材は、第二の部材の位置決めを行う位置決め部を有しない場合がある。
【０５２３】
＜＜グランド（ＧＮＤ）領域について＞＞
［01］グランド領域は、どこのＧＮＤでもよい。例えば、第三の部材とは異なる部材（例えば第三の部材である基板ケースに収容された回路基板とは異なる回路基板）のＧＮＤであってもよい。
［02］グランド領域は、回路基板のＧＮＤでなくてもよい。
［03］グランド領域が複数あってよく、その少なくとも一部が接続されるものでもよく、一部のみが接続されるものでもよく、全部が接続されるものでもよい。この接続は第二の部材が挟み込まれることによって行われるものでもよい。
［04］グランド領域が、回路基板のＧＮＤである場合、その回路基板が両面実装の基板であるとき、両面のうちの一の面で例えば第二の部材と接続する場合があり、両面のうちの他の面で例えば第二の部材と接続する場合がある。
［05］グランド領域が、コネクタを介して第二の部材と接続される場合がある。グランド領域が、コネクタを介さずに第二の部材と接続される場合がある（例えば回路基板のＧＮＤと導線をはんだ付けで固定）。
［06］ネジなどで所定のグランド領域のアース接続を行う場合がある。
［07］回路基板と別の回路基板とが重なって、一の基板ケース内に収容され、グランド領域はこのいずれかの回路基板のＧＮＤである場合がある。
［08］グランド領域を有する回路基板に対して接触不可能（接触困難）な（アクセスできない）場合がある。
［09］グランド領域を有する回路基板において、実装される電子部品の高さは、グランド領域に接続するコネクタよりも高い場合があり、グランド領域に接続するコネクタよりも低い場合がある。回路基板が両面実装の基板である場合において、基板ケースにおけるアースプレートの位置決めを行う凹部などの、基板ケース内部の空間が狭くなっているところには背の高い電子部品を実装することができないので、この位置を避けて実装する場合がある。
［10］遊技台の制御を行う制御回路を搭載した回路基板である制御基板のみが、グランド領域のアース接続において、第二の部材を第一の部材と第三の部材とで挟みこんで確保するものである場合がある。
【０５２４】
＜位置決め手段について＞
［01］第二の部材の位置決めを行う位置決め部は、第三の部材における凹部である場合があり（凹部のみが位置決め部に相当するものであってもよいし、凹部が位置決め部を構成する一の要素であってもよい）、第三の部材における貫通孔である場合があり（貫通孔のみが位置決め部に相当するものであってもよいし、貫通孔が位置決め部を構成する一の要素であってもよい）、第三の部材における凸部である場合があり（凸部のみが位置決め部に相当するものであってもよいし、凸部が位置決め部を構成する一の要素であってもよい）、この凸部は第三の部材と一体である場合があり、この凸部は第三の部材と別体である場合があり、この位置決め部は第二の部材の固定時の弾性変形による応力を受けても破損しない強度を有するものである場合がある。
［02］第二の部材の位置決めを行う位置決め部は、第二の部材の固定時の弾性変形による変位を吸収するクリアランスを有するものである場合がある。
［03］第二の部材の位置決めを行う位置決め部は、第二の部材の導線を固定する固定部分を有する場合がある。
［04］第二の部材の位置決めを行う位置決め部は、複数あってもよく、例えば一方の位置決め部が第二の部材の導線を固定しつつ他方の位置決め部が第二の部材を固定するものであってもよい。
［05］第一の部材や第三の部材に、第二の部材の位置決めを行う位置決め部がない場合がある。第一の部材や第三の部材に、第二の部材の位置決めを行う位置決め部が一部ある場合がある。
［06］第一の部材や第三の部材以外の所定部材に、第二の部材の位置決めを行う位置決め部がある場合がある。第二の部材は、この所定部材を介して挟み込まれるものである場合がある。
【０５２５】
＜＜その他について＞＞
［01］第一の部材と第三の部材とで第二の部材を挟み込む際には、第一の部材または第三の部材の所定位置に第二の部材を配置した後に、第一の部材と第三の部材との間隔を所定の間隔に狭める方法で行う場合がある。第一の部材と第三の部材とで第二の部材を挟み込む際には、第一の部材と第三の部材との間隔を所定の間隔に予め狭めた後に、その隙間に第二の部材を所定位置まで挿入する方法で行う場合がある。
［02］遊技台の枠部材に基板ケースをスナップラッチで固定する場合がある（その結果、第一の部材と第三の部材（基板ケース）で第二の部材を挟むことができる場合がある）。
［03］第一の部材と第三の部材とは、互いにスライドさせて第二の部材を挟み込む場合がある。第一の部材と第三の部材とは、互いに回動させて第二の部材を挟み込む場合がある。
【０５２６】
＜他の構成＞
なお、本発明は、
アース部材は液晶基板（例えば装飾図柄表示装置２０８用）の静電気対策用のシールド部材である場合がある。
【０５２７】
このようにすることにより、従来から備えている液晶基板の静電気対策用のシールド部材をアース部材として利用するので、アース部材として新たな部品等を設ける必要がなく、部品点数削減の効果を奏する場合がある。また、この場合、液晶表示装置は遊技盤の大半を占めていることから、シールド部材は静電気を拾い易いことになり、不正行為者による電磁波ゴトによる電磁波の乱れ等も拾いやすく、ゴト行為を発見し易い場合がある。
【０５２８】
また、本発明は、
回路基板は、第１副制御部４００または第２副制御部５００を搭載する副制御基板であって、アース部材は液晶基板を覆っているシールド部材である場合がある。
【０５２９】
また、本発明は、導通部材の一端または他の一端は、金属片で構成されている場合がある。
【０５３０】
また、本発明は、導通部材の一端または他の一端は、金属片で構成され、この金属片は弾性変形可能であり、かつ複数の枝部に分かれている場合がある。この場合、複数の枝部に分かれていることにより弾性変形し易い場合があり、より接地し易い場合がある。また、この複数の枝部の数は、導通部材の信号線の数と同じ場合がある。
【０５３１】
また、本発明が適用可能な遊技台は、上述のものに限られず、例えば遊技球を遊技台内に封入し、その封入した遊技球を遊技台内で循環して遊技を提供する封入式遊技機にも適用可能である。
【０５３２】
また、本発明は、例えば板金に溝を設けるとともに、アースプレートに突起部等を設け、これらが嵌合するようにしてもよく、この場合、板金とアースプレートとが、より外れにくくなるという効果を奏する場合がある。
【０５３３】
また、本発明は、板金も基板ケースに収容され、アースプレート部分だけ切り欠き部がある構成とする場合がある。この場合、切り欠き部にアースプレートが嵌る構成となる。
【０５３４】
また、本発明は、遊技台を構成する枠等に金属を用いていない場合、すなわち、フレームグランドがとれない遊技台にも適用可能である。
【０５３５】
また、本発明は、いわゆる共通枠にも適用可能である。この共通枠についてここで説明する。従来の共通枠ではない場合には、遊技島に、遊技台を収容する収容スペースとともに、その収容スペースの脇にＣＲユニット等を設けた構成となっており、遊技台の機種を交換する際には、収容スペース内の遊技台をそのまま交換するようにしていた。これに対して共通枠では、遊技台の枠が、遊技島の収容スペースにあらかじめ取り付けられており、遊技台を収容する際には、この収容スペースに取り付けられた枠に、遊技台の枠以外の部分を例えば軸支して収容する。機種交換時には、遊技台の枠以外の部分だけを交換することができる。すなわち、本発明は、この遊技台の枠以外の部分に対しても適用可能なものである。
【０５３６】
本発明の態様は、上述した個々の実施例に限定されるものではなく、個々の実施例の各要素のいかなる組合せも本発明に含み、また、当業者が想到しうる種々の変形も含むものであり、本発明の効果も上述した内容に限定されない。すなわち、特許請求の範囲に規定された内容およびその均等物から導き出される本発明の概念的な思想と趣旨を逸脱しない範囲で種々の追加、変更および部分的削除が可能である。
【産業上の利用可能性】
【０５３７】
本発明に係る遊技台は、パチンコ機などに代表される遊技台に適用することができる。
【符号の説明】
【０５３８】
１００  パチンコ機
１２４  遊技領域
２０８  装飾図柄表示装置
２０８ａ  左図柄表示領域
２０８ｂ  中図柄表示領域
２０８ｃ  右図柄表示領域
２０８ｄ  演出表示領域
２３０  第１特図始動口
２３２  第２特図始動口
２３４  可変入賞口
２０６  演出装置
２２４  演出用可動体
３００  主制御部
３０４  ＣＰＵ
３０６  ＲＯＭ
３０８  ＲＡＭ
４００  第１副制御部
４０４  ＣＰＵ
４０６  ＲＯＭ
４０８  ＲＡＭ
５００  第２副制御部
【図１】
2014124272.tif 000003
【図２】
2014124272.tif 000004
【図３】
2014124272.tif 000005
【図４】
2014124272.tif 000006
【図５】
2014124272.tif 000007
【図６】
2014124272.tif 000008
【図７】
2014124272.tif 000009
【図８】
2014124272.tif 000010
【図９】
2014124272.tif 000011
【図１０】
2014124272.tif 000012
【図１１】
2014124272.tif 000013
【図１２】
2014124272.tif 000014
【図１３】
2014124272.tif 000015
【図１４】
2014124272.tif 000016
【図１５】
2014124272.tif 000017
【図１６】
2014124272.tif 000018
【図１７】
2014124272.tif 000019
【図１８】
2014124272.tif 000020
【図１９】
2014124272.tif 000021
【図２０】
2014124272.tif 000022
【図２１】
2014124272.tif 000023
【図２２】
2014124272.tif 000024
【図２３】
2014124272.tif 000025
【図２４】
2014124272.tif 000026
【図２５】
2014124272.tif 000027
【図２６】
2014124272.tif 000028
【図２７】
2014124272.tif 000029
【図２８】
2014124272.tif 000030
【図２９】
2014124272.tif 000031
【図３０】
2014124272.tif 000032
【図３１】
2014124272.tif 000033
【図３２Ａ】
2014124272.tif 000034
【図３２Ｂ】
2014124272.tif 000035
【図３２Ｃ】
2014124272.tif 000036
【図３２Ｄ】
2014124272.tif 000037
【図３２Ｅ】
2014124272.tif 000038
【図３３】
2014124272.tif 000039
【図３４】
2014124272.tif 000040
【図３５】
2014124272.tif 000041
【図３６】
2014124272.tif 000042
【図３７】
2014124272.tif 000043
【図３８】
2014124272.tif 000044
【図３９】
2014124272.tif 000045
【図４０】
2014124272.tif 000046
【図４１】
2014124272.tif 000047
【図４２】
2014124272.tif 000048
【図４３】
2014124272.tif 000049
【図４４】
2014124272.tif 000050
【図４５】
2014124272.tif 000051
【図４６】
2014124272.tif 000052